(57)【特許請求の範囲】
【請求項１】
半導体ワークピース処理システムであって、
基板が通過するキャリア開口部及び前記キャリア開口部を封止する基板キャリアドアを備えた基板キャリアハウジングを有する基板キャリアと接合可能なフレームを有すると共に、前記基板を前記基板キャリアに対してローディング及びアンローディングするローディングポートを画定し、前記ローディングポートを封止するロードポートドア及び前記ローディングポートを実質的に囲繞しているロードポートリムを有するロードポートデバイスと、
前記基板キャリアハウジングを前記ロードポートリムに固定する第１のソリッドステート電磁ラッチングシステムと、
前記ロードポートドアを前記基板キャリアドアに固定する第２のソリッドステート電磁ラッチングシステムと、
前記基板キャリアドアを前記基板キャリアハウジングに解除可能に結合する第３のソリッドステート電磁ラッチングシステムと、
を含み、前記第２のソリッドステート電磁ラッチングシステム及び前記第３のソリッドステート電磁ラッチングシステムは、前記第２のソリッドステート電磁ラッチングシステムが前記ポートドアを前記基板キャリアドアにロックすると、前記第３のソリッドステート電磁ラッチングシステムが自動的に且つ受動的に解除されるように構成されており、前記第１のソリッドステート電磁ラッチングシステム及び前記第２のソリッドステート電磁ラッチングシステムは、前記基板キャリアが前記ローディングポートのフレームに接するのと実質的に同時に駆動されるように構成されていることを特徴とするシステム。
【請求項２】
請求項１に記載の半導体処理システムであって、鉄鋼材が前記基板キャリアハウジング内に配され、電磁石が前記ロードポートリム内に配されて前記鉄鋼材と相互作用し、前記電磁石の作動が、前記基板キャリアハウジングと前記ロードポートリムとの間の解除可能な結合をもたらすことを特徴とするシステム。
【請求項３】
請求項１に記載の半導体処理システムであって、鉄鋼材が前記基板キャリアドア内に配され、電磁石が前記ロードポートドア内に配されて前記鉄鋼材と相互作用し、前記電磁石の作動が、前記基板キャリアドアと前記ロードポートドアとの間の解除可能な結合をもたらすことを特徴とするシステム。
【請求項４】
請求項１に記載の半導体処理システムであって、鉄鋼材が前記ロードポートリム内に配され、電磁石が前記基板キャリアハウジング内に配されて前記鉄鋼材と相互作用し、前記電磁石の作動が、前記基板キャリアハウジングと前記ロードポートリムとの間の解除可能な結合をもたらすことを特徴とするシステム。
【請求項５】
請求項１に記載の半導体処理システムであって、鉄鋼材が前記ロードポートドア内に配され、電磁石が前記基板キャリアドア内に配されて前記鉄鋼材と相互作用し、前記電磁石の作動が、前記基板キャリアドアと前記ロードポートドアとの間の解除可能な結合をもたらすことを特徴とするシステム。
【請求項６】
請求項１に記載の半導体処理システムであって、前記ローディングポートは、前記第１のソリッドステート電磁ラッチングシステム及び前記第２のソリッドステート電磁ラッチングシステムのうちの少なくとも１つと共に動作して前記基板キャリアを前記ローディングポートに対してアラインメントするアラインメント機構を含んでいることを特徴とするシステム。
【請求項７】
請求項１に記載の半導体処理システムであって、前記ローディングポートは、少なくとも１つの基板キャリアアラインメント機構を含み、前記少なくとも１つの基板キャリアアラインメント機構と前記第１のソリッドステート電磁ラッチングシステム及び前記第２のソリッドステート電磁ラッチングシステムのうちの少なくとも１つとが前記ローディングポートの共通の面に設けられていることを特徴とするシステム。
【請求項８】
半導体ワークピース処理システムであって、
基板が通過するキャリア開口部及び前記開口部を封止するキャリアドアを有しかつ前記キャリアドアにドアラッチによって解除可能に結合されているハウジングを備えた基板キャリアに接合可能なフレームを有し、前記基板キャリアに対して基板をローディング及びアンローディングするローディングポートを画定し、前記ローディングポートを封止するロードポートドア及び前記ローディングポートを実質的に囲繞しているロードポートリムを有するロードポートデバイスと、
前記ロードポートドアを前記キャリアドアに固定する第１のソリッドステート電磁ラッチングシステムと、を含み、
前記第１のソリッドステート電磁ラッチングシステムと前記ドアラッチとが互いに協働して前記ロードポートドアと前記キャリアドアとの固定が前記ドアラッチの自動的で且つ受動的な解除をもたらし、前記第１のソリッドステート電磁ラッチングシステムは前記基板キャリアが前記ローディングポートのフレームに接するのと実質的に同時に駆動されることを特徴とするシステム。
【請求項９】
請求項８に記載の半導体ワークピース処理システムであって、前記ドアラッチ及び前記第１のソリッドステート電磁ラッチングシステムのうちの少なくとも１つが磁気ラッチを含むことを特徴とするシステム。
【請求項１０】
請求項８に記載の半導体ワークピース処理システムであって、前記ローディングポートがキャリアアラインメント機構を含み、前記キャリアアラインメント機構は、前記ローディングポートの表面に設けられ、前記表面に前記第１のソリッドステート電磁ラッチングシステムの少なくとも一部が配されていることを特徴とするシステム。
【発明の詳細な説明】
【関連出願の相互参照】
【０００１】
本出願は、２００６年８月１８日に出願された米国特許仮出願シリアル番号第６０／８３８，９０６号の利益を主張するものであり、２００５年１１月７日に出願された米国特許仮出願番号第６０／７３３，８１３号の利益を主張する、２００６年１１月３日に出願された米国特許シリアル番号第１１／５５６，５８４号の一部継続である、２００６年１１月７日に出願された米国特許出願シリアル番号第１１／５９４，３６５号の一部継続である、２００７年４月１８日に出願された米国特許出願シリアル番号第１１／７８７，９８１号の一部継続である２００７年５月１１日に出願された、米国特許シリアル番号第１１／８０３，０７７号の一部継続であり、これらすべては、参照することによりその全体が本明細書に組み込まれる。
【発明の分野】
【０００２】
本明細書に記載される例示的な実施形態は、基板処理システム、特に基板搬送システム、搬送機キャリア、処理ツール接触面への搬送、および配置に関する。
以前の関連実施形態
電子デバイスの製造における主な推進力は、より低価格でより有能かつより小さな電子デバイスに対する消費者の要望である。主な推進力は、さらなる小型化および製造効率における改善に対する製造業者の起動力へと形を変える。その結果製造業者は、可能な限り利益を追求する。半導体デバイスの場合、従来の製作設備またはＦＡＢは、半導体基板に１つ以上のプロセスを実行するために、本質的に（または編成構造上）別個の処理ツール、例えば集合ツールを有する。したがって従来のＦＡＢは、処理ツールの周囲に編成され、半導体基板を所望の電子デバイスに変えるために、所望の構成に配置される場合がある。例えば、処理ツールは、処理ベイの従来のＦＡＢ内に配列される場合がある。理解され得るように、ツール内にある間、ツール間で処理中の基板が実質的に同様の清浄度状態を保つように、ツール間で、基板はＳＭＦ、ＦＯＵＲ等のキャリア内に保持される。ツール間の連絡は、基板キャリアをＦＡＢ内の所望の処理ツールに搬送することができるハンドリングシステム（自動材料ハンドリングシステム（ＡＭＨＳ）等）によって提供されてもよい。ハンドリングシステムと処理ツールとの間の接合部分は、例示目的のために、一般的に２つの部分、キャリアを処理ツールの積載ステーションに積載／積卸するためのハンドリングシステムとツールとの間の接合部分と、キャリアと積載および積卸を可能にするツールまたはキャリアとツールとの間の基板との接合部分（すなわち、別個のまたはグループの）と、を有すると考えてもよい。処理ツールをキャリアおよび材料ハンドリングシステムに接合する数多くの従来の接合システムが既知である。従来の接合システムの多くは、基板を処理ツールに積載および積卸する際のコストを増加する、または効率の悪さの原因となるという望ましくない機構を有する、処理ツール接合部分、キャリアの接合部分、または材料ハンドリングシステム接合部分のうちの１つ以上をもたらす複雑性の問題がある。以下に、従来のシステムの問題を克服する例示的な実施形態をより詳細に記載する。
【０００３】
業界動向は、将来のＩＣデバイスが約４５ｎｍ以下の構造を有する可能性があることを示している。効率を向上し、作製コストを削減するために、この規模のＩＣデバイスは、可能な限り大きな半導体基板またはウェハを使用して製造されることが望ましい。従来のＦＡＢは、一般的に２００ｍｍまたは３００ｍｍのウェハを取り扱うことができる。業界動向は、将来的に、ＦＡＢが４５０ｍｍのウェハ等、３００ｍｍより大きいウェハを取り扱うことができることが望ましいことを示している。理解され得るように、より大きなウェハを使用することは、ウェハ当たりの処理時間が長くなるという結果となり得る。したがって、３００ｍｍ以上のウェハ等、より大きなウェハを採用する場合、ＦＡＢ内の仕掛品（ＷＩＰ）を削減するために、ウェハ処理に、より小さなロットサイズを用いることが望ましい場合がある。また、より小さなウェハロットサイズは、任意のサイズのウェハのロット処理、またはいかなる他の基板もしくは例えばフラットスクリーンディスプレイのフラットパネルを含むフラットパネルに特に望ましい場合がある。ＷＩＰの削減および効率を特徴とするロット処理は、それらを使用することによって実施可能となるが、ＦＡＢ内に小さな処理ロットを採用することは、従来のＦＡＢ処理量に悪影響を与える可能性がある。例えば、より小さなロットサイズは、より大きなロットサイズと比較した場合、任意の容量の搬送システム（ウェハロットを搬送する）の搬送システム負荷を増大する傾向がある。これを、図５１Ａに示されるグラフに図示する。図５１Ａのグラフは、多くの異なるＦＡＢ率（月当たり等の所望の期間毎に開始されるウェハとして示される、例えばＷＳＰＭ）に対するロットサイズと搬送速度との間の関係（１時間当たりの移動として示される）を図示している。また図５１Ａのグラフは、従来のＦＡＢハンドリングシステムの最大容量（例えば、１時間当たり約６０００〜７０００を移動する）を示す線を示す。したがって、ハンドリングシステム容量線とＦＡＢ率曲線との間の交点は、曲線が利用可能なロットサイズに対する表面を同定する。例えば、任意の従来の搬送システムで約２４，０００ＷＳＰＭのＦＡＢ率を達成するためには、最小ロットサイズは約１５ウェハである。より小さなウェハロットを使用すると、ＦＡＢ率が減少する。したがって、ＦＡＢ率に悪影響を与えることなく、１つと小さいウェハロットおよび所望の大きさの大きなウェハロットを使用できるように、ウェハキャリア、キャリアと処理ツールとの間の接合部分、およびキャリア搬送システム（ＦＡＢ内のツール間、ストレージ位置間等でキャリアを搬送する）が中に配置されるシステムを提供することが望ましい。
【例示的な実施形態の概要】
【０００４】
例示的な実施形態による、半導体部品を処理するための少なくとも１つの処理ツールと、少なくとも１つの処理ツールへ、およびそこから搬送するための少なくとも１つの半導体部品を内部に保持するためのコンテナと、伸長し進行方向を画定する第１の搬送セクションと、を備える半導体部品処理システム。第１の搬送セクションは、コンテナに接合するパーツを有し、コンテナを支持し、進行方向に沿って、少なくとも１つの処理ツールへ、およびそこから搬送する。コンテナは、第１の搬送セクションによって支持される際、進行方向に実質的に一定の速度で、実質的に連続的な搬送中である。第２の搬送セクションは、コンテナを、少なくとも１つの処理ツールへ、およびそこから搬送するための少なくとも１つのプロセスツールに接続される。第２の搬送セクションは、第１の搬送セクションから分離し別れ、コンテナを、第１の搬送セクションのパーツへ、およびそこから積載および積卸するための第１の搬送セクションに接合する。
【０００５】
別の例示的な実施形態による半導体部品処理システムを提供する。該システムは、半導体部品を処理するための少なくとも１つの処理ツールと、少なくとも１つの処理ツールへ、およびそこから搬送するための少なくとも１つの半導体部品を内部に保持するためのコンテナと、伸長し進行方向を画定する第１の搬送セクションと、を備える。第１の搬送セクションは、コンテナに接合するパーツを有し、コンテナを支持し、進行方向に沿って、少なくとも１つの処理ツールへ、およびそこから搬送する。該システムは、少なくとも１つの処理ツールに接続される第２の搬送セクションと、少なくとも１つの処理ツールと第１の搬送セクションとの間でコンテナに接合する第１の搬送セクションとを有する。第１の搬送セクションによって支持される際、コンテナは、実質的に一定の速度で、進行方向に進行する。コンテナの一定の進行速度は、第２の搬送セクションと少なくとも１つの処理ツールとの間の接合速度に実質的に無関係である。
【図面の簡単な説明】
【０００６】
本発明の前述の態様およびその他の機構を、添付の図面と関連して以下の説明に記載する。
【図１】例示的な実施形態による機構を組み込む部品キャリア、およびキャリア上に置かれた部品または基板Ｓの概略正面図である。
【図１Ａ−１Ｂ】それぞれ、別の例示的な実施形態によるキャリアの部品支持体の概略部分平面および正面図である。
【図２Ａ】図１のキャリアおよび別の例示的な実施形態によるツールポート接合部分の概略断面正面図である。
【図２Ｂ】別の例示的な実施形態によるツールポート接合部分およびキャリアの別の概略断面正面図である。
【図３Ａ−３Ｃ】それぞれ異なる位置から見た、別の例示的な実施形態によるツールポート接合部分およびキャリアを図示する概略断面正面図である。
【図４】さらに別の例示的な実施形態によるキャリアとツールの接合部分の概略正面図である。
【図４Ａ−４Ｃ】それぞれ、キャリアとツールとの間の接合部分の拡大断面図であって、それぞれに異なる例示的な実施形態による接合部分構成を図示する。
【図５Ａ−５Ｃ】さらに別の例示的な実施形態によるキャリアとツールの接合部分の概略部分正面図であり、それぞれ３つの位置のキャリアとツールの接合部分を示す。
【図６Ａ−６Ｂ】それぞれ、その他の異なる例示的な実施形態による部品キャリアの概略正面図である。
【図７Ａ−７Ｂ】別の例示的な実施形態による部品キャリアの概略正面図であり、それぞれ異なる位置にあるキャリアを示す。
【図８】別の例示的な実施形態によるツール接合部分およびキャリアの別の概略正面図である。
【図９】別の例示的な実施形態によるツール接合部分およびキャリアの別の概略正面図である。
【図１０】別の例示的な実施形態によるツール接合部分およびキャリアの別の概略正面図である。別の例示的な実施形態によるプロセスツールおよびそこに接合されたキャリアの概略部分正面図である。
【図１１】別の例示的な実施形態によるプロセスツールセクションおよびそこに接合されたキャリアの概略正面図である。
【図１２Ａ−１２Ｂ】図１１のキャリアのキャリア（部品移送）開口部およびキャリアドアの概略底面図である。
【図１３Ａ−１３Ｂ】接合部分の概略上面図であり、図１１のツールセクションのキャリアドア接合部分のツールである。
【図１４】さらに別の例示的な実施形態によるプロセスツールおよびそこに接合されたキャリアの概略正面図である。
【図１５】さらに別の例示的な実施形態によるツール接合部分およびキャリアの概略正面図である。
【図１６Ａ−１６Ｂ】それぞれ２つの異なる位置に示される、別の例示的な実施形態によるツール接合部分およびキャリアの概略正面図である。
【図１７】キャリアの概略側面図である。
【図１７Ａ−１７Ｃ】別の例示的な実施形態による、キャリアおよびツール接合部分のその他の概略正面図ならびにツール接合部分の平面図である。
【図１８−１９】別の例示的な実施形態によるツール接合部分およびキャリアの概略正面図である。
【図２０】別の例示的な実施形態による搬送システムの概略平面図である。
【図２０Ａ−２０Ｂ】図１０の搬送システムのトラック部分の概略部分平面図である。その他の例示的な実施形態による、ペイロードの異なる搬送システムの概略底面図である。
【図２１】別の例示的な実施形態による搬送システムの別の部分の概略部分平面図である。
【図２２−２４】その他の例示的な実施形態による搬送システムの一部分の他の概略部分平面図である。
【図２５Ａ−２５Ｂ】それぞれ、別の例示的な実施形態による搬送システムおよび処理ツールの異なる正面図を示す。
【図２６Ａ−２６Ｂ】それぞれ、別の例示的な実施形態による搬送システムとツールとの間でキャリアを移送するための移送接合システムの異なる概略正面図である。
【図２７】別の例示的な実施形態による搬送システムの概略部分正面図である。
【図２７Ａ−２７Ｂ】異なる位置にある搬送システムの他の概略部分正面図である；
【図２８】別の例示的な実施形態による搬送システムの別の概略正面図である。
【図２９Ａ−２９Ｂ】別の例示的な実施形態による搬送システムの概略平面図である。
【図２９Ｃ】別の例示的な実施形態による搬送システムおよび処理ツールの概略平面図である。
【図３０】図２９Ｃの搬送システムおよび処理ツールの概略部分正面図である。
【図３１】搬送システムの別の概略部分正面図である。
【図３２】別の例示的な実施形態による搬送システムの別の概略部分正面図である。
【図３３−３４】それぞれ、その他の例示的な実施形態による別の搬送システムの概略平面および正面図である。
【図３５】別の例示的な実施形態による搬送システムのさらに別の概略平面図である。
【図３６Ａ−３６Ｃ】それぞれ、別の例示的な実施形態による、搬送デバイスの底面傾斜図、平面図、および底平面図である。
【図３６Ｄ】別の例示的な実施形態による搬送デバイスの別の底平面図である。
【図３６Ｅ】コンプライント運動学的連結具の一部分の概略断面図である。
【図３７Ａ−３７Ｄ】それぞれ、例示的な実施形態による、ツール積載ステーションの斜視図、端部および側面正面図、ならびに上平面図である。
【図３７Ｅ】別の例示的な実施形態による別のツール積載ステーションの平面図である。
【図３７Ｆ】さらに別の例示的な実施形態による、さらに別のツール積載ステーションの平面図である。
【図３７Ｇ】さらに別の例示的な実施形態による、さらに別のツール積載ステーションの平面図である。
【図３８Ａ−３８Ｃ】異なる例示的な実施形態による、それぞれ図式的に異なるプロセスを図示するフローチャートである。
【図３９】は、別の例示的な実施形態によるツール積載ステーションの断面図である。
【図４０Ａ−４０Ｄ】異なるそれぞれの例示的な実施形態による基板支持体の概略断面図である。
【図４１−４１Ａ−４１Ｂ】それぞれ、さらに別の例示的な実施形態による処理システムの概略斜視図、端部正面図、および上平面図である。
【図４２】図４１のシステムのセクションの概略分解斜視図である。
【図４２Ａ−４２Ｂ】それぞれ、異なる位置での図４１の搬送システムの別のセクションとキャリアの概略部分斜視図である。
【図４２Ｃ−４２Ｄ】それぞれ、図４１の搬送システムのキャリアグリッパーセクションの概略斜視上面図である。
【図４３−４７】それぞれ、異なる例示的な実施形態によるシステムの異なる選択可能な配置を図示する概略図である。
【図４８】さらに別の例示的な実施形態によるシステムの概略正面図である。
【図４９】さらに別の例示的な実施形態によるシステムの概略部分斜視図である。
【図５０】別の例示的な実施形態による処理システムの別の概略平面図である。
【図５１】別の例示的な実施形態による搬送システムの概略平面図である。
【図５１Ａ】ロットサイズと搬送速度との間の関係を図示するグラフである。
【図５２−５２Ａ】それぞれ、その他の例示的な実施形態による搬送システムの一部分を示す概略部分平面図である。
【図５２Ｂ】別の例示的な実施形態による搬送システムの別の部分平面図である。
【図５３】図５１に示される搬送システムの運搬車の概略平面図である。
【図５４】さらに別の実施形態による搬送システムの概略端部正面図である。
【図５５】さらに別の例示的な実施形態による搬送システムの概略端部正面図である。
【図５５Ａ−５５Ｄ】それぞれ、搬送システムの概略部分側面斜視図、異なる位置にある搬送システムによって搬送されるキャリアを示す部分平面図、および搬送システムの接合部分の側正面図である。
【図５６−５６Ａ】それぞれ、さらに別の例示的な実施形態による搬送システムの概略平面図および端部正面図である。
【図５７】またさらに別の例示的な実施形態によるキャリアの概略正面図であり、図５７Ａは、キャリアドア接合部分の一部分の部分概略図である。
【図５８】別の例示的な実施形態によるキャリアのまた別の概略正面図である。
【図５９Ａ−５９Ｄ】それぞれ、異なるそれぞれの例示的な実施形態による積載ポート接合部分へのキャリアの概略断面図である。
【図６０−６２】３つの異なる位置のキャリアおよび積載ポートをそれぞれ示す、キャリアおよび積載ポートの部分断面図である。
【図６３】別の例示的な実施形態による積載ポート接合部分への別のキャリアの部分概略断面図である。
【図６４Ａ−Ｅ】異なるそれぞれの例示的な実施形態による積載ポート接合部分へのキャリアの概略断面図である。
【実施形態の詳細な説明】
【０００７】
さらに図１を参照すると、部品キャリア２００は、チャンバの外部雰囲気から隔離できる環境内で部品Ｓを運ぶことができるチャンバ２０２を画定する。図１に示されるキャリア２００の形状は、例示に過ぎず、別の実施形態では、キャリアはいかなる他の所望の形状を有してもよい。キャリア２００は、示されるように、キャリア内に部品Ｓを支持するためのカセット２１０をチャンバ内に収容することができる。一般的にカセット２１０は、支持体の列または積み重ねを提供するために上に部品支持棚２１０Ｖが施された細長い支持体２１０Ｓ（実施形態では、例えば２つが示される）、または示されるように１つ以上の部品が別々に支持される棚を有する。カセットは、以下により詳細に記載されるように、キャリア構造体に搭載されるか、または取り付けられてもよい。別の実施形態では、キャリアはカセットを有さなくてもよく、部品支持体は、一体型であるか、またはキャリア構造体との単一構造として形成されてもよい。部品は、３５０ｍｍ、３００ｍｍ、２００ｍｍ、もしくはあらゆる所望の寸法および形状の半導体ウェハ等のフラット／基板要素、またはディスプレイもしくはいかなる他の適した物品のためのレチクル／マスクあるいはフラットパネルとして示される。キャリアは、従来の１３または２５ウェハキャリアと比較して、低減されたまたは小さなロットサイズのキャリアであってもよい。キャリアは、部品がわずか１つの小さなロットを運ぶように構成されてもよく、または部品が１０未満の小さなロットを運ぶように構成されてもよい。キャリア２００と類似する低減容量キャリアの好適な実施例は、２００５年８月１９日に出願された米国特許出願シリアル番号第１１／２０７，２３１号、名称「Ｒｅｄｕｃｅｄ  Ｃａｐａｃｉｔｙ  キャリア  ａｎｄ  Ｍｅｔｈｏｄ  ｏｆ  Ｕｓｅ」に記載され、示されており、該文献は、参照することによりその全体が本明細書に組み込まれる。キャリア２００と類似するキャリアと処理ツール（例えば、半導体製作ツール、ストッカー、分類機等）との間の接合部分および搬送システムの好適な実施例は、２００５年８月２３日に出願された米国特許出願シリアル番号第１１／２１０，９１８号、名称「Ｅｌｅｖａｔｏｒ  Ｂａｓｅｓ  ツール  Ｌｏａｄｉｎｇ  ａｎｄ  Ｂｕｆｆｅｒｉｎｇ  Ｓｙｓｔｅｍ」、および２００５年８月２４日に出願されたシリアル番号第１１／２１１，２３６号、名称「Ｔｒａｎｓｐｏｒｔａｔｉｏｎ  Ｓｙｓｔｅｍ」、に記載され、示されており、該両方の文献は、参照することによりその全体が本明細書に組み込まれる。キャリア２００と類似する機構を有するキャリアの他の好適な実施例は、２００３年１０月３０日に出願された米国特許出願シリアル番号第１０／６９７，５２８号、名称「Ａｕｔｏｍａｔｅｄ  Ｍａｔｅｒｉａｌ  Ｈａｎｄｌｉｎｇ  Ｓｙｓｔｅｍ」に記載され、示されており、該文献は、参照することによりその全体が本明細書に組み込まれる。理解され得るように、より小さなロットを形成する部品は、より大きなロットで起こり得るようにその他の部品の処理が完了するのを待つことなく、後続の作業台に即座に（任意の作業台での処理の完了を受けて）搬送されるため、キャリア２００と類似するサ���ズを縮小したキャリアは、ＦＡＢ内の仕掛品を減少できる。例示的な実施形態の機構は、小容量キャリアを具体的に参照しながら記載され、示されるが、例示的な実施形態の機構は、１３もしくは２５、またはその他の任意の所望の数の部品を中に収容できるキャリア等、いかなる他の適したキャリアにも同様に適用される。
【０００８】
さらに図１を参照すると、例示的な実施形態では、キャリア２００は、部品を垂直（すなわちＺ軸）積み重ねで保持するように形状化されてもよい。キャリア２００は、底面もしくは上面開口型または底面および上面開口型キャリアであってもよい。示される例示的な実施形態では、上面および底面は、垂直線またはＺ軸に沿って配置されるが、別の実施形態では、上面および底面は、その他の軸のいずれかに沿って配向されてもよい。以下により詳細に記載される上面および底面開口部は、キャリアの開口部２０４（部品Ｓは、チャンバ２０２に出し入れされるが、キャリアによって画定される）は、キャリア内に保持される部品の平面とほぼ一直線に並ぶ（本実施形態では、Ｚ軸と実質的に直交する）ことを意味する。以下に示されるように、一般的にキャリア２００は、基部および閉締可能または取り外し可能なドアを有するケーシング２１２を有する。閉締される場合、ドアは、基部に固定され、封止されてもよい。ドアと基部との間の封止は、チャンバ２０２を外部雰囲気から隔離できるようにしてもよい。隔離されたチャンバ２０２は、清浄な空気、不活性ガス等のいずれかの所望の隔離された雰囲気を保持してもよく、または真空を保つことができてもよい。ドアは、キャリアから部品を積載／積卸できるように開口されてもよい。例示的な実施形態では、ドアとは、キャリアが開口され、その中の部品支持棚にアクセスする際に、取り外し可能または取り外される部分を意味する。図１に示される例示的な実施形態では、一般的にケーシング２００は、中に部品を受け取ることができる、概して陥凹したまたは中空の部分（以下、シェルと称される）２１４、および壁（キャップ／カバー等）２１６を有する。以下に記載されるように、壁２１６またはシェル２１４の全体は、キャリアドアとして動作してもよい。壁およびシェルは、キャリアを閉締するために結合され、キャリアを開口するために分離される。例示的な実施形態では、シェルおよび壁は、いずれかの適したプロセスで作製されたアルミニウム合金またはステンレススチール等の金属であってもよい。壁またはシェルもしくは両方は、一体部材（単一構造）であってもよい。別の実施形態では、キャリアケーシングは、適した非金属を含むいずれかの他の適した材料で作製されてもよい。カセット２１０は、壁２１６に搭載されてもよいが、別の実施形態では、カセットは、シェルに搭載されてもよい。シェルまたはドアのいずれかへのカセットの搭載は、ドアが開口される際に、キャリアから中のカセットまたは基板を取り出す容易性を助長するように選択されてもよい。示される実施形態では、壁２１６に、シェルの上面上に位置するが、別の実施形態では、キャリアケーシングは、上面上にシェルを有し、底面上に壁を有する構成を有していてもよい。さらに他の実施形態では、シェルは、上面および底面の両方の上に取り外し可能な壁を有してもよい（すなわち上面および底面開口部を有するキャリア）。その他の別の実施形態では、取り外し可能な壁は、キャリアの横方向に置かれてもよい。例示的な実施形態では、ドアは、受動的な構成要素（例えば、以下にさらに記載されるように、ドアとキャリアとの間およびドアとツール接合部分との間の閉締ならびに開口するパーツまたは構成要素の移動が実質的にない）であってもよい。
【０００９】
ここで、図２Ａを参照すると、適した処理ツールのツールポート接合部分２０１０に置かれるキャリア２００が示されている。処理ツールは、いかなる所望の種類、例えば分類機、ストッカー、または物質堆積、リソグラフィ、マスキング、エッチング、研磨、メトロロジ等のプロセスを１つ以上実行できるツール、もしくはロードロック等のプロセスモジュールまたはチャンバを１つ以上有するツールであってもよい。処理ツールは、少なくとも部分的に制御雰囲気を有し、ツール接合部分２０１０が、ツールまたはキャリア２００内の制御雰囲気に影響を与えることなく、ツールとキャリア２００との間で部品の積載／積卸ができるようにしてもよい。例示的な実施形態では、一般的にポート接合部分２０１０は、それを通して基板を処理ツールに積載することができるポートまたは開口部２０１２、およびポートを閉締するドア、カバー、または取り外し可能部分２０１４を有してもよい。別の実施形態では、取り外し可能部分は、部分的に開口部を閉締してもよい。図２Ａでは、ポートドア２０１４は、例示目的のために、閉締した位置および開口された位置で示される。図２Ａに示される実施形態では、キャリア２００は、以下に示されるように、ツールポート２０１２を有する接合部分の下側に積載されてもよい（すなわちＺ方向に移動される）。図２Ａはキャリア２００のドアとして動作する上面壁２１６を示す。例えば、壁２１６は、ポートドア２０１４に接続され、ポートドアの取り外しと同時に、ツールポート接合部分を開口するために、例えばツール内に移動されてもよい。壁２１６を取り外すことにより、カセット（そこに搭載される）およびその上の部品がキャリアから移動される（部品搬送機／ロボットによるアクセスのために）。再び図１を参照すると、向き合う支持体２１０Ｓを有するカセット２１０の構成は、カセットの２つ以上の側面（例示的な実施形態では２つの側面）上にアクセスエリア２１０Ａ、２１０Ｂを提供し、部品ロボット（図２Ａも参照）がカセット棚上に部品を積載／積卸してもよい。別の実施形態では、キャリアは、いかなる所望の数の部品アクセスエリアを有してもよい。アクセスエリアは、キャリアの周辺の周囲に対称に配列されてもよく、または非対称な構成で配置されてもよい。図２Ａに示される例示的な実施形態では、ツールは、例えば２つ以上のアクセスエリア２１０Ａ、２１０Ｂ内の部品Ｖにアクセスするために、部品ハンドリングロボット２０１６Ａ、２０１６Ｂを２つ以上有してもよい。別の実施形態では、ツールは、より多いまたはより少ない部品搬送ロボットを有してもよい。カセットへの多方面ロボットアクセスにより、カセットでのロボット間の部品の手渡しを可能にしてもよい。また、部品への多方面ロボットアクセスは、キャリアがツールポートに搬送されるまたは接合される際の配向を定める。したがって、キャリア２００は、ツール接合部分に対して１つ以上の配向でツール接合部分に結合されてもよい。キャリアは、ポートドアをその閉締位置に戻すことによって閉締され、これは、キャリアの壁２１６をシェル２１４に結合するように戻す。
【００１０】
図２Ｂを参照すると、別の例示的な実施形態による、キャリア２００とツールポート接合部分２０１０’との接合部分が示されている。本実施形態では、キャリアのシェル２１４は、ドアとして動作してもよい。示される実施形態では、ツールポートドア２０１４’は、シェルの外側の汚染物質にツールの内部が曝露されることを防ぐために、シェルの周囲を包囲し、封止するように、キャリアシェルに対してほぼ等角な形状を有していてもよい。例示的な実施形態では、キャリア２００は、キャリアが搬送システムのオーバーヘッドから下げられている場合等、上側に積載されてもよい（すなわち（−）Ｚ方向に沿って下方に移動される）。キャリア２００を開口するには、キャリアからシェル２１４を取り外すと同時に、ポートドアを例えばツールの内部に下方（（−）Ｚ方向）に移動する。ここではキャリアドア（すなわちシェル２１４）は、底面上に位置し、下方移動によってキャリアを開口することから、これは、キャリアの底面開口型と称される場合がある。キャリアの開口は、壁２１６に留まるカセット内の部品を露出させる。本実施形態では、ロボット（図２Ａのロボット２０１６Ａ、２０１６Ｂと同様の）は、垂直方向に離間するカセット棚またはその中の部品にアクセスするために、Ｚ軸における自由度を有して提供されてもよい。ロボットは、その上にマッパー（図示せず）を有してもよい。別の実施形態では、シェル２１６は、通過ビームマッパーにより、シェルの取り外しを受けてカセットをマッピングできるようにするような統合マッパーを有してもよい。図２Ａ〜２Ｂは、上面および底面開口型であってもよいキャリア２００を図示する。その他の別の実施形態では、シェルと壁の配向が反転されてもよく（壁の上面上のシェル）、キャリアは、図２Ｂと類似するが鏡像である上面開口型（すなわちシェルを上げる）、および図２Ａと同様な方法だが、反対である底面開口型（すなわち壁を下げる）であってもよい。
【００１１】
再び図１を参照すると、前述されたように、壁２１６およびシェル２１４は、作動することによってツールまたはコンテナ内の清浄な空間を汚染する可能性がある固定具等の移動可能な要素のない受動的な構造であってもよい。例えば、壁およびシェルは、磁気で互いに固定されてもよい。例えば磁気固定具は、永久または電磁石要素２２６、２２８またはこれらの組み合わせを有してもよく、所望により、壁およびシェルを固定するために、壁２１６およびシェル２１４に置かれてもよい。磁気固定具は、例えば、可逆の要素を電荷が通過することによって、切り替えられる（すなわち、開口するまたは閉締するために）可逆の磁気要素を有してもよい。例えば、壁２１６は、磁気要素２２８（例えば鉄鋼材）を含んでもよく、シェル２１４は、壁とシェルを固定するために作動される磁気スイッチ要素２２６を含んでもよい。図２Ａ、２Ｂに示される例示的な実施形態では、壁内の磁気要素およびシェル内の動作可能な磁石は、キャリアドア（壁またはシェルのいずれか、図２Ａ〜２Ｂを参照）をポートドアに固定することにより、キャリアドアがキャリアの残りの部分から解放されるように、ポートドア接合部分２０１０、２０１０’内の磁気固定具２０２８’、２０２６’と連動できるように構成されてもよい。別の実施形態では、壁とシェルとの間の磁気固定具は、いかなる他の所望の構成を有してもよい。図２３に示される例示的な実施形態では、キャリアは、作動ピン、圧力連結具、またはポート接合部分上の結合連結機構２０３０と嵌合する形状記憶装置等の機械的連結要素２３０を含み、キャリアをポート接合部分に連結してもよい。例示的な実施形態では、デバイスは、壁部分に位置するように示されるが、別の実施形態では、デバイスは、シェルに固定されてもよい。図２４から理解され得るように、作動可能なデバイスは、取り外し可能な壁部分とポートドアとの間の封止された接合部分内に封入され、デバイスが動作することによってその中に生じる場合がある潜在的微粒子を閉じ込めてもよい。受動的なキャリアおよびキャリアドアは、真空適合型である、清浄で洗浄可能なキャリアを提供する。
【００１２】
前述したように、キャリアドアおよび基部（すなわち壁２１６およびシェル２２４）は、キャリアチャンバ２０２を隔離するために封止されてもよい。また、キャリアがツールのポートと接合される場合（例えば積載ポートモジュール）、キャリアドアおよび基部のそれぞれは、キャリアドア（すなわち、図１の壁２１６またはシェル２１４）をポートドアに、およびキャリアの基部をポートにそれぞれ封止するために、封止接合部分を有してもよい。さらにポートドアは、ポートとの封止接合部分を有してもよい。
【００１３】
図３Ａ〜３Ｃは、封止接合部分（２２１’：キャリアドアとキャリア、２２２’：キャリアとポート、２２３’：ポートドアとポート、および２２４’：ポートドアとキャリアドア）のそれぞれが、便宜上、略Ｘ構造（図３Ｂに最もよく見られる）と称される場合がある一体封止２２２’を形成する例示的な実施形態による、キャリア２００と類似し、ツールポート２２２０に接合されている、キャリア２００’を示す。示される例示的な実施形態では、キャリアの封止接合部分は、例示目的のために上面開口部に示されるが、キャリアが複数の開口部（図１に示される開口部２０４と類似する）（例えば、上面および底面）を有する別の実施形態では、それぞれの開口部に封止接合部分が提供されてもよい。理解され得るように、略Ｘ構造は、封止接合部分表面の略描写のためだけのものであり、別の実施形態では、封止接合部分表面は、例えば封止接合部分表面が湾曲している、いかなる適した配置であってもよい。略Ｘ形状の封止構造は、接合部分間に閉じ込められる容量が実質的にゼロ（０）である、複数の封止接合部分（例えば、２２１’〜２２２’）を画定する。したがって、いずれの封止された接合部分の開口は、汚染物質が封止接合部分の開口により開かれる空間に解放されるという結果をもたらさない。さらに、その他の別の実施形態では、封止は、いずれの所望の配向（例えば略＋パターンで水平または垂直に配向されている封止接合部分）を有してもよい。例示的な実施形態では、例示目的のためにキャリア２００’は、上面開口型として図示され（壁２１６’は、図２Ａに図示される実施形態と同様に上方に持ち上げることによって開口されるドアである）、ポート２２２０は、底面積載（ツールポートをドックするためにリフタがキャリア２２０’を上方に持ち上げる）するように構成される。本実施形態では、シェル２１４’は、封止接合部分２１４Ｉ’、および一様に勾配のついた封止面２２１Ｃ’、２２２Ｃ’を有してもよい。シェル上の封止面２２２Ｃ’、２２１Ｃ’は、実質的に平坦に示されるが、別の実施形態では、表面は一様に傾斜しているが、略Ｘ形状の封止構造を生じるために、封止を向上するための包括的または排他的角度もしくはその他の形状が封止面に形成されてもよい。本実施形態では、キャリアの壁２１６’は、一般的に封止面２２１ＣＤ’および２２４ＣＤ’を画定するように配向される（図３Ａに示される例示的な実施形態では、勾配をつけて）封止接合部分２１６Ｉ’を有する。図３Ａに見られるように、シェルおよび壁の封止面２２１Ｃ’、２２１ＣＤ’のそれぞれは、壁およびシェルが閉締される際に、封止接合部分２２１’をほぼ補完的に画定する。キャリアの接合部分２１４’上の面２２１Ｃ’は、シェル上に位置する場合、壁２１６’にガイドを提供する略Ｖ字型を形成する（例えば図３Ｃ参照）。また、例示的な実施形態では、キャリアの封止接合部分２２１’のキャリアドアは、壁２１６’の重量が接合部分上の封止圧力を向上するように作用するように置かれてもよい。理解され得るように、本実施形態における壁２１６’で支持されるカセットおよび部品は、キャリアドアとキャリアの封止を助長する。図３Ａ〜３Ｂに見られるように、封止面２２２Ｃ’および２２４ＣＤ’は、ポート２２２０およびポートドア２２１４上のそれぞれの封止面２２２Ｐ’、２２４ＰＤ’を補完するために配置される。図３Ｂは、ポート２２２０にドックされ、封止２２１’、２２４’が閉締されたキャリア２００’を示す。封止２２２’、２２４’の閉締は、ツールおよびキャリアの内部／チャンバが汚染される可能性から、すべての露出される表面（すなわちキャリアまたはツール内側の制御されたもしくは隔離されたチャンバの外側の表面）を封止し、隔離する。図３Ｂに最もよく見られるように、概してＸ形状の封止２２０’は、実質的に接合部分の容量損失ゼロと称される場合がある封止を形成することから、最適な清浄度を提供する。前述したように、これは、キャリアドアまたはポートドアのいずれかが開口される際に、封止２２０’の封止形状が露出される外側表面を有する実質的なポケットまたは空間を生成しない（すなわち内部表面となる）ことを意味する。これは図３Ｃに最もよく見られるが、ポートドア２２１４の取り外し、したがってキャリアのドア２１６’の取り外しは、未封止／外部表面のいずれもキャリア／プロセスツールの内部に露出しない。
【００１４】
図３Ｃに示されるように、本実施形態では、キャリアドアの上面開口により、結果としてキャリアのチャンバ２０２’は、壁２１６’で保持される、上げられたカセットの下に置かれる。キャリアのチャンバ２０２’は、強制空気循環システム（図示せず）を有する場合があるツールの内部と連通してもよく、これによってキャリアのチャンバ内に一般的なベンチュリ流が生じてもよい。本実施形態では、キャリアのチャンバ内の循環空気流は、上げられたカセット（壁２１６’からぶら下がる）上の部品の下に位置し、循環により乱された微粒子が堆積する可能性は最小である（上記部品から離れて落ち着く）。図３Ａ〜３Ｃに示される例示的な実施形態では、キャリア２００’は、適した持ち上げ装置ＬＤでポート２２２０に接合し、ドックするために、上げられてもよい。キャリアおよび持ち上げ装置上に適した登録機構ＬＤＲが提供され、キャリアを該装置上に置き、したがってポートに関連してキャリアを置いてもよい。別の実施形態では、キャリアは、いずれかの適した方法でポートに保持されてもよい。キャリアドア２１６’は、磁気固定、機械的連結（例えばドア間の封止される接合部分に置かれる）またはドア間の封止される接合部分に生成される真空吸引によってポートドア２２１４に固定されてもよい。ポートドア２２１４は、所望のマッピングセンサ（図示せず）を通してカセット（図１のカセット２１０と類似する）をインデクシングすることができる、適したデバイスによって開口／閉締される。
【００１５】
ここで、図４を参照すると、別の例示的な実施形態によるキャリア３００が示されており、キャリア３００は、概してキャリア２００と類似するが反対であり、壁３１６の上面上にシェル３１４を有する。キャリア２００と同様に、キャリア３００は、上面開口型（シェルがドアとして動作する）または底面開口型（壁がドアとして動作する）のいずれかであってよい。示される例示的な実施形態では、キャリア３００は、一体型搬送機構成要素３００Ｍを有してもよい。例えば、キャリアのシェル（または壁）３１４、３１６は、ローラーまたは空気ベアリング、および駆動部またはモータによって駆動され得る反応部材等の搬送機起動支持体を有してもよく、これによってＦＡＢ内のキャリアを自己搬送可能（すなわち独立した搬送運搬車を使用することなく）にしてもよい。図４は、例示目的のために積載ポート３０１０（概して前述されたポート２０１０に類似する）に置かれたキャリア３００を図示する。示される例示的な実施形態では、キャリア３００は、ポート接合部分上に上面積載されてもよい。キャリアドア３１６は、ポートドア３０１４に合わせてまたは隣接して（接合部分を形成するように）置かれてもよく、シェル３１４は、ポート３０１２と接合してもよい。また、キャリア３００とポートの接合部分は、図３Ｂに示される略Ｘ封止２２０’と類似する、３、４、または５方向“交差”型（または容量損失なし）封止を有してもよい。図４Ａは、一実施形態による、封止３２０の断面図を示す。例示的な実施形態では、封止３２０は、底面開口型構造の４方向封止であってもよいが、その他の点では、封止２２０’と概して類似する。
【００１６】
図４Ｂは、別の例示的な実施形態による、キャリアとポートとの間の接合部分の別の断面、およびその間の封止を示す。本実施形態では、封止３２０’は、実質的に封止３２０と類似する。図４Ｂは、シェルの接合部分３１４Ｉ’が支持フランジ／機構３２６’、３２８’を有し得ることをさらに示す。本実施形態では、フランジ３２６’は、壁３１６’を操作してもよく、例えば、フランジがキャリアドアの一部分に重なり合い（示される実施形態では、機構はドア接触面を画定するが、別の実施形態では、機構はドアと接触しなくてもよい）、キャリアドアが閉締される場合に壁３１６’をシェル３１４’に保持するための磁気固定具３２６Ｍ’を位置付けてもよい。さらに、機構３２６’は、ポートドア３０１４内の磁気固定具３０４０’に重なり合ってもよい。ポートドア内の磁気固定具３０４０’は、キャリアドアを取り外すために、壁３１６’をポートドア３０１４’に固定するように動作してもよい。キャリアのシェルの機構３２６’を置くことによって、ポートドア固定具３０４０’（壁３１６’をポートドアに固定する）を有効化され、例えばほぼ同時に壁３１６’のシェル３１４’への固定を、固定解除／無効化してもよい。反対に、ポートドア３０１４’の閉締を受けて、ポートドア固定具３０４０’の固定解除／無効化により、壁３１６’とシェル３１４’との間の磁気ラッチ３２６Ｍ’が固定されるようにしてもよい。例示的な実施形態では、シェル上の外部機構３２８’は、置かれる際に、キャリアを位置付けるためにポート３０１０’の位置付け／センタリング機構３０１２Ｃ’と嵌合してもよい。図４Ｂに図示される外部機構３２８’の形状は、例示に過ぎず、別の実施形態では、キャリアは、いかなる所望の位置付け機構を有してもよい。前述されたように、封止３２０’のＸ構造は、封止接合部分のパージ容量は実質的にゼロであるため、キャリアドアを開口する前に封止接合部分をパージしなくてもよい。別の実施形態（例えば図４Ｂを参照）では、ポートは、パージライン３０１０Ａを含んでもよい。パージライン３０１０Ａは、いかなる封止接合部分の上またはその間にあってもよい。図４Ｃは、別の例示的な実施形態による、キャリアとツールポートの接合部分の別の断面を示す。キャリアとポートの接合部分は、前述された封止３２０と概して類似する封止３２０’’を有する。本実施形態では、キャリアのシェル３１４’’は、ポートドア３０１４’’を積載することなくキャリア３００’’をポート上に置く（すなわち、キャリアの重量をポートドア３０１４’’上に分散することなく、キャリア３００’’をポート上に支持する）ために、キャリアドア（壁）３１６’’を有する支持体３２８’’を有してもよい。ポートドアでのキャリアドア封止３２１’’との封止接触は、キャリアドアを開口および閉締する際、依然としてほぼ一定である。
【００１７】
図５Ａ〜５Ｃは、別の例示的な実施形態による、ツールポートと結合された、キャリア３００と類似するキャリア３００Ａを図示する。本実施形態ではキャリア３００Ａは、上面開口型であり、底面積載されてもよい（図５Ａの矢印＋ｚで示される方向）。キャリアのシェル３１６Ａは、キャリアドアとして動作してもよい。図５Ｂに最もよく見られる封止接合部分３２０Ａは、３方向封止（パージまたは損失容量がほぼゼロであり、前述された封止３２０、２２０と類似する）と称される場合がある略Ｙ構造（壁とシェルの接合部分３２１Ａ、壁とポートの接合部分３２２Ａ、ポート３０１２Ａとポートドア３０１４Ａの接合部分３２３Ａ）である。本実施形態では、ポートドア３０１４Ａは、シェル３１６Ａに対してほぼ等角であってもよい。例えば、シェル３１６Ａは、ポートドア３０１４Ａに取り付けられてもよい。例示的な実施形態では、シェル３１６Ａおよびポートドア３０１４Ａは、その間の接合部分の容量が最小化されるように嵌め込まれ、置かれる。封止（図示せず）は、間の接合部分を封止するために、シェル３１６Ａとポートドアとの間に提供されてもよい。図５Ｂに見られるように、本実施形態では３０１４Ａであるポートドアは、ポートドアとキャリアドアの接合部分容量をパージするために真空ポート３０１０Ｖを有してもよい。
【００１８】
再び図２Ａ〜２Ｂを参照すると、さらに他の例示的構成による、キャリアとポートの接合部分が示されている。接合部分２２０、２２０’は、図２Ａ、２Ｂに示される例示的な実施形態とほぼ類似する（それぞれ、底面積載／上面開口型、上面積載／底面開口型）。封止接合部分２２０、２２０’は略「交差」またはＸ構造（壁２１６とシェル２１４の接合部分２２１、シェル２１４とポートの接合部分２２２、ポート２０１２とポートドア２０１４の接合部分２２３、およびポートドアと壁２１６の接合部分２２４）を有する４方向封止であってもよい。図２Ａに見られるように、本実施形態では、封止接合部分２２２、２２４は、接合面の相対運動（キャリアを積載中、およびポートドアの閉締中）に対してほぼ平行な方向に（例えば垂直に）置かれてもよい。すなわち、キャリアまたはキャリアドアの閉締位置への移動は、封止閉締を生成しない。本実施形態では、封止接合部分２２２、２２４を形成する面の１つ以上は、封止接合部分で実質的な摩擦接触なく封止セクションを作動し、封止接合部を閉締するために、例えば、可膨張式封止、圧力作動封止、または形状記憶部材等の作動可能な封止とともに提供されてもよい。記載される封止構造は、例示に過ぎない。
【００１９】
再び図１を参照すると、キャリアのシェル２１４は、キャリアをハンドリングするために外部支持体２４０を有してもよい。支持体２４０は、例えばハンドルとして示されるが、いかなる適した形状を有してもよい。例示的な実施形態では、支持体２４０は、キャリアのハンドリング安定性を最適化するために、所望するだけ離れたシェルの反対側に設置されてもよい。別の実施形態では、より多い、またはより少ない支持体が提供されてもよい。ここで、図６Ａを参照すると、キャリアのシェル２２０Ａは、シェルの底面に隣接して位置するせん孔したまたは陥凹した部材、薄膜もしくはフィルタ２６０Ａを有して示されている。部材中のせん孔または陥凹部は、キャリアドアが開口される際にシェル内に引き起こされるベンチュリまたは渦流の強度を軽減するまたは低減するような寸法および形状である。別の実施形態では、ベンチュリまたは渦流の軽減要素は、キャリア内のいかなる他の適した場所に設置されてもよい。キャリア２００Ａは、例示目的のために、底面上にシェルを有して示されるが、別の実施形態では、キャリアは上面上にあってもよい。実質的に滑らか／層流を部品上に維持することを助長するために、さらなる流れ矯正空間および／またはベーン（図示せず）がツールの内部に提供されてもよい。図６Ｂは、別の例示的な実施形態によるキャリア２００Ｂを示す。キャリア２００Ｂは、チャンバ内の部品を異なる温度、次いで周囲温度に維持するために、熱調整器２５０を有してもよい。例えば、キャリアのシェルまたは壁２１４Ｂ、２１６Ｂは、部品を周囲より高い温度に加熱する／上昇するために、例えばカセット支持体を介して熱的に部品に接続される熱電モジュールを有してもよい。周囲より高い部品温度は、粒子を駆動し、熱泳動によって部品から水分子が離れ、部品がキャリアの外にある場合、またはキャリアドアが開口されている場合の汚染を防ぐ。別の実施形態では、マイクロ波エネルギー等のいずれかの他の所望の熱調整器が使用されてもよい。その他の別の実施形態では、水分子および微粒子による汚染を防ぐために、それぞれの部品の周りに静電界を生成してもよい。
【００２０】
ここで、図１Ａ〜１Ｂを参照すると、例示的な実施形態では、カセット２１０（図１も参照）には、棚に３６０°の陽性保持で部品を支持するために、棚２１０Ｖが取り付けられていてもよい。それぞれの棚２１０Ｖは、１つ以上の棚席または支持体２１０Ｃによって形成されてもよい。図１Ａに見られるように、例示的な実施形態では、カセット棚支持体２１０Ｃは、支持体が部品をほぼまたぐように設置されてもよい。それぞれの棚２１０Ｖは、棚に置かれた部品に対する周囲制限を形成するために、膨らんだ表面を有してもよい。膨らんだ表面には、部品Ｓを置くための位置付けガイド２１０Ｌを形成するために、傾いていてもよい（垂直線に対して）。棚２１０Ｖの部品が置かれる表面に傾斜をつけ（部品の底面に対、部品の底面に対して例えば約１°の傾斜角を形成するように）、例えば周囲除外領域内で部品の底面と確実に接触するようにしてもよい。別の実施形態では、部品棚は、受動的な部品抑制を画定するいかなる適した構成を有してもよい。その他の別の実施形態では、棚は、受動的な部品抑制を有さなくてもよい。
【００２１】
ここで、図７Ａ〜７Ｂを参照すると、別の例示的な実施形態による、図１に示されるキャリア２００と類似する、閉締および開口位置にあるキャリア２００Ｃがそれぞれ示されている。本実施形態では、カセット２１０Ｂは、高さを変えることができる。キャリア２００Ｂが閉締している場合、カセット２１０Ｂは、最小の高さであってもよく、キャリアドア（例えば壁２１６Ｂ）が開口している場合、カセットは最大の高さまで伸張されてもよい。カセットが最小の高さから最大の高さに伸張する場合、カセットの部品／棚間の傾斜が増加し、したがってアクセスされる場合のキャリアの高さが最小となり、部品間の空間が最大となるようにすることができる。本実施形態では、カセットの支持体２１０ＳＢは、略ベローズ構造を有してもよい。支持体は、例えばアルミニウムシート、またはいずれかの他の適した材料（例えば形状記憶材料）から作製されてもよく、連接接合部なく、十分な柔軟性を与える。示されるように、カセットの支持体は、キャリアの壁２１６Ｂの上面で支持されてもよい。キャリアの上面開口（図７Ｂに示されるように壁２１６Ｂを取り外す）または底面開口（図２Ｂに示されるものと同様にシェル２１４Ｂを取り外す）は、カセット（ベローズ）支持体２１０ＳＢを重力下で拡大する。カセットのベローズは、キャリアドアを閉締することによって圧縮される。図７Ｃに見られるように、ベローズ２１０ＳＢは、上に部品が乗る部品支持体２１０ＶＢを有してもよい。例示的な実施形態では、部品支持体２１０ＶＢは、ベローズが拡大する／潰れる際に、ベローズの隣接部分２１０ＰＢに対してほぼ一定の半径位置に留まる（したがって部品と部品席との間の相対的半径が移動するのを避ける）ように、成型されてもよい。理解され得るように、ベローズカセットは、カセット内の部品がベローズの隣接するプリーツセクション２１０ＰＢ間に能動的にクランプされるように、潰されてもよい。理解され得るように、上側クランプ部分は、部品の周辺端部に沿って部品と接触してもよい。図７Ｂに見られるように、例示的な実施形態では、カセットが伸張される場合に部品Ｓの位置を判断するために、通過ビームマッパー２０６０Ｂ、もしくはツールまたはキャリア内の他の適したデバイスが提供されてもよい。また部品ロボット（図示せず）は、部品を掴むための適切な位置決めを保証するために、部品の近接を検出するためのセンサを有してもよい。
【００２２】
前述したように、受動的なキャリアドアおよび封止を有するキャリアは、ロードロック等の真空可能チャンバへの直接接合に適している。図８は、別の例示的な実施形態による、真空可能チャンバ（簡便のためにロードロックと称される）４００のポートの接合部分４０１０に直接結合されるキャリア２００’（上面開口型）を示す。図８に示されるキャリア２００’は、前述されたキャリア２００、３００と概して類似する。例示的な実施形態では、ロードロックは、ポートドア４０１４を開口／閉締し、したがってキャリアドア（本実施形態では上面壁２１６’）を開口／閉締し、カセット２１０’を上げる／下げるように動作するインデクサ４１０を有する。例示的な実施形態では、インデクサ４１０は、Ｚ方向高さが低いまたは最小のロードロックチャンバを提供するように構成されてもよい。例えば、インデクサ４１０は、ロードロックチャンバ４００Ｃの外側に置かれ、チャンバおよびロードロックの全体の高さを減少するようにロードロックチャンバに沿って配置されてもよい。例示的な実施形態では、インデクサ４１０は、駆動セクション４１２および連結セクション４１４を有してもよい。示される実施形態では、駆動セクション４１２は、例えばシャトル４１６を上げる／下げるためのモータ駆動ベルトまたはネジ駆動を有する電気機械駆動システムを有してもよい。例示的な実施形態では、連結セクション４１４は、駆動セクション上のシャトル４１６をポートドア４０１４に連結する磁気連結具であってもよい。ポートドアは、例えば磁石（永久または電磁石）またはその上に位置する磁性体であってもよく、磁気連結具４１４の内側部分４１４Ｉを形成する。また、ドア４０１４の磁石部分４１４Ｉは、ポートドアをポートフレーム４０１２に固定してもよい。例えば、ポートフレーム４０１２は、ポートドア上の磁石部分／磁石４１４Ｉとともに動作し、ドアが閉締位置にある場合にドアとポートを固定するように配置される適した磁石（図２Ｂの磁石２０２８’と類似する）を有してもよい。例示的な実施形態では、ポートフレーム内の磁気固定要素は、ドア４０１４上の磁気連結部分４１４Ｉとともに動作してもよい。別の実施形態では、ドアと駆動部との間の磁気連結具およびドアとフレームとの間の磁気固定具は、任意の適した構成を有してもよい。図８に見られるように、チャンバの壁４００Ｗは、駆動セクション４１２をチャンバ４００Ｃの内側から隔離する。その他の例示的な実施形態（図１８〜１９も参照）では、駆動セクション４１２’は、ポートドア４０１４’の反応部分４１４Ｉ’で動作し、ポートドアを移動するリニアモータ（例えば線形誘導モータ、ＬＩＭ）であってもよい。ＬＩＭは、チャンバの壁の外側に位置し、チャンバの内側から隔離されてもよい。図１８〜１９に示される例示的な実施形態では、駆動部は、チャンバへの電力が停止した場合に、ポートドア４０１４’を開口位置に保持するためのフェ−ルセーフ固定具を形成する磁性体セクション４１２２’、または永久磁石を含んでもよい。別の実施形態では、ポートドアを閉締位置に下げるための所望の制御を可能にするために、適した緩衝装置が駆動部に接続されてもよい。図８および１８〜１９から理解され得るように、例示的な実施形態では、ポートドアとポートフレームとの間の封止は、ドアの重量が接合部分の封止を助長するように位置される。
【００２３】
また、図８に示される例示的な実施形態では、磁気連結具のそれぞれのセクション４１４Ｉは、ポートドア４０１４およびキャリアドア２１６’を互いに固定してもよい。例えば、キャリアドアは、ポートおよびキャリアドアを互いに固定するように作動される際に、連結セクション４１４Ｉ（例えば可変磁場を有する電磁石、または磁石を含んでもよい）と連動するように置かれる、適した磁石（例えば永久磁石）または磁性体２２８’を含んでもよい。例示的な実施形態では、ポートドアの運動は、同様にチャンバから隔離されるガイドによって誘導されてもよい。例えば、示される実施形態では、ベローズ４００Ｂは、ポートドアとチャンバの壁を接続し、ポートドアの移動ガイド４００６をチャンバから隔離する。本実施形態では、一般的にガイドは、テレスコーピングセクションを有する。テレスコーピングガイドは、例示目的のために中空円筒型テレスコーピングセクションから作製されるように示されるが、別の実施形態では、任意の適した構成を有してもよい。その他の別の実施形態では、インデクサは、その他のあらゆる所望の構成を有してもよい。例えば、ポートドアへの機械的誘導なく、ポートドアの制御移動を可能にする、参照することによりその全体が本明細書に組み込まれる２００３年７月２２日に出願された米国特許出願第１０／６２４、９８７号に開示されるもの等、適したインデクシングモータがチャンバの壁内に位置してもよいが、チャンバの内側から隔離される。ベローズ４００Ｂは、ポートドアの閉締を助長するために、加圧型であってもよい。また、ベローズは、ポートドアに接続される真空ライン、および電力／信号ライン等のアンビリカルシステムを収容してもよい。例示的な実施形態では、ポートドアは、以下にさらに記載されるように、チャンバのポンプダウンポートを形成する真空源に接続されるポートＰＤ１０を有してもよい。
【００２４】
ここで、図９を参照すると、別の例示的な実施形態による、真空チャンバ４００’上のキャリア３００’が示されている。示される例示的な実施形態では、キャリア３００’は、底面開口型キャリア（例えば前述されたキャリア３００と類似する、図３も参照）であってもよい。例示的な実施形態では、ポートドア４０１４’は、開口される際、チャンバ内に下げられてもよい。インデクサ（図示せず）は、図８、１８〜１９に示されるものと類似するが、ポートドアを下方に移動するように配置される。チャンバおよびポートドアは、閉締位置にあるドアをチャンバフレームに固定するために、磁気固定具４０２８’、４０２６’を有してもよい。例示的な実施形態では、ポートフレームは、１つ以上のコイル要素４０２８’（磁気固定具のフレームの側部と称される場合があるものを画定する）を有してもよい。コイル要素４０２８’は、所望の位置に置いてもよく、ドア固定具構成要素４０２６’上で作用する磁場を生成してもよい。ドア上の磁気固定具構成要素４０２６’は永久磁石であっても磁性体であってもよい。例示的な実施形態では、コイル要素４０２８’は、例示目的のためにチャンバ内に位置するように示される。別の実施形態では、コイル要素は、外側に位置してもよい。チャンバの壁は、チャンバの内側から隔離される。コイル要素は、フレームに対して固定または静止されてもよい。磁場強度は、磁気固定具内の磁力を低減し、ポートドアの移動を容易にするために、所望により低減されてもよい。別の実施形態では、コイル要素は、可動式であってもよく、例えば駆動システムのシャトルに搭載され、ポートドアとインデクサとの間の磁気連結具の一部を形成してもよい。別の実施形態では、磁気固定具は、前述されたキャリアドアとキャリアを固定するためのものと類似していてもよい。また、フレームに磁気固定するポートドア４０１４’上の永久磁石または磁性体４０２６’は、図８に示されるものと同様にインデクサとの連結具を提供してもよい。また、図９に示される実施形態のチャンバも、図８に示されるものと類似するベローズおよびポートドアガイドを有してもよい。ベローズは、特にキャリアドアおよびカセットがポートドア上に置かれる場合、ポートドアの持ち上げを助長し、閉締位置に維持するために、加圧型であってもよい。別の実施形態では、チャンバは、中にポートドアガイドのないベローズを有してもよい。真空器は、ポートドアとキャリアドアの接合部分を通してチャンバをポンプダウンするように、ポートドアに接続されてもよい。したがって、図８に示される例示的な実施形態のように、例示的な実施形態では、チャンバポンプダウンポートは、ポートドア内に置かれてもよい。
【００２５】
再び図８を参照すると、例示的な実施形態では、ロードロックチャンバのポンプダウンは、例えばチャンバポートに接合されるキャリアおよびインデクサ４１０によって閉締位置から移動されるポートドアとともに機能してもよい。図８から理解され得るように、例示的な実施形態では、ポートドア内の真空ポートＰＤ１０を介するロードロックチャンバのポンプダウンは、キャリアドア２１６’とポートドア４０１４の接合部分を通過してもよい。キャリアドアとポートドアの接合部分を通るチャンバ／キャリアガスの吸引流は、接合部分に負の圧力を生成し、汚染物質がチャンバ内に不慮に逃げ込むのを防ぐ。図１０は、別の例示的な実施形態による、ポートドア５０１４を通るロードロックチャンバのポンプダウンを図示する。本実施形態では、ポートドアとキャリアドアの空間５４３０、およびキャリアのチャンバ２０２のパージは、ロードロックチャンバのポンプダウンの前に行われてもよい。例えば、パージガスは、真空を適用し、ポートドアとポートの封止５２２３に亀裂を入れる（または適した弁調整）ことによって、空間５４３０に導入されてもよい。キャリア２００は、キャリアドア２１６に亀裂を入れてロードロックチャンバ５４００のガスがキャリアに入れるようにすることによって、またはこの場合もやはり適した弁調整によって、パージされてもよい。例えば、所望のガス種をキャリア２００に導入するために、チャンバ（図１０のファントム内に示される）からのガス供給がキャリアに提供されてもよい。ポートドアおよびキャリアドアが開口位置に移動されたロードロックチャンバ５４００およびキャリア２００を図示する図１０Ａに見られるように、ロードロックチャンバ５４００は、ロードロックチャンバを通気するために、所望によりロードロックの壁に配置される通気口（またはガス種供給）５４４０を有してもよい。したがって、例示的な実施形態では、パージラインは、パージングに使用されてもよく、チャンバの通気は、キャリアドアとポートドアの接合部分から独立して実行されてもよい。
【００２６】
図１１は、キャリアドア３１６Ａおよびポートドア６４１４のそれぞれが、キャリアドアとキャリア３１４０、およびポートドアとポート６４１２またはチャンバ６４００Ｄをそれぞれ固定する機械的「フェ−ルセーフ」固定具を有する、例示的な実施形態を図示する。キャリア３１４Ｄ、キャリアドア３１６Ｄ、ポート６４１２、およびポートドア６４１４は、受動的（連接固定パーツがない）であってもよい。本実施形態では、インデクサは、ポートドアおよびキャリアドア上の固定タブを嵌合／解放するために、ポートドアのＺ軸インデクシングおよびポートドアの回転（例えばＺ軸の周囲で）の両方を行うことができてもよい。別の実施形態では、ポートドアのＺ軸移動および回転は、異なる駆動軸を介して提供されてもよい。図１２Ａ〜１２Ｂは、キャリアのシェル３１４Ｄおよびキャリアドア３１６Ｄの底面図をそれぞれ示す。図１３Ａ〜１３Ｂは、（ロードロック）チャンバ６４００およびポートドア６４１４内のポート６４１２の上平面図をそれぞれ示す。例示的な実施形態では、キャリアのシェルの下面は、キャリアドア３１６Ｄ上の嵌合面３６２Ｄによって嵌合される嵌合タブ／表面３６０Ｄを有する。理解され得るように、嵌合面３６０Ｄ、３６２Ｄ間の嵌合／解放は、キャリア３１４Ｄに対するキャリアドアの回転によって成立してもよい。キャリアドアの回転は、以下に記載されるように、ポートドア６４１４によって与えられる。別の実施形態では、ドアとキャリアとの間の嵌合面は、いかなる所望の構成を有してもよい。キャリアドア３１６Ｄは、キャリアドア６４１４Ｔ上のトルク連結部材を補う雄／雌トルク連結機構３６５Ｄを有してもよい。示される例示的な実施形態では、ポート６４１２およびポートドア６４１４は、概してキャリアおよびキャリアドアの嵌合機能と類似するインターロッキングまたは嵌合面を有してもよい。図１３Ａ、１３Ｂに最もよく見られるように、ポートは、嵌合面６４６０（例えば内側に突き出る）を有してもよく、ポートドア６４１４は、ポート表面６４６０に重なり、それと嵌合するために、補完嵌合面６４６２を有してもよい。理解され得るように、例示的な実施形態では、キャリア上の嵌合面３６００、３６２０、およびポート上の嵌合面６４６０、６４６２は、互いに関連して位置し、ポートドアが回転される際に、キャリアとキャリアドアおよびポートとポートドアとの間の嵌合／解放を同時に行えるようにする。
【００２７】
図１４は、ロードロックチャンバ４００Ｅ、インデクサ６４１０Ｅ、およびキャリア３００Ｅを図示する。例示的な実施形態では、インデクサは、ロードロックチャンバと直列に実質的に軸方向に位置されてもよい。ポッド２００、３００、３０００と同様に、図４に示される例示的な実施形態では、ポッド３００Ｅは、前述されたものと類似する機構を有する、真空適合型の上面または底面開口ポッドであってもよい。チャンバ６４００Ｅは、前述されたチャンバと類似してもよい。図１５は、低減ポンプダウン容量構成を有するロードロックチャンバおよびキャリア３００Ｆを示す。示される例示的な実施形態では、キャリアドア３１６Ｆは、キャリアのシェル３１４Ｆを封止する上面３５０Ｆおよび底面３２１Ｆドアを有してもよい。底面封止３２７０Ｆ（例えば、封止２２１と類似する）は、キャリアドアが閉締される際、図１５に示されるように、シェル３１４Ｆと嵌合する。上面封止３５０Ｆは、キャリアドアが開口される際、キャリアのシェルを封止する（例えば、封止３５０Ｆは、キャリアシート表面３５１Ｆに置かれ、それを封止してもよい）。上面封止３５０Ｆは、キャリアのチャンバをロードロックチャンバから隔離し、したがってポンプでロードロックチャンバを真空にする際のポンプダウン容量を減少する。
【００２８】
図１６Ａ〜１６Ｂは、別の例示的な実施形態による、ドック位置および非ドック位置のキャリア３００Ｇおよびロードロックチャンバ６４００Ｇをそれぞれ示す。キャリア３００Ｇは、底面壁３１６Ｇ、環状セクション３１４Ｇ、および上面壁３１４ＰＤを有する。本実施形態では、環状セクション３１４Ｇまたはその１つ以上の部分は、キャリアドアとして動作してもよい。上面および底面壁３１６Ｇ、３１４ＰＤは、互いに固定されてもよく、ドアを画定する可動式セクション３１４Ｇは、上面および底面壁３１６Ｇ、３１４ＰＤをそれぞれ封止するための封止３５０Ｇ、３２１Ｇを上面および底面の両方に有してもよい。ロードロックチャンバ６４００Ｇは、開口ポート６４０２Ｇを有してもよく、図１６Ｂに見られるように、キャリア３００Ｇは、そこを通ってロードロックチャンバに置かれてもよい。ロードロックチャンバ６４００Ｇは、キャリアへのアクセスを開くためにキャリアドア３１４Ｇを下げるための陥凹部６４７０Ｇを有してもよい。キャリアの上面壁３１４ＰＤは、ロードロックチャンバポートを封止し、それによってロードロックチャンバを封止し、チャンバをポンプダウンできるようにしてもよい。キャリアドア３１４Ｇを上げる／下げるために、適したエレベータが提供されてもよい。図１７〜１７Ｃは、別の例示的な実施形態による、別の上面封止キャリア３００Ｈおよびロードロックチャンバ６４００Ｈを示す。キャリア３００Ｈは、上面封止フランジ３１４Ｈおよび側面開口部３０４Ｈ（部品を積載／積卸するキャリア端部に沿って）を有してもよい。例示的な実施形態では、キャリア上面封止フランジ３１４Ｈは、図１７Ｂに最もよく示されるように、チャンバポートの縁６４１２Ｈに置かれ、それを封止する。キャリアドア３１４ＤＲは、図１７の矢印０で示される、放射線状に外側に向かう回転運動によって開口されてもよい。キャリア開口部は、ロードロックチャンバ内のスロット弁と並んで配置される。ロードロックチャンバを参照して例示的な実施形態が記載されてきたが、記載される機構は、図１８に示されるように、積載ポートチャンバに対しても同等に適用される。積載ポートチャンバの内部は、制御雰囲気を有する場合があるが、分離不可能である場合がある。
【００２９】
図２９Ａおよび２９Ｂを参照すると、別の例示的な実施形態による、自動材料ハンドリングシステム１０、１０’の概略平面図が示されている。例えば図２９Ａおよび２９Ｂに示される自動材料ハンドリングシステム１０、１０’は、一般的に、１つ以上のイントラベイ搬送システムのセクション１５、１つ以上のインターベイ搬送システムのセクション２０、ベイ待ち行列セクション３５、搬送サイディングまたはシャントセクション２５、および部品キャリアまたは搬送機を含む。イントラベイおよびインターベイという用語は、便宜上使用され、搬送システム１０１１０’の配置を制限するものではない（本明細書で使用される場合、インターは、概して多数のグループにわたり延在するセクションを指し、イントラは、概して例えばグループ内に延在するセクションを指す）。搬送システムのセクション１５、２０、２５、３５は、互いにネスト化されてもよく（すなわち別の搬送ループ内の１つの搬送ループ）、一般的に、例えば、２００ｍｍのウェハ、３００ｍｍのウェハ、フラットディスプレイパネル、および類似アイテム等の半導体部品の高速移動、ならびに／または例えば処理設備内の処理ベイ４５および関連処理ツール３０へ、およびそこからのそれらのキャリアの高速移送を可能にするように配置される。別の実施形態では、適した材料が自動材料ハンドリングシステムで運搬されてもよい。搬送システム１０は、部品をある搬送セクションからいずれかの別の搬送セクションに向かせることもできる。インターベイおよびイントラベイの分岐を有する、部品を搬送するための自動材料ハンドリングシステの一実施例は、参照することによりその全体が本明細書に前述のように組み込まれる、名称が「Ａｕｔｏｍａｔｅｄ  Ｍａｔｅｒｉａｌ  Ｈａｎｄｌｉｎｇ  Ｓｙｓｔｅｍ」であり、シリアル番号第１０／６９７，５２８号の米国特許出願に見られる。
【００３０】
図２９Ａおよび２９Ｂに示される自動材料ハンドリングシステム１０、１０’の構成は、代表的な構成であり、自動材料ハンドリングシステム１０、１０’は、処理設備内の処理ベイおよび／または処理ツールのいかなる所望のレイアウトにも対応するために、いかなる適した構成で配置されてもよい。図２９Ａに見られるように、例示的な実施形態では、インターベイ搬送セクション１５は、１つ以上の側面に位置し、いかなる数の搬送セクション２０によって互いに接続され、例えば１つ以上の処理ベイ４５に対応してもよい。別の実施形態では、外側または側面搬送セクションは、イントラベイセクションであってもよく、その間を縦走するセクションは、イントラベイセクションをベイ内の処理ツールのグループまたはアレイにリンクしてもよい。例示的な実施形態では、また図２９Ａのインターベイ搬送セクション１５は、クロスシャント５０によって接続されてもよく、これは、処理または加工ベイ４５を通過することなく、部品搬送機が直接インターベイ搬送セクション１５間を移動できるようにする。さらに他の別の実施形態では、搬送セクション１５は、追加のイントラベイ搬送セクション（図示せず）によって互いに接続されてもよい。その他の例示的な実施形態では、図２９Ｂに示されるように、インターベイ搬送セクション１５は、いかなる数の処理ベイ４５間に位置してもよく、したがって、分岐セクション間に、ベイまたはツールのグループ４５としての役割をする、例えば概して中央の小島または搬送中央経路を形成してもよい。その他の別の実施形態では、イントラベイ搬送セクションは、周囲に境界線を形成し、いかなる数の処理ベイ４５を取り囲んでもよい。さらに他の別の実施形態では、図２９Ａおよび２９Ｂに示されるようなシステム１０または１０’等のシステムをＮ個等、いかなる数のネスト化されたループセクションが存在しもよく、それぞれのインターベイ搬送セクション１５を直接接続する搬送セクションによってほぼ平行に接続されてもよい。さらに他の別の実施形態では、搬送セクション１５、２０、および処理ツールは、いかなる適した構成を有してもよい。さらに、いかなる数のイントラベイ／インターベイシステムがいかなる適した構成でともに結合され、ネスト化された処理アレイを形成してもよい。
【００３１】
例えば、インターベイ搬送セクション１５は、いかなる適した部品搬送機の移動を提供するモジュラートラックシステムであってもよい。トラックシステムのそれぞれのモジュールは、適した結合手段（例えばインターロッキングファセット、機械的ファスナー）とともに提供され、モジュールが、イントラベイ搬送セクション１５の取り付け中に互いの端部と端部を結合できるようにしてもよい。レールモジュールは、取り付け中のハンドリングおよび構成の柔軟性のために、数フィート等のいかなる適した長さ、または直線または曲線等のいかなる適した形状で提供されてもよい。トラックシステムは、下から部品搬送機を支持してもよく、または別の実施形態では、トラックシステムは、吊るされたトラックシステムであってもよい。部品搬送機がローラー上で大幅な抵抗を受けることなくトラックに沿って移動できるようにするために、トラックシステムは、ローラーベアリングまたはいずれかの他の適したベアリング面を有してもよい。部品コンテナがトラックに沿って移動する際にさらなる方向安定性を提供するために、ローラーベアリングが先細になっていてもよく、またはタックが曲線の内側もしくはトラックの角に向かって角度が付いていてもよい。
【００３２】
イントラベイ搬送セクション１５は、コンベヤ系搬送システム、ケーブルおよび滑車または鎖およびスプロケット系搬送システム、車輪駆動システム、もしくは磁気誘導系搬送システムであってもよい。搬送システムを駆動するために使用されるモータは、イントラベイ搬送セクション１５に沿って部品コンテナを移動することができ、無限に進行する、いかなる適したリニアモータであってもよい。リニアモータは、移動パーツのない、ソリッドステートのモータであってもよい。例えば、リニアモータは、ブラシ付またはブラシレスＡＣもしくはＤＣモータ、線形誘導モータ、あるいは線形ステッパーモータであってもよい。リニアモータは、イントラベイ搬送セクション１５または部品搬送機、もしくはコンテナ自体に組み込まれてもよい。別の実施形態では、イントラベイ搬送システムを通る部品搬送機を駆動するために、いかなる適した駆動手段が組み込まれてもよい。さらに他の別の実施形態では、イントラベイ搬送システムは、トラックのない車輪付自立型搬送運搬車の通路であってもよい。
【００３３】
以下に記載されるように、一般的にイントラベイ搬送セクション１５は、待ち行列セクションおよびシャントを使用することによって、部品搬送機がイントラベイ搬送セクション１５の通路に沿って途切れることなく高速に移動するまたは流れることを可能にする。これは、搬送コンテナが追加されるまたは搬送ラインから取り外される際に、材料の流れを停止しなければならない従来の搬送システムと比較し、非常に有利である。
【００３４】
前述されたように、例示的な実施形態では、イントラベイ搬送セクション２０は、処理または加工ベイ４５を画定してもよく、待ち行列セクション３５を通ってインターベイ搬送セクション１５に接続されてもよい。待ち行列セクション３５は、例えばインターベイまたはイントラベイ搬送セクション１５、２０のいずれかの側面に位置し、インターベイ搬送セクション１５に沿った材料の流れまたはイントラベイ搬送セクション２０に沿った材料の流れのいずれも停止もしくは減速することなく、部品または部品コンテナがイントラベイ搬送セクション２０に入る／から出ることができるようにしてもよい。例示的な実施形態では、待ち行列セクション３５は、搬送セクション１５、２０からの不連続なセクションとして概略的に示される。別の実施形態では、待ち行列セクション、または搬送セクション１５、２０間の待ち行列通路は、搬送セクションと一体化して形成されてもよいが、搬送セクション間の搬送通路に不連続な待ち行列を画定する。別の実施形態では、待ち行列は、所望により、インターベイおよびイントラベイセクションに置かれてもよい。進行レーンおよびアクセスまたは待ち行列レーンを有し、進行レーンに障害を与えることなく、進行レーン内外に選択的にアクセスできるようにする搬送システムの一実施例は、名称「Ｔｒａｎｓｐｏｒｔａｔｉｏｎ  Ｓｙｓｔｅｍ」、シリアル番号第１１／２１１，２３６号の米国特許出願に記載され、その全体は、参照することより本明細書に前述のように組み込まれている。イントラベイ搬送セクション２０および待ち行列セクション３５は、上記のインターベイ搬送セクション１５で記載されたものとほぼ類似するトラックシステムを有してもよい。別の実施形態では、イントラおよびインター搬送セクションを結ぶイントラベイ搬送セクションならびに待ち行列セクションは、いかなる適した構成、形状または形態を有してもよく、いかなる適した方法で駆動されてもよい。図２９Ａに最もよく見られるように、例示的な実施形態では、待ち行列セクション３５は、イントラベイおよびインターベイ搬送セクション２０、１５の移動方向Ｒ１、Ｒ２に対応する投入セクション３５Ａならびに取出セクション３５Ｂを有してもよい。例示目的のために使用される本明細書の慣習上、セクション３５Ａをセクション２０への投入口（セクション１５から出る）として定義し、セクション３５Ｂをセクション２０（セクション１５への投入口）からの出口／取出口として定義する。別の実施形態では、所望により、待ち行列セクションの進行方向が確立されてもよい。以下に、より詳細に記載されるように、部品コンテナは、投入セクション３５Ａを介してインターベイ搬送セクション１５から出て、取出セクション３５Ｂを介してインターベイ搬送セクション１５へ入ってもよい。待ち行列セクション３５は、搬送セクション１５、２０内外での部品搬送機の出入を可能にする、いかなる適した長さであってもよい。
【００３５】
イントラベイ搬送セクション２０は、いかなる数のプロセスツール３０と搬送システム１０、１０’を接続する通路または経路内に延在してもよい。また、イントラベイ搬送セクション２０は、図２９Ａに示され、上記に記載されるように、２つ以上のインターベイ搬送セクション１５を互いに接続してもよい。イントラベイ搬送セクション２０は、閉締されたループ形状を有するように図２９Ａおよび２９Ｂに示されるが、しかしながら、別の実施形態では、それらはいかなる適した構成または形状を有してもよく、いかなる製作設備配置にも適用可能であり得る。例示的な実施形態では、イントラベイ搬送セクション２０は、待ち行列セクション３５と類似してもよい搬送サイディングまたはシャント２５によってプロセスツール３０に接続されてもよい。別の実施形態では、シャントは、同様な方法でインターベイ搬送セクションに提供されてもよい。シャント２５は、部品搬送機を効率的に「オフライン」にし、例えば、図２９Ａに見られるようなインターベイ搬送セクション２０の進行方向Ｒ２に対応する投入セクション２５Ａおよび取出セクション２５Ｂを有する。シャント２５は、イントラベイ搬送セクション２０上の部品搬送機の実質的に等速な流れをほぼ遮断することなく、投入および取出セクション２５Ａ、２５Ｂを通って部品搬送機がイントラベイ搬送セクション２０を出る、およびそこに入ることを可能にする。シャント２５内にある間、部品コンテナは、例えば、プロセスツールステーション３０の位置に対応するツール接合ステーションで停止し、例えば、装置の前工程モジュール、分類機、またはいずれかの他の適した移送ロボット等のいかなる適した移送手段によって、またはそれを介して部品および／またはコンテナ自体が処理ツール積載ポートまたはいずれかの他の適した部品ステージングエリアに移送されてもよい。別の実施形態では、部品搬送機は、任意の搬送セクションの搬送機の並べ替え（例えば入れ替え）を行うために、所望のシャントに向けられてもよい。
【００３６】
異なるセクション１５、２０、２５、３５から、およびその間での部品キャリアまたは搬送機の交換は、コントローラ（図示せず）に接続された誘導システム（図示せず）によって制御されてもよい。誘導システムは、セクション１５、２０、２５、３５に沿って移動する搬送機の位置を明確にする位置付けデバイスを含んでもよい。位置付けデバイスは、セクション１５、２０、２５、３５に沿って、またはそれにわたり延在する光学、磁気、バーコード、または基準ストリップ等の連続または分散デバイス等、いかなる適した種類であってもよい。分散デバイスは、コントローラが搬送機の運動状態の確認に加え、セクション１５、２０、２５、３５上の搬送機の位置を定めることができるようにするために、搬送機に設置される適した読み取りデバイスによって読まれる、または調べられてもよい。あるいは、デバイスは、位置／運動を識別するために、搬送機、部品キャリア、または部品上のＲＦＩＤ（高周波認識デバイス：ｒａｐｉｄ  ｆｒｅｑｕｅｎｃｙ  ｉｄｅｎｔｉｆｉｃａｔｉｏｎ  ｄｅｖｉｃｅ）等の感知アイテムを感知および／または調べてもよい。また、位置付けデバイスは、移動する搬送機の位置を感知することができる分散デバイス、別個の位置付けデバイス（例えばレーザー測距デバイス、超音波測距デバイス、または内部ＧＰＳと同種の内部位置付けシステム、もしくは内部逆ＧＰＳ）の単体、またはこれらの組み合わせを含んでもよい。コントローラは、搬送機からの位置フィードバック情報と誘導システムからの情報を組み合わせ、セクション１５、２０、２５、３５に沿う、またはその間の搬送機の搬送経路を確立し、維持してもよい。
【００３７】
別の実施形態では、誘導システムは、溝、レール、トラック、または部品搬送機の機械的誘導機能と連動するための構造的または機械的誘導表面を形成するいずれかの他の適した構造体を含む、もしくは有してもよい。さらに他の別の実施形態では、またセクション１５、２０、２５、３５は、部品搬送機に電子誘導を提供する印刷ストリップまたは導線（例えば、搬送機の適した誘導システムによって検出される適した電磁信号を送信する送電線）等の送電線を含んでもよい。
【００３８】
さらに図２９Ａおよび２９Ｂを参照すると、搬送システム１０、１０’の例示的な動作が記載されている。例えばシャント２５内に置かれた部品コンテナは、搬送システム１０、１０’に入ってもよい。実質的に途切れのない、概して等速で進行するイントラベイ搬送セクション２０の流れを維持するために、部品コンテナは、シャント２５を介してインターベイ搬送セクション２０にアクセスしてもよい。部品搬送機は、搬送機がイントラベイ搬送セクション２０内の材料の流れと同一速度で進行するように、シャント２５内で加速する。シャント２５は、部品搬送機が加速できるようにし、したがって、流れを妨げる、またはインターベイ搬送セクション２０内を進行するいずれかの他の搬送機と衝突することなく、搬送機がイントラベイ搬送セクション２０の流れに合流することができる。イントラベイ搬送セクション２０との合流において、部品搬送機は、いずれかの他の部品キャリアまたは搬送機と衝突することなく、またはイントラベイセクションを縦走する搬送機の速度を減速させることなく、イントラベイ搬送セクションの流れに自由に入れるように、適した運転間隔だけシャント２５内で待機してもよい。部品搬送機は、実質的に等速でイントラベイ搬送セクション２０（例えば）に沿って稼動し続け、優先権を持って取出待ち行列エリアまたはセクション３５Ｂ、例えばインターベイセクション１５にスウィッチする。一実施形態では、取出待ち行列セクション３５Ｂ内にスペースが無い場合、搬送機は、取出待ち行列セクション３５Ｂが使用可能になるまで、優先権を持ってイントラベイ搬送セクション２０の周囲を進行し続けてもよい。別の実施形態では、例えば、搬送セクションのループ全体を進行することなく迂回されたステーションに戻るために、搬送セクションの対向する進行通路を接続するためにクロスシャントが提供され、搬送機が搬送通路間を行き来できるようにしてもよい。搬送機は、取出待ち行列セクション３５Ｂのベイで適した運転間隔だけ待機し、次いで加速し、上記に記載されるイントラベイ搬送セクション２０の合流と実質的に同様な方法でインターベイ搬送セクション１５の概して連続的かつ等速な流れに合流してもよい。搬送機は、例えば概して連続的な速度でインターベイ搬送セクション１５に沿って続き、所望のイントラベイセクション２０に入るために、繋がった待ち行列投入セクション３５Ａに移ってもよい。一実施形態では、投入待ち行列セクション３５Ａ内にスペースがない場合、搬送機は、前述されたものと同様な方法で、投入待ち行列セクション３５Ａが使用可能になるまで、イントラベイ搬送セクション１５の周囲を進行し続けてもよい。搬送機は、投入待ち行列セクション３５Ａで適した運転間隔だけ待機し、第２のイントラベイ搬送セクション２０に合流するために加速してもよく、この場合もやはり第２のイントラベイ搬送セクション２０は、連続的な等速の流れを有する。搬送機は、第２のイントラベイ搬送セクション２０から搬送機がプロセスツール３０と接合する搬送シャント２５に移される。シャント２５内の他の搬送機により、シャント２５に搬送機のためのスペースがない場合、搬送機は、シャント２５が使用可能になるまで、優先権を持ってイントラベイ搬送セクション２０の周囲に沿って進行し続けてもよい。インターベイ搬送セクション１５およびイントラベイ搬送セクション２０内の材料の流れには実質的に途切れがなく、概して等速で進行するため、システムは、処理ベイと処理ツールとの間の部品搬送機の高処理量を維持することができる。
【００３９】
図２９Ａに示される例示的な実施形態では、搬送機は、待ち行列セクション３５、処理ツール、イントラベイ搬送セクション２０、またはインターベイ搬送セクション１５を互いに直接接続することができるエクステンション４０を介して、処理ベイ間を直接進行してもよい。例えば、図２９Ａおよび２９Ｂに示されるように、エクステンション４０は、待ち行列セクション３５をともに接続する。別の実施形態では、エクステンション４０は、シャント２５と同様にそれぞれのツールの搬送シャントを接続することによって、ある処理ツールから別の処理ツールへのアクセスを提供してもよい。さらに他の別の実施形態では、エクステンションは、自動材料ハンドリングシステムの要素のいかなる数またはいかなる組み合わせをもともに直接接続し、短いアクセスルートを提供してもよい。より大きなネスト化されたネットワークでは、エクステンション４０によって搬送機の目的地間の通路がより短くなるため、搬送機の進行時間を削減し、さらにシステムの生産性を向上する可能性がある。
【００４０】
さらに他の別の実施形態では、自動材料ハンドリングシステム１０、１０’の流れは、２方向であってもよい。搬送セクション１５、２０、２５、３５、４０、５０は、それぞれが対向する方向に移動する、対向する進行レーンの周囲をループし、接続する出口ランプおよび入口ランプを有する、並んだ平行レーンを有してもよい。搬送セクションのそれぞれの平行レーンは、任意の進行方向専用であってもよく、個々の平行レーンのそれぞれの進行が搬送積載条件に適合するために、それぞれの平行レーンが搬送アルゴリズムにしたがって反転されるように、別々にまたは同時に切り替えられてもよい。例えば、搬送セクション１５、２０、２５、３５、４０、５０の平行レーンに沿う材料の流れまたは搬送は、それらの別個の方向に流れてもよい。しかしながら、後に、いくつかの部品搬送機が設備内に位置し、現行の流れ方向に対向する方向のこれらの平行レーンに沿って動くためにより効率的な位置に向かい、次いで平行レーンの進行方向が反転される場合があることが予測される。
【００４１】
別の実施形態では、２方向進行レーンが積み重ねられて置かれてもよい（すなわち片方がもう一方の上にある）。プロセスツールと搬送シャント２５との間の接合部分は、例えば、時計回りの材料の流れを有するシャントが反時計回りの材料の流れの上に位置するような場合にシャントからプロセスツールの積載ポートに搬送機を上げるまたは下げるために、エレベータ型構成を有してもよい。別の実施形態では、２方向シャントおよびその他の搬送セクションは、いかなる適した構成を有してもよい。
【００４２】
図２０は、別の例示的な実施形態による、ツールステーション間でキャリアを搬送するための搬送システムの搬送システムトラック５００の部分を示す。トラックは、参照することにより前述のように組み込まれる米国特許出願シリアル番号第１０／６９７，５２８号に記載されるものと類似する、ソリッドステートのコンベヤシステムを有してもよい。トラックは、キャリアのシェル／ケーシングと一体の反応部分と連動する静止フォーサーセグメントを有してもよい。その結果キャリアは、コンベヤによって直接搬送されてもよい。示される搬送システム５００は、非同期搬送システム内にあり、キャリアの搬送機は、その中で搬送システム上の他のキャリアの動きから実質的に分断される。トラックシステムは、その他のキャリアの動きが任意のキャリアの搬送速度に影響を与える決定的因子を削除するように構成される。コンベヤのトラック５００は、主搬送通路上の搬送機を妨害することなくルーティング変更および／またはツールステーション（緩衝装置、ストッカー等）と接合するために、主搬送通路から離れてキャリアを送るオン／オフ分岐通路（図２９７〜２９８も参照）を有する主搬送通路を採用する。分岐オン／オフ通路を有する搬送システムの適した実施例は、参照することにより前述のように組み込まれる米国特許出願シリアル番号第１１／２１１，２３６号に開示される。本実施形態では、セグメント５００Ａ、Ｃ、Ｄは、Ａ１−Ｄリニアモータのための巻線セットを有し、主進行通路５００Ｍ（これは、図２０Ａに示される）に沿って移動してもよい。セグメント５００Ｂは、アクセス通路５００Ｓと称される場合がある通路へのオフ／出口として、例えば図２０に示される。このセグメント内のフォーサーの巻線は、主通路５００Ｍに沿った運動、および望ましい場合は、通路５００Ｓ（図２０Ｂ参照）に沿ったキャリアの移動の両方を可能にするために、実際の二次元平面モータを提供するように配置される。モータコントローラは、参照することによりその全体が本明細書に組み込まれる、２００５年７月１１日に出願された米国特許出願シリアル番号第１１／１７８，６１５号に記載される分散制御構造と類似する、領域型コントローラであってもよい。本実施形態では、駆動部／モータは、領域型であり、領域間で適切な引渡しを行う領域コントローラによって効率的に制御されてもよい。コンベヤ５００は、移動可能にキャリアを支持するために、適したベアリングを有してもよい。例えば、セグメント５００Ａ、５００Ｃ、および５００Ｄでは、ベアリング（例えばローラー、ボール）は、通路５００Ｍに沿ったキャリアの１度の移動自由度を許容してもよい。
【００４３】
セグメント５００Ｂ内のベアリングは、キャリアの２度の移動自由度を許容してもよい。その他の実施形態では、ベアリングは、キャリア上に提供されてもよい。さらに他の実施形態では、空気ベアリングは、トラック上のキャリアを移動可能に支持するために使用されてもよい。通路５００Ｍ間のキャリアの誘導および通路５００Ｓへの方向は、図２０Ｂに示されるようなキャリア上の可動または連接車輪、トラック上の連接ガイドレール、または磁気操縦等の適した誘導システムによってもたらされてもよい。
【００４４】
図２０Ａは、システム５００の例示的な搬送要素５００Ａを図示する。示される例示的な実施形態は、シングル進行レーンまたは通路（例えば通路５００Ｍ）を有するセグメントを図示する。図２０Ａに見られるように、例示的な実施形態では、セグメントは、搬送機上の起動支持体のためのリニアモータ部分またはフォーサー５０２Ａおよび支持表面５０４（Ａ）を有する。前述されたように、別の実施形態では、搬送セグメントは、いかなる他の所望の構成を有してもよい。例示的な実施形態では、ガイドレール５０６Ａは、搬送機を誘導するために使用されてもよい。別の実施形態では、搬送セグメントは、搬送機を誘導するレールの代わりに、磁石または磁気ベアリングを有してもよい。キャリア上の電磁石は、キャリアをトラックから分断するのを助長するために使用されてもよい。図２０Ｂは、別の例示的な実施形態による、搬送システム５００の別の搬送セグメントを図示する。セグメント５００Ａ’は、複数の進行レーン（例えば図２０に示されるセグメント５００Ｂと類似する交差レーン）または間で切り替わるほぼ平行な主進行レーン（通路５００Ｍと類似する）を有してもよい。図２０Ｂに見られるように、例示的な実施形態では、進行レーン（通路５００Ｍ、５００Ｓと類似する）は、一般的に１−Ｄモータセクション５０２Ａ１および対応するキャリア駆動支持表面／エリア５０４Ａ’によって画定される。進行レーン間の交差または切り替えは、進行レーン５００Ｍ’、５００Ｓ’間を縦走するのに望ましい２−Ｄ力を搬送機に生成することができる２−Ｄモータ要素のアレイによって形成される。
【００４５】
図２１は、別の例示的な実施形態による搬送システムの交差点またはコンベヤの回転セグメントを示す。示される例示的な実施形態では、搬送セグメント５００Ａ’’は、交差する複数の進行レーン５００Ｍ’’、５００Ｓ’’を画定する。進行レーンは、概してレーン５００Ｍ（図２０Ａ参照）と類似する。例示的な実施形態では、搬送運搬車は、交差するレーンとほぼ一直線に並ぶまで、任意のレーン５００Ｓ’’、５００Ｍ’’を縦走してもよい。一直線に並ぶ際、所望のレーンの１−Ｄモータは、交差するレーンに沿って搬送機の移動を開始する。別の実施形態では、交差点は、９０°の配向でなくてもよい。図２０Ｃは、キャリア１２００の底面およびその中の反応要素を示す。理解され得るように、反応要素は、交差点でそれぞれのフォーサーセクション（例えば図２１参照）の配向と一致するように配置されてもよい。これは、実質的に停止することなくキャリアがトラックを変更できるようにする。図２０Ｄは、別の例示的な実施形態による、キャリア１２００Ａの枢軸セクション上に置かれた反応要素１２０２ＦＡを示し、該反応要素は、所望の位置に回転されてもよい。図２２は、トラック脇のストレージ位置５００Ｓ’’’を有する、概して図２１の交差点と類似するトラックセグメント５００Ｈ’’’を示す。図２３〜２３Ａは、さらに以下に記載されるキャリアリフトまたはシャトルのリフトアーム（図示せず）のためのカットアウトまたは開口部１５００Ｏを有するトラックセグメント５００を示す。例示的な実施形態では、開口部１５００Ｏは、コンベヤのトラックからキャリアを底面に掴むために、キャリアに横方からアクセスできるようにする。図２４は、フォーサー（リニアモータ等の）２５０２Ａが矢印２５００Ｍによって示されるキャリア／トラックの中心線からずれた位置にあるトラックセグメント２５００Ａを示す。
【００４６】
図２５Ａ〜２５Ｂは、半導体ＦＡＢ内で基板を搬送するためのリニアモータコンベヤ３５００（キャリア３２００内に設置されたフォーサーセグメントおよび組み込まれた反応要素を有する）を示す。示される例示的な実施形態では、コンベヤ３５００は、直下からキャリアにアクセスできるように反転されてもよい（例えばキャリアは、コンベヤの下から吊り下げられ、コンベヤの下に位置する）。その他の点では、コンベヤ３５００は、前述された搬送システムのセグメント５００Ａ、５００Ａ’’、５００Ａ’’’と類似してもよい。例示的な実施形態では、コンベヤ３５００とキャリア３２００との間の連結を維持するために、磁気保持フォーサー３５０２が採用されてもよい。この力は、特にこの目的のために提供されるリニアモータコイル（例えばリニア同期設計のもの）から、ならびに／または別個の電磁石および／もしくは永久磁石（図示せず）を介して発生してもよい。キャリアとコンベヤの連結および分断は、迅速であり、パーツ（例えば、電磁石スイッチ）を動かすことなく達成されてもよい。フェ−ルセーフの動作は、キャリアとコンベヤとの間の磁路および／または受動的な機械的保持機構を介して保証されてもよい。
【００４７】
例示的な実施形態では、交差点および分岐点（すなわち、例えば図２０のセグメント５００Ｂと類似する合流−分化位置）は、コイルの切り替えによって達成されてもよい。別の実施形態では、コンベヤ３２００の進行通路間でキャリアを移送するために、回転台またはその他の回転デバイスが使用されてもよい。
【００４８】
例示的な実施形態では、キャリア３２００は、反応要素が上面上にあり、基板がキャリアの底面からアクセスされるように配置されてもよい。例示的な実施形態では、キャリア３２００は、コンベヤ３５００のフォーサーと連動するように置かれた磁気プラテンを有してもよい。キャリアのプラテン、またはプラテンセクションは、ローラー、ベアリング、または他の起動支持表面（例えばコンベヤ内の空気ベアリングに対する反応表面）を含んでもよい。また、プラテンは、部品コンテナ部分が処理ツール３０３０に積載される際に、コンベヤと接続されたままでもよいプラテン部分からキャリアのコンテナ部分を分断できるようにする電磁石連結具を含んでもよい。
【００４９】
例示的な実施形態では、ツールを積載するために、コンベヤ３２００は、キャリアをツール積載ポートに置き、キャリアをコンベヤの高度からツール３０３０の（制御環境）積載接合部分３０３２に下げるために、例えば垂直移送専用メカニズム３０４０が使用されてもよい（図２６Ａ〜２６Ｂ参照）。また、垂直移送デバイスがインデクサとして使用され、それによってウェハハンドリングロボットでアクセスするためにウェハを置いてもよい。垂直移送デバイスの好適な実施例は、参照することにより前述のように本明細書に組み込まれる、２００５年８月２５日に出願された米国特許出願シリアル番号第１１／２１０，９１８号に記載される。
【００５０】
別の実施形態では、コンベヤは、反転配置に置かれたコンベヤを積み上げるエンジン付き車輪であり、コンベヤの車輪上にキャリアを保持するために適した磁気引力を有してもよい。その他の別の実施形態では、コンベヤが積載ポートの下になり、キャリアが上面上に反応機構を有するように、全体配置が反転されてもよい。
【００５１】
図２６Ａ〜２６Ｂは、直接キャリアを搬送システムから積載ポート／ツール接合部分に下げる／上げる、その他の実施例を示す。図２６Ａ〜２６Ｂに示される例示的な実施形態では、キャリアは、キャリアと一体化する反応プラテンを有してもよい。その他の実施形態では、前述されたように、プラテンは、キャリアから着脱可能であってもよく、例えば、キャリアが取り外される際にコンベヤ上に残留する／コンベヤに連結されたままであってもよい。このような場合では、搬送システム内のそれぞれのプラテンは、ＦＡＢ内のキャリアと実質的に１：１の関係で対応する。
【００５２】
図２７は、別の例示的な実施形態による、コンベヤ運搬車複合型構成を有するキャリア４２００を図示する。ペイロード（半導体基板を含むキャリア等）の輸送を自動化するために、キャリア運搬車４２００が提供されてもよい。運搬車は、自己推進のための蓄積エネルギー、操舵システム、少なくとも１つのモータエンジン付き駆動車輪、走行距離計測および障害物検出のためのセンサ、ならびに関連する制御電子機器を備えてもよい。さらに、運搬車は、コンベヤシステム５００（図２０も参照）と類似する、コンベヤ４５００の静止リニアモータのフォーサーセグメントと連動することができる反応要素（前述された磁気プラテンと類似する）を１つ以上装備してもよい。
【００５３】
例示的な実施形態では、１つ以上のフォーサーセグメントによって画定される通路（通路５００Ｍ、５００Ｊと類似する）に沿って運搬車４２００が進行する場合、駆動モータが駆動車輪から切断され、運搬車は、コンベヤ４５００内の反応要素を有する電磁石連結具によって通路に沿って受動的に促されてもよい。運搬車内の蓄積エネルギーデバイス（例えばバッテリ、超蓄電器、フライホイール等）の充電が必要な場合、リニアモータからのエネルギーを運搬車蓄電に変換するために、軌道に沿ったトラクションホイールの運動が使用されてもよい。電気エネルギー蓄電の場合、これは、適したモニタリングおよび調節電子機器を有するジェネレータとして使用される運搬車駆動モータを再接続することによって達成されてもよい。このような「オンザフライ」充電は、容易化および耐久性の利点を有し、該配置は、大幅な柔軟性および耐障害性をもたらす。例えば、運搬車４２００は、自発的に機能していないコンベヤセグメント、障害物の周囲、またはコンベヤが使用できない作業エリア間を通り過ぎて進むことが可能であってもよい（図２７Ａ、２８Ｂ参照）。コンベヤのフォーサーセグメントの数および長さは、インターベイ搬送機のためのコンベヤ等の動作計画に合わせて調整してもよく、例えば、ベイと運搬車の自立運動を使用してもよい。柔軟にルートを選択するために、自立操舵が使用されてもよい。湾曲したフォーサーセグメントを除去するために、自立コーナリングを使用することができる。コンベヤの走行に沿って高速進行が作動してもよく、所望により、安全障壁によって操作者から隔てられてもよい。コンベヤセクションは、隣接ＦＡＢへのリンク等の長距離走行のために使用されてもよい。コンベヤは、グレード変更に使用され、専用の蓄積エネルギーを使用して、運搬車が直面する問題を軽減してもよい。
【００５４】
図２８は、一体化されたキャリアおよび搬送運搬車の別の実施例を示す。運搬車がＦＡＢ内で搬送部品キャリアに送り出される従来の運搬車系の半導体自動化と比較し、例示的な実施形態では、それぞれのキャリア５２００が運搬車である。例示的な実施形態では、一体化キャリア／運搬車５２００は、前述された運搬車４２００と類似してもよい。別の実施形態では、キャリア運搬車は、所望の運搬車機構を有してもよい。例示的な実施形態では、運搬車５２００は、一体キャリア５２０２と運搬車５２０４の一体化部分を含んでもよい。キャリア５２０２は、例示目的のために、前面／側面開口型として図２８に示される。別の実施形態では、キャリアは、上面開口型であってもよく、またはいずれかの他の適した部品移送開口部を有してもよい。運搬車は、部品が移送される積載ポートに直接進んでもよく、または別のツール緩衝装置等の別の自動化構成要素と嵌合してもよい。キャリア５２０２および運搬車５２０４をほぼ永久的に固定することによって、ロット移送が望ましい場合に、遊離運搬車が送り出されるのを待つ時間ならびに関連する配送時間差異が削除される。さらに、キャリア運搬車５２００は、「空の車」の移動をなくし、したがって搬送ネットワーク上の総交通量を低減し、システム容量を向上することができる。別の実施形態では、キャリアおよび運搬車は、運搬車からキャリアを分離するための連結を有してもよい。システム内の運搬車は、運搬車を待つキャリア搬送における遅延を削除するために、１：１の関係でキャリアに割り当てられてもよいが、限定事象（例えば運搬車または部品キャリアセクションのいずれかの修理／メンテナンス）において分離できるようにするために、適したコントローラのシステム知識を使用してもよい。それ以外では、キャリアおよび運搬車は、搬送中またはＦＡＢのツール積載ステーションもしくは他の自動化構成要素と嵌合する際、一体型ユニットのままである。
【００５５】
図２９Ｃは、別の例示的な実施形態による、コンベヤシステム５００（またはいずれかの他の所望のキャリア搬送システム）とツールステーション１０００との間を接合してもよい、水平に配列された緩衝システム６０００の平面図を示す。緩衝システムは、ツールステーションの下方またはその一部、もしくはツールステーションの上方に位置してもよい。緩衝システムは、操作者の進入路から離れて（すなわち下方または上方）置かれてもよい。図３０は、緩衝システムの正面図である。図２９Ｃ〜３０は、例示目的のためにコンベヤ５００の片側に位置する緩衝システムを示す。緩衝システムは、ＦＡＢフロアを所望する大きさの部分だけ披覆するために、延在してもよい。示される例示的な実施形態では、操作者の通路は、緩衝システムの上方に持ち上げられてもよい。同様に、緩衝システムは、ＦＡＢのオーバーヘッド内のどこに延在してもよい。図２９Ｃ〜３０に見られるように、例示的な実施形態では、緩衝システム６０００は、少なくとも３次元移動が可能なシャトルシステム６１００（適したキャリアリフトまたはインデクサを有してもよい）および緩衝ステーションＳＴのアレイを含んでもよい。一般的に、シャトルシステムは、誘導システム上で少なくとも２次元移動が可能な１つ以上のシャトル６１０４に対する誘導システム６１０２（例えばレール）を含んでもよい。図２９Ｃ〜３０に図示されるシャトルシステムの配置は、例示に過ぎず、別の実施形態では、シャトルシステムは、いかなる他の所望の配置を有してもよい。例示的な実施形態では、シャトルシステムは、コンベヤ５００と、緩衝ステーションＳＴと、ツール積載ステーションＬＰとの間を往復または接合する（図２９Ｃ参照）。シャトル６１０２は、水平に配置されたコンベヤ５００（例えばコンベヤのセグメント６００間のアクセスレーン６０２を介して）とツールステーション上の緩衝ストレージＳＴまたは積載位置ＬＰとの間を縦走してキャリア２００を往復させることができる。図３０に最もよく見られるように、例示的な実施形態では、シャトル６１０４は、キャリアを掴む／コンベヤ６００上に置くためのインデクサ６１０６、または緩衝ステーションＳＴもしくはツール積載ポートＬＰを含んでもよい。緩衝システムは、モジュラー形態で構成され、システムが容易に拡張または縮小できるようにしてもよい。例えば、それぞれのモジュールは、対応するストレージ位置ＳＴおよびシャトルレール、ならびに緩衝システムのその他の取り付けられたモジュールを接合するための連結接合部を有してもよい。別の実施形態では、システムは、緩衝ステーションモジュール（一体緩衝ステーションを１つ以上有する）およびシャトルレールにモジュラーを取り付けられるようにするシャトルレールモジュールを有してもよい。図２９Ｃに見られるように、コンベヤ５００のアクセスレーン６０Ｌは、シャトルインデクサがコンベヤレーンを通ってキャリアにアクセスできるようにするシャトル進入路を有してもよい。図３１は、コンベヤ５００の合流／分化レーンに通じる緩衝システム６０００の断面を示す。例示的な実施形態では、緩衝システムのシャトル６１０４は、コンベヤのアクセスレーンに向けられたキャリアにアクセスしてもよい。停止（または図２９Ｃに示されるレーン６０２と類似する進入路の不足）は、シャトルがコンベヤの進行レーンにアクセスする、または干渉するのを制限してもよい。図３２は、緩衝ステーションの複数の列を示す、さらに別の断面である。緩衝システムは、いかなる所望の列数の所望の数の緩衝ステーションを有してもよい。シャトルの縦走（図３２に矢印Ｙで示される方向への）は、所望により、縦走ガイド６１０８７のモジュラー交換によって調節されてもよい。その他の別の実施形態では、緩衝ステーションは、複数の水平な平面または階層（すなわち、垂直方向に分離された２つ以上の階層（キャリアの高さが階層間を通過することができる））で配列されてもよい。低減容量キャリアとともに多層緩衝が使用されてもよい。図３３は、誘導された運搬車キャリアＶとの接合部分を有する緩衝システムの別の平面図を示す。図３４は、他の点では前述されたツール下緩衝システム６０００と類似する、オーバーヘッド緩衝システム７０００の正面図を示す。オーバーヘッド緩衝システム７０００は、ツール下緩衝システム（システム６０００と類似する）とともに使用されてもよい。オーバーヘッドコンベヤ５００と接合するオーバーヘッド緩衝システムが示される。別の実施形態では、オーバーヘッドシステムは、フロアコンベヤシステムまたはフロアを基部とする運搬車と接合してもよい。ペイロードの少ないシャトルが水平に縦走するのを防ぐために、適した制御連結（例えば硬い）が提供され、通路の垂直隙間に作用してもよい。吊るされた積載物が通路空間を横切ることを防ぐために、通路上の上部シールドが使用されてもよい。
【００５６】
図３５は、環状緩衝システム８０００を示す。システムの緩衝ステーションＳＴは、可動式であってもよく、キャリアがツール接合部分の緩衝ステーションＳＴおよび積載ステーションＬＰに積載され得る（例えばオーバーヘッド積載で）積載位置Ｒ間の緩衝ステーションＳＴを動かすトラック８１００（例示的な実施形態では、閉じた環状として示される）上に搭載されてもよい。ツール接合部分は、キャリアをツールステーションに積載するためのインデクサを有してもよい。
【００５７】
ここで、図３６Ａ〜３６Ｃを参照すると、さらに別の例示的な実施形態による、基板キャリア２０００の斜視図、側面図、および底面図がそれぞれ示されている。キャリア２０００は、代表的なキャリアであり、例示的構成を有するように示される。示される実施形態におけるキャリア２０００は、例示目的のために、底面開口型キャリアとして図示されるが、別の実施形態では、キャリアは、上面開口型、または側面開口型等のいかなる他の所望の構成を有してもよい。図３６Ａ〜３６Ｃに示される例示的な実施形態におけるキャリア２０００は、図１〜３に示されるキャリア２００、２００’、３００と概して類似してもよく、類似する機構には、類似番号が付けられる。したがってキャリア２０００は、開口部２００４（例示目的のために、１つの開口部のみが図３６Ａ〜３６Ｃに示される）を１つ以上有するシェルまたはケーシング２０１２を有し、該開口部を通してウェハがキャリアに／キャリアから搬送されてもよい。キャリアのシェルは、個々の開口部２００４を閉締する開口部の閉締ドアを形成してもよい移動可能な壁またはセクション２０１６を有してもよい。前述されたように、示される例示的な実施形態では、シェル２０１２は、開口部２００４を開口および閉締するために移動可能である底面壁２０１６を有してもよい。別の実施形態では、キャリアのシェルのいずれかの他のセクションまたは壁は、キャリアの内および外へのウェハの搬送を可能にするために、移動可能であってもよい。移動可能なセクション２０１６は、示され、前述されたものと同様な方法で、残りのケーシング２０１４に封止されてもよく、ケーシングは、例えば、不活性ガス、周囲雰囲気と異なる圧力または真空の高清浄度の空気等の隔離された雰囲気を保持可能であってもよい。シェル２０１４および移動可能な壁２０１６は、前述された壁２１６およびシェル２１４と類似する受動的な構造体であってもよく、例えば磁気またはいかなる他の所望の受動的な固定具で互いに固定されてもよい。例示的な実施形態では、壁２０１６は、磁気要素２０１６Ｃ（例えば鉄鋼材）を含んでもよく、シェル２０１４は、壁およびシェルを固定ならびに解放するために作動される磁気スイッチ２０１４Ｓを有してもよい。壁内の磁気要素およびシェル内の動作可能な磁石２０１４Ｓは、キャリアドア（壁またはシェルのいずれか、図３６Ａ、３６Ｃ参照）をポートドアに固定し、キャリアドアをキャリアの他の部分から固定解除するように、ポートドア接合部分（以下にさらに記載されるような）内の磁気固定具と連動できるように構成されてもよい。別の実施形態では、壁とシェルとの間の磁気固定具は、いかなる他の所望の構成を有してもよい。受動的な金属キャリア２０００およびキャリアドア２０１６、２０１４は、真空に適合する清潔かつ洗浄可能なキャリアを提供する。
【００５８】
図３６Ａ〜３６Ｃに示される例示的な実施形態では、キャリア２０００は、複数のウェハを運搬するための構成で図示される。別の実施形態では、キャリアは、一体ウェハ緩衝装置を有するまたは有さないシングルウェハ、もしくはいかなる所望の数のウェハを運搬するための所望の寸法であってもよい。前述された例示的な実施形態のキャリア２００、２００’、３００と同様に、キャリア２０００は、従来の１３〜２５ウェハキャリアと比較し、低減または小さなロットサイズのキャリアであってもよい。図３６Ａ〜３６Ｂに最もよく見られるように、キャリアのシェルは、搬送システム接合部分セクション２０６０を有してもよい。キャリア２０００の搬送システム接合部分セクション２０６０は、図２０〜３０に示されるものと類似するコンベヤシステム等のいかなる所望の搬送システムと接合するように配置されてもよい。例えば、キャリアは、キャリアケーシングに配置または接続され、キャリアをコンベヤに沿って推進するために、コンベヤシステムの搬送機のリニアまたは平面モータのフォーサーセクションと連動することができる、鉄鋼磁性体パッドまたは部材等の反応要素を含んでもよい。キャリアケーシングに接続されるリニアまたは平面モータの反応要素の適した構成の一例は、参照することにより前述のように本明細書に組み込まれる、２００３年１０月３０日に出願された米国特許出願シリアル番号第１０／６９７，５２８号に記載される。また、図３６Ａ〜３６Ｃに示される例示的な実施形態では、キャリアの接合部分セクション２０６０は、キャリアが搬送システム上を移動するおよび／またはそこに静止している場合に、キャリアを搬送システムから支持するために、搬送システムと接合してもよい、キャリア支持体部材または表面２０６２を有してもよい。支持表面は、非接触型または接触型支持表面であってもよく、キャリアを搬送システムから安定して支持するために、側面（例えば表面２０６２Ｓ）または底面（例えば表面２０６２Ｂ）上に、もしくはこれらと対向して配置されてもよく、あるいはいずれかの他の所望の位置または対向位置に配置されてもよい。非接触型支持表面は、例えば、実質的に平坦なエリア、表面、またはパッドであってもよく、ケーシングに接続またはその上に配置され、いかなる適した手段で形成され、安定してキャリアを保持できるように（空気ベアリング単独または搬送システムモータによって付与される起動力（例えば磁力）との組み合わせのいずれかに基づいて）、搬送システムの空気ベアリング（図示せず）と相互作用することができる。別の実施形態では、キャリアケーシングは、浮いている（例えば非接触）が、安定してキャリアを搬送システム構造体から支持するために、空気（またはいずれかの他の所望のガス）を（受動的な）搬送システム構造体に向ける（能動的な）空気ベアリングを１つ以上有してもよい。本実施形態では、キャリアの空気ベアリングに送り込むための空気／ガスの適した供給源（例えばファンまたはガスポンプ）がキャリアに接続されてもよい。その他の別の実施形態では、キャリアケーシングおよび搬送システムは、能動的な空気ベアリング面および受動的な空気ベアリング面の両方（例えば搬送システム内の持ち上げ空気ベアリングおよびキャリア内の水平誘導空気ベアリング）を有してもよい。キャリア２０００は、その他のハンドリング部材、例えば図３６Ｂに示されるようなハンドリングフランジ２０６８等のフランジまたは表面を有してもよい。
【００５９】
例示的な実施形態では、キャリア２０００は、キャリアを処理ツールの積載セクション（例えば積載ポート）と接合可能にするツール接合部分セクション２０７０を有してもよい。処理ツールは、いかなる種類のものであってもよい。例示的な実施形態では、接合部分２０７０は、キャリアの底面上に位置してもよい。別の実施形態では、キャリアは、キャリアのいずれかの他の所望の側面上にツール接合部分を有してもよい。さらに他の別の実施形態では、キャリアは、キャリアを異なる構成でツールと接合できるようにする、複数のツール接合部分（例えば底面および側面）を有してもよい。例示的な実施形態におけるキャリア２０００のツール接合部分セクション２０７０は、図３６Ｃに最もよく見られる。図３６Ｃに示されるツール接合部分セクション２０７０の構成は、例示に過ぎず、別の実施形態では、キャリアは、いかなる他の所望の構成を有するツール接合セクションを有してもよい。例示的な実施形態では、接合部分セクション２０７０は、機構を有し、キャリアの適切なＳＥＭＩ標準（ＳＥＭＩ  Ｅ．４７．１およびＥ５７、ならびにいずれかの他の適切なＳＥＭＩまたは他の標準）と概して適合してもよく、これらすべての標準は、参照することによりその全体が本明細書に組み込まれる。したがって、例示的な実施形態では、キャリアの接合部分セクション２０７０は、従来の積載ポート接合部分に位置する一次および／または二次ＫＣピン（図示せず）を受け入れるために、ＳＥＭＩ標準Ｅ．４７．１およびＥ５７に準拠して配置される運動学的連結（ＫＣ）受け器を含んでもよい。また、キャリアの接合部分２０７０は、キャリアのＳＥＭＩ標準に準拠するインフォメーションパッドを１つ以上有するセクションを有してもよい。別の実施形態では、キャリア接合セクションには、１つ以上のＳＥＭＩ指定の機構が提供されなくてもよい（例えば、接合セクションには、運動学的連結機構が提供されなくてもよい）が、それにもかかわらず、該機構に対応する予備エリアをケーシングの側面接合部分上に有してもよい。したがって、例示的な実施形態では、キャリアの接合部分セクション２０７０は、従来の処理ツールの従来の積載接合部分にキャリア２０００を接合可能であってもよい。理解され得るように、および前述された実施形態に関して記載されるように、キャリアをプロセス環境に連結する積載ポートにキャリアを結合するため（または例えば処理装置内の真空を維持するため）に、キャリア内部が処理環境に対して実質的に封止され、キャリア上の汚れた表面と称される場合がある表面が、処理環境から実質的に隔離され、切り離されるように、キャリアを結合することが望ましい。理解され得るように、キャリア／積載ポートは、前述されたように、キャリアを封止するために接合部分と接触し、キャリアと積載ポートとの間の運動学的連結具は、キャリアと積載ポートとの間に過剰な拘束条件を生じてもよい。過剰な拘束を緩和するために、キャリアと積載ポートとの間の運動学的連結具がコンプライアンスを有し、積載ポート接合部分にキャリアを繰り返し位置付け可能であってもよい。連結コンプライアンスは、積載ポート接合部分からの先行荷重によって起動されてもよい。こ���で、図３６Ｅを参照すると、例示的な実施形態による、コンプライアント運動学的連結具２０７２の代表的な接合部分２２７２の概略断面図が示されている。一般的に連結接合部分２０７２には、ピン２２７４および溝またはデテント２２７６が配置されてもよく、キャリア上の過剰な拘束をいかなる所望の自由度（例えばキャリアの傾斜、転がり、揺れ）に緩和するために、１つ以上の所望の方向（矢印Ｘ、Ｚで示されるような）におけるコンプライアンスまたは柔軟性が提供されてもよい。一例として、連結ピン２２７４は、コンプライアンスを有してもよい（バネ荷重、例えば屈曲して搭載された概して球体のピン、弾性的な可撓性材料等から作製されたピンによって等）。また、連結溝２２７６も整合性を有してもよい（屈曲して搭載する、弾性的な可撓性材料内に溝を形成することによって、先行荷重下で圧縮される場合に溝表面が屈曲するようにする等）。
【００６０】
さらに、例示的な実施形態では、キャリアの接合部分セクション２０７０は、キャリアと処理ツールの積載接合部分との非接触型連結接合を可能にするために、以下でより詳細に記載されるように、さらに構成されてもよい。
【００６１】
理解され得るように、キャリア２０００等のウェハキャリアは、通常、処理するためのプロセスツールに関連して置かれてもよい。ウェハをツールに自動で搬送するために、ウェハキャリアとツールの積載ポートとを近接して配置することが望ましい。従来の位置付け方法は、通常、キャリアの底面と接触する、従来の機械的連結具を使用することができる。例えば、これらの従来の機械的連結は、全位置ズレを補正し、ウェハキャリアを位置合わせした位置に誘導することを助長するリードインまたはカムを提供する。あいにく、この機構は、積載ポートの結合ピンと滑り接触するために、キャリアのリードイン表面に依存し、その結果、摩耗する、および汚染物質を生成する可能性が生じる。従来の機械的連結具の使用における第２の問題は、正常に機能するために、従来の結合の捕捉範囲内においてキャリアをまばらに置くことが望まれるということである。キャリア搬送システムは、搬送システムの複雑性および／または適切な配置にかかる時間（例えば再試行）のいずれかを負荷する原因となる。したがって、キャリア搬送システムは、従来の機械的連結具の捕捉範囲内、または従来の用途では、摩耗を防ぐための名目上位置合わせした位置にキャリアを配置するために、十分繰り返し可能に設計されるべきである。必然的に、キャリア搬送システムは、多数のサイクルにわたり繰り返し性を達成できず、結果的に粒子を生成する滑り接触が生じる。キャリア２０００の接合部分は、ウェハキャリアのプロセスツールへの位置付けにおいて同一の繰り返し性を提供し得るが、非接触（例えば磁気）連結を使用する。この機能は、配置許容を緩和し、結果としてキャリアの積載／積卸ステップの速度を向上するリードイン機構を搬送システムが完全に認識できるようにする。第２に、配置誤差を補正するためのすべての運動は、清浄度のために関連するいかなる滑り運動をも除去し、キャリアと積載ポートとの間の物理的接触なく実行されてもよい。
【００６２】
図３６Ｃに見られるように、例示的な実施形態では、キャリアの接合部分セクション２０７０は、非接触型接合でキャリアと積載ポートを連結するための非接触型連結具２０７１を有してもよい。非接触型連結具２０７１は、通常、非接触型支持体またはリフトエリア２０７２、および非接触型連結セクション２０７４を含んでもよい。例示的な実施形態では、リフトエリア２０７２は、積載ポートの空気ベアリング（以下に記載される）と連動し、積載ポート内の空気ベアリングによって制御され、安定してキャリアを上げられるように配置される、実質的に平坦かつ滑らかな表面であってもよい。例示的な実施形態では、キャリアリフトエリアは、受動的であるが、別の実施形態では、キャリアは、キャリアを持ち上げるために、１つ以上の能動的空気／ガスベアリングを有してもよい。再び図３６Ｃを参照すると、例示的な実施形態では、リフトエリア２０７２は、互いに類似し、積載ポートの空気ベアリングからキャリアを持ち上げる動作が実質的にリフトエリアセクションに作用する空気ベアリングからの圧力によって行われ、結果として生じる持ち上げがキャリアの重心（ＣＧ）と実質的に一致するように、キャリアケーシングの接合（例えば底面）側面に分散する３つのセクションを有してもよい。図３６Ｃに示されるリフトエリアセクション２０７２の形状および数は、例示に過ぎず、別の実施形態では、リフトエリアは、いかなる所望の形状および数を有してもよい。例えば、リフトエリアは、単一の連続するもの（またはキャリアの接合部分の周囲の周りに延在する実質的に途切れのないセクション）であってもよい。例示的な実施形態では、リフトエリアは、ＳＥＭＩ準拠接合機構（例えば運動学的連結受け器、インフォパッド等）を妨げないように、キャリアの接合部分２０７０上に置かれる。リフトエリア２０７２は、接合の拘束内で可能な限りＣＧから離れて置かれてもよく、所望の圧力分布を生成し、キャリアと積載ポートとの間の所望の大きさの並進運動上の（すなわちｘ−ｙ平面）位置ズレに適合するために所望の寸法であってもよい。例示的な実施形態では、リフトエリア２０７２は、単一軸（図３６Ｃで軸Ｘで示される、例えば２軸間基準軸）に対して対象に配置されるが、キャリア接合部分のいずれの他の軸に対しては対象ではない。したがって、キャリアの接合部分２０７０は、ツール積載接合部分との非接触型接合部分が１つの適切な配向でのみ達成されるように、分裂される。不正な配向でキャリアを配置すると、結果としてキャリアリフトの不安定が生じ、これは、キャリアを配置する搬送システムの適したセンサ、またはキャリア自身もしくは積載ポートによって検出され、不正な配置を呈するために信号が送信されてもよい。また、積載ポートへのキャリアの適切な位置合わせを助長するために、リフトエリア２０７２は、所望の傾斜またはバイアスを有してもよい。別の実施形態では、キャリアと積載ポートとの間に位置合わせするために空気ベアリングが作用する際、可変の強度および可変の方向の所望の水平合力をキャリアに生成するために、リフトエリアは、機械、電気、圧電、熱、またはいずれかの他の適した手段等によって移動可能または傾斜変更可能であってもよい。
【００６３】
さらに図３６Ｃを参照すると、例示的な実施形態では、非接触型連結セクション０７４は、１つ以上の永久磁石２０７４Ａ〜２０７４Ｃ（例示目的のために、３つの磁石２０７４Ａ〜２０７４Ｃが示されるが、別の実施形態では、より多くまたはより少ない磁石が提供されてもよい）を有してもよい。連結磁石２０７４Ａ〜２０７４Ｃは、搬送システムのリニア／平面モータの反応セクションの一部であってもよく、モータ反応セクションから独立してもよい。連結磁石２０７４Ａ〜２０７４Ｃは、キャリアと積載ポートとの間の所望の位置ズレのため、積載ポートの連結磁石（以下に記載される）を披覆するのに十分な寸法であってもよい。示される例示的な実施形態では、連結磁石２０７４Ａ〜２０７４Ｃは、単一軸（図３６Ｃの軸Ｘ等）に対して対象に配置されてもよいが、キャリアの接合部分のすべての他の軸に対しては非対称である。したがって、キャリアの非接触型連結セクションは、積載ポートに対してキャリアが所望の配向では無い場合に、キャリアが積載ポートに連結するのを防ぐために、分離される。つまり、キャリアの非接触型連結具は、正しい配向のために、それでもなお積載ポートに「鍵かけ」されてもよく、すべての他の配向は、連結具によって嵌合されず、したがって積載を試みない。積載ポート上にキャリアが不正に置かれ、適切に連結できない場合に、それを検出し、搬送システムに移動させるのに適した信号を送信し、可能な場合、キャリアを適切な配向に置き直すために、積載ポートまたはキャリアに適したセンサが提供されてもよい。別の実施形態では、非接触型連結セクション、および／またはリフトエリアは、キャリアの接合部分の複数の軸に対して対称に配置されてもよい。
【００６４】
ここで、図３６Ｄを参照すると、別の例示的な実施形態による、キャリア２０００’の底面図が示されており、キャリア２０００’は、前述されたキャリア２０００とほぼ類似し、類似機構には、類似番号が付けられている。キャリア２０００’は、図３６Ａ〜３６Ｃを参照して前述された非接触型連結具２０７１と概して類似する非接触型連結具２０７１’を有するキャリアの接合部分セクション２０７０’を有してもよい。図３６Ｄに示される例示的な実施形態では、非接触型連結セクション２０７４’は、永久磁石の代わりに、鉄鋼磁性体セクション２０７４Ａ’、２０７４Ｂ’、２０７４Ｃ’（キャリア内の搬送システムのモータ反応構成要素の一部であっても、それから独立していてもよい）を有してもよい。鉄鋼材セクション２０７４Ａ’、２０７４Ｂ’、２０７４Ｃ’は、長方形、丸い円筒形、または球体等のいかなる所望の形状であってもよい。２０７４Ａ’〜２０７４Ｃ’のそれぞれは、互いに類似してもよいが、別の実施形態では、所望の磁気連結具を画定する異なる共有セクションおよび方向特性がそれぞれのセクションで使用されてもよい。セクションは、積載ポート連結点の磁場内に収まり、キャリアが最初に積載ポート上に置かれる際のキャリアと積載ポートとの間の所望の初期位置ズレに適合するために、十分な寸法であってもよい。連結セクション２０７４Ａ’、２０７４Ｂ’、２０７４Ｃ’は、キャリア上の磁力がキャリアを積載ポートに対して位置合わせした位置に偏らせるような大きさで、キャリアの接合部分上に配置されてもよい。図３６Ｄに見られるように、例示的な実施形態では、連結セクション２０７４Ａ’、２０７４Ｂ’、２０７４Ｃ’は、対称な単一軸（軸Ｘ）を画定するためにキャリアの接合部分上に分布し、したがってキャリアの非接触型連結２０７１’を鍵かけし、１つの配向においてのみ積載ポートへの連結を可能にしてもよい。別の実施形態では、連結セクションは、いずれかの他の所望の配置を有してもよい。
【００６５】
ここで、図３７Ａ〜Ｄを参照すると、別の例示的な実施形態による、ツール積載ステーションまたは積載ポート２３００の斜視図、端部断面図、側面断面図、および上平面図がそれぞれ示されている。示される例示的な実施形態では、積載ポートは、ウェハと接合し、前述されたキャリア２０００、２００、２００’、３００と類似する底面開口型キャリアからそれを積載する、およびそこへ積載するための構成を有してもよい。別の実施形態では、積載ポートは、いかなる他の所望の構成を有してもよい。積載ポート２３００は、ＳＥＭＩ標準を例とし、適した搭載接合部分を有してもよい。ＢＯＬＴＳ接合部分を備え、積載ポートがいかなる所望の処理ツールまたは作業ステーションと結合できるようにする。例えば、積載ポートは、処理ツールのＥＦＥＭ等（より詳細に記載される）の制御雰囲気セクションに搭載／結合されてもよく、または処理ツール（図１４に示される方法と類似した方法で）の雰囲気から隔離されたチャンバ（例えば真空移送チャンバ）または処理ツールの雰囲気に解放されたチャンバに結合されてもよい。本例示的な実施形態における積載ポートは、前述された積載ポートと類似する。積載ポート２３００は、通常、キャリア積載接合部分２３０２、および積載空洞またはチャンバ２３０４（ウェハが個別にまたはカセットでキャリアから受け取られる、またはキャリアに戻される）を有してもよい。チャンバ２３０４は、隔離された雰囲気または制御（高清浄度）空気雰囲気を保持可能であってもよい（したがって積載ポートが処理ツールのロードロックとして機能できるようにする）。キャリア積載接合部分２３０２は、従来の積載ポートとは異なり、積載ポートに接合する際、キャリア配置領域内に実質的に突起がない、キャリアを支持する積載面２３０２Ｌを有してもよい。図３７Ａに見られるように、積載面は、キャリアと積載ポートとの間の相互位置ズレの場合にキャリア移動を抑制するために、キャリア配置領域の外側にバンパーまたはスナバを有してもよい。積載ポートの積載接合部分２３０２は、積載開口部（またはポート２３０８）（積載チャンバ２３０４に通じる）、および前述された積載ポートと類似するポートを閉締するポートドアを有してもよい。例示的な実施形態では、ポートドア２３１０は、実質的に平坦であり、積載接合部分の積載面と水平であってもよい。ポートドア２３１０は、図４Ａ〜４Ｂに示されるものと類似する封止配置においてポート縁で封止されてもよい。理解され得るように、積載ポートの積載ポート接合部分２３０２に接合および連結される場合、キャリアケーシングおよびキャリアドアは、積載ポート縁２３０８Ｒおよびポートドア２３１０のそれぞれで、「ゼロ容量パージ」封止と称される場合があり、図４Ａ〜４Ｂに示されるものと類似する配置を有する封止で封止される。別の実施形態では、ポート縁と、ポートドアと、キャリアケーシングと、キャリアドアとの間の封止は、いかなる他の所望の構成を有してもよい。例示的な実施形態では、ポートドア２３１０は、受動的な磁気連結具またはラッチを用いて、前述されたものとも同様な方法で、ポートに連結されてもよい。例示的な実施形態では、ポートドアとポートとの間の磁気連結／ラッチ要素は、ポートドアとポートとの間のラッチの作動と同時に、キャリアドアとケーシングとの間の受動的な磁気ラッチを作動するように置かれ、構成されてもよい。したがって、例えば、ポートからポートドアを固定解除すると、キャリアからキャリアドアが固定解除され、キャリアドアとキャリアを固定するポートドアが固定される。例示的な実施形態では、積載ポートは、図８〜１４に示されるものと類似する、インデクサ２３０６およびパージ／通気システム２３１４を含んでもよい。
【００６６】
また、図３７Ｄを参照すると、例示的な実施形態の積載ポートのキャリア積載接合部分は、例えばキャリア２０００を積載ポート２３００に接合および連結するために、キャリア２０００の非接触型接合部分セクション２０７１と連動してもよい、実質的に非接触型接合部分セクション２３７１を有してもよい。図３７１０に示されるように、例示的な実施形態では、接合部分セクション２３７１は、１つ以上の空気ベアリング２３７２および非接触型連結セクション２３７４を有してもよい。積載ポートの空気ベアリング２３７２は、いかなる適した種類および構成であってもよく、例えば「鍵かけ」配置内に置かれ、通常、キャリアの接合部分上のリフティングエリア２０７２の配置に対応してもよい。したがって、空気ベアリング２３７２は、積載ポートに連結される際のキャリア２０００の配置を定める参照基準Ｘに対して対象に配置されてもよい。適した空気／ガスの供給源（図示せず）が空気ベアリングに供給を行う。空気ベアリングへの所望のガスの流れを維持するために、適した調整器（図示せず）を使用してもよい。所望により、空気ベアリングへのガス供給元および調整器が置かれてもよい。例えば、積載ポートの積載チャンバ２３０４の外部または内部だが、チャンバの内部雰囲気から隔離されてもよい、例えば空気ベアリング２３７２（図３７Ｃ参照）へのガス供給源２３７２Ｓは、ベローズまたは他の可撓性の封止されたスリーブ内からガス供給源を積載チャンバから隔離する空気ベアリングに延在してもよい。さらなる実施例として、空気ベアリングへのガス供給源は、図１４に示されるパージおよび通気ラインと同様な方法でインデクシングデバイスを隔離するベローズ封止内に延在してもよい。例示的な実施形態では、キャリアの空気／リフトエリアは、キャリアドア上であってもよく、したがって例示的な実施形態では、積載ポート（実質的にリフトエリアの下方に位置する）の空気ベアリング２３７２は、ポートドア２３１０の境界内に置かれてもよい。別の実施形態では、空気ベアリングは、ポートフレームまたはポート縁上に置かれてもよく、空気ベアリングへのガス供給は、積載ポートの積載チャンバの完全に外部に置かれてもよい。例示的な実施形態では、空気ベアリング２３７２は、オリフィスベアリング（実質的に局限された排気を有する）であってもよく、または分散したほぼ均一な排気を有する多孔質媒体空気ベアリングであってもよい。それぞれの空気ベアリング２３７２からの排気流量は、圧力、質量流量、および方向（一例として、図３７ＣのＡＢによって実質的に垂直に示される）の点から、固定されてもよい（実質的に一定であり続けてもよい）。別の実施形態では、空気ベアリングは、可変の排気流量を有し、積載ポートに対するキャリアの移動をオフセットするため、およびキャリアを積載ポートに位置合わせすることを促進するために、例えば排気流量特性（例えば圧力、質量、または方向）を変更できるようにしてもよい。理解され得るように、キャリア上の空気ベアリング２３７２およびリフトパッド２０７２は、所望の位置ズレ許容帯またはキャリアを積載ポート上に初回配置する際の配置領域を提供するような大きさであってもよい。
【００６７】
ここで、図３７Ｅを参照すると、別の例示的な実施形態による積載ポート２３００’の平面図が示されており、積載ポート２３００’は、積載ポート２３００と類似し、類似機構には、類似番号が付けられている。本例示的な実施形態では、１つ以上の空気ベアリング２３７２’は、ノズルのアレイを有してもよい。ノズルのアレイからの排気ＡＢ１〜ＡＢ４は、方向付け可能な合成排気を提供するために、組み合わせられてもよい。一例として、アレイのそれぞれのノズルは、その他のノズルの排気に対して排気角度を有してもよい。１つ以上のノズルからの排気流量は、固定されてもよく、または可変であってもよい。アレイの空気ノズルが最大流量で動作している場合、合成排気は、第１の所望の方向（例えば実質的に垂直）を有する。アレイの１つ以上のノズルを通る流量の停止または減少は、合成排気方向に変化が生じ、結果として積載面における方向成分となる。別の実施形態では、空気ベアリングのノズルは、排気の方向を制御するために可動式（例えば、傾斜変更可能な基盤上に搭載された空気ベアリングのノズル）であってもよく、または形状変更可能（例えば圧電材料または形状記憶材料を使用することによって）であってもよい。理解され得るように、積載面内の空気ベアリング排気の方向成分は、積載面内の空気ベアリングに乗っているキャリアに、排気の方向成分と対向する方向の起動力を付与し、積載面内のキャリアの横運動を生じる。
【００６８】
再び図３７Ａ〜３７Ｄを参照すると、積載ポートの非接触型連結セクション２３７４は、キャリアと積載ポートとの間（キャリアドア２０１６とポートドア２３１０との間、および所望により、キャリアケーシングと積載ポートフレームとの間等）の磁気固定可能／固定不可能な連結を画定するために、磁石２０７４Ａ〜２０７４Ｃ（図３６Ｃ参照）またはキャリアの磁性体セクション２０７４Ａ’〜２０７４Ｃ’と連動するように置かれた磁石セクション２３７４Ａ〜２３７４Ｃを備えてもよい。また、例示的な実施形態では、キャリアの磁石２０７４Ａ〜２０７４Ｃ、または磁性体セクション２０７４Ａ’〜２０７４Ｃ’１と連動する積載ポートの磁石セクション２３７４Ａ〜２３７４Ｃは、以下に記載される所望の位置合わせを達成するために、積載部分のキャリアの位置を調整することができる、キャリア位置補正デバイスを形成してもよい。図に示される磁石セクション２３７４Ａ〜２３７４Ｃの配置は、例示に過ぎず、別の実施形態では、積載ポートの非接触型キャリア連結セクションの磁石セクションは、いかなる所望の方法で配置／構成されてもよい。磁石セクション２３７４Ａ〜２３７４Ｃは、作動された場合に、キャリア内の磁石または磁気セクションに所望の方向にバイアスをかける所望の磁場（キャリアと積載ポートの固定／連結を生じるため、および／またはキャリア上に補正力を付与するため等）を生成する磁気スイッチとなる動作可能な磁石であってもよい。図３７Ａおよび３７Ｄに見られるように、例示的な実施形態では、積載ポート接合部分は、キャリア搬送システムに積載ポートの位置／場所を教え、キャリアの積載ポート接合部分上への初回配置を可能にする、非接触型位置合わせシステム２３８０を有してもよい。前述されたように、積載ポートの配置領域には、実質的に突起がなく、例示的な実施形態では、キャリアを配置領域に初期配置する際、キャリアと積載ポートとの間に実質的な接触がない（すなわち摩擦接触がない）。示される例示的な実施形態では、位置合わせシステム２３８０は、適したセンサが像を取得することができるレジストレーションマスクのアレイまたはパターンを有してもよい。図３７Ｄに示されるマスクのパターンは、例示に過ぎず、別の実施形態では、適したセンサが像を取得できる、いかなる適したマスキングパターンが使用されてもよく、すべての所望の自由度を定める。例えば搬送システム（例えば図２６Ｂ参照）のキャリア保持部分上に置かれてもよいセンサ（図示せず）は、パターンおよびその空間特性の画像を取得することができる、例えばＣＣＤまたはＣＭＯＳ画像センサであってもよい。パターンを具象化する画像データは、キャリア搬送機に対する積載ポート配置領域の位置を判断し、キャリア搬送機に該位置を教えるために、キャリア搬送機とパターンの位置データを同様に登録し、関連付ける、適したプロセッサに伝達されてもよい。
【００６９】
例示的な実施形態では、キャリア２０００は、搬送システムによって配置領域２３０２Ｐ内に突起のない積載面に置かれてもよい。例示的な実施形態では、配置領域は、積載ポートの位置合わせ軸に対して、キャリア＋／−例えば約２０ｍｍの大きさに形成されるエリアであってもよい。実際の配置誤差は、いかなる値であってもよく、記載される値によって決まるわけではなく、キャリアを配置後に位置付けるために使用される補正メカニズムに対する比率で指定されてもよい。したがって、本連結の位置合わせ繰り返し性は、実質的に従来の連結方法と同一であると同時に、許容できるキャリア搬送機の配置誤差を増大する。積載ポートによって一度キャリアが検知されると、空気のフィルム（空気ベアリング）が起動され、キャリアを持ち上げ、キャリアと積載ポートとの間の接合部分の摩擦をなくす。この時点では、キャリア上の力は、その質量、水平基準平面に対する重心の相対位置、およびそれ自体の持ち上げ力である。キャリアリフトエリアは、キャリアを持ち上げ、キャリアの積載ポートへの繰り返し可能な位置決め（角度および横軸の両方）を確立するために、積載ポート上の空気パッドと接合する。ここで、空気のフィルム上に浮遊するキャリアは、積載ポートと一直線に置かれてもよい。前述されたように、磁気連結具は、キャリアを並進し、回転するために、キャリアに力を付与するために使用することができる。十分なストロークであり、対象位置を予測できる限り、磁気以外のいかなる方法を使用してキャリアに力を付与してもよい。キャリアと積載ポートの連結の完了とは、２つの対象をともに保持位置にクランプすることである。
【００７０】
一例として、および特に図３６Ａ〜３６Ｃで図示される例示的な実施形態を参照し、キャリア２０００が配置領域にある場合、永久磁石２０７４Ａ〜２０７４Ｃは、積載ポート接合部分上の磁石２３７４Ａ〜２３７４Ｃと重なり合う。空気ベアリングは、励起されてもよく、積載ポートの磁気は、対向する磁極をキャリアの磁石に提示するために、電気的または機械的手段によって作動される。接合部分に摩擦がないことによって、磁極が自然に位置合わせするまでＸ、Ｙ、およびθＺ軸上をキャリアが自由に移動できるようにするが、物理的接触を生成しない。本ステップ全体を通して、空気ベアリングには、キャリアおよび積載ポート内の磁力によってあらかじめ荷重が加えられる。先行荷重は、キャリアの制御の維持、および空気ベアリングの硬度の向上において有用である。例えば所定の時間経過後、またはセンサフィードバック手段によって空気ベアリングの動作が停止し、キャリアを積載ポートのポートドア上まで下げられるようにする。ここで、磁石は完全に接触し、キャリアをポートドアに保持するためのクランプ力を提供する。
【００７１】
図３６Ｄに示される例示的な実施形態では、キャリア２０００は、（キャリア搬送システムによって）配置された後の積載ポート連結点の磁場内に収まる大きさの鉄鋼材パッド２０７４Ａおよび２０７４Ｃ（図３６Ｄ参照）を有する。空気ベアリングが作動され、積載ポート上の磁石が電気的または機械的手段のいずれかによって作動され、キャリアの鉄鋼パッドに磁場を導入してもよい。接合部分に摩擦がないことにより、磁石と鉄剛パッドとの間の引力がキャリアを位置合わせした位置に並進または回転できるようになる。空気ベアリングは、磁力によってあらかじめ荷重が加えられる。先行荷重は、キャリアの制御の維持、および空気ベアリングの硬度の向上において有用である。例えば所定の時間経過後、またはセンサフィードバック手段によって空気ベアリングの動作が停止し、例えばキャリアを積載ポートのポートドア上まで下げられるようにする。鉄鋼パッド上の磁力は、キャリアをポートドアに保持するためのクランプ力を提供する。
【００７２】
さらに別の実施例によると、キャリアは、図３７Ｅに示される例示的な実施形態のもの等、空気ベアリング面に一体化された、方向付けられた空気ノズル２３７２’（図３７Ｅ参照）によって駆動されてもよい。該実施形態では、空気ノズル２３７２は、キャリアに運動を付与する、横方向に印加される圧力を底面に提供してもよい。運動は、キャリア上の磁石が積載ポートと一直線になるまで、キャリアをＸまたはＹ軸に向けるために、ノズルの適切なセットにエネルギーを供給するコントローラによって制御することができる。ノズルのアレイがプラテンに搭載され、回転／傾斜する別の実施形態では、プラテンは、ノズルに所望の方向を提供するためのエネルギーが供給されてもよい。ノズルは、キャリアの意図される運動方向と対向する方向に排気を向ける。この動きは、磁石のアライメントまでキャリアを並進するための横力を付与する。キャリアの実際の位置を検出し、位置合わせした位置と比較するために、例えば磁気連結具からのフィードバックを含む、センサフィードバックのいくつかの形式が使用されてもよい。この情報は、どの方向にキャリアが並進されるべきか、および空気ノズルによってどのような力がキャリアに印加されるべきかを決定してもよい。別の実施形態では、キャリアを所望の位置に位置合わせするために、ノズルおよび磁気連結具が併用して使用されてもよい。
【００７３】
図３７Ｆは、別の例示的な実施形態による、積載ポート接合部分の平面図を示す。本実施形態では、積載ポート２３００’’は、積載ポート内に置かれる磁石２３７４’’が図３７Ｅの矢印によって示される移動方向に移動可能なＸ−Ｙステージに取り付けられていることを除き、前述されたものと類似する。本実施形態では、キャリアは、積載ポートに置かれ、空気ベアリングが作動され、キャリアの磁石は、Ｘ−Ｙステージ２３７４Ｓ’’に連結される積載ポートの磁石に引きつけられる。Ｘ−Ｙステージ２３７４Ｓ’’は、例えば空気シリンダ、ネジ山のないネジ、または電気ソレノイドであってもよく、並進した位置を報告するためにリニアエンコードされる。連結されたキャリアの磁石および積載ポートの磁石は、教えられた（位置合わせした）位置に戻るように駆動される。目的地に到着する際、空気ベアリングの動作が停止され、キャリアがポートドアまで下がり、クランプされてもよい。同様に、この方法は、使用される既存の運動学的連結アプローチに適応することができ、それによってそれぞれの運動ピンがＸ−Ｙステージに連結される。本実施例では、運動ピンの２つがＸ、Ｙ、およびθＺと位置を合わせるために駆動される。これは、非接触を前提として動作しないが、最小摩擦でキャリアの配置許容を向上するための実行可能な方法である。
【００７４】
図３７Ｇは、キャリアを配置し、キャリアの連結点を積載ポートと位置合わせするために、キャリアがプッシャーアーム２３７４Ｍによって駆動されてもよいことを除き、類似する積載ポート２３００Ａの別の例示的な実施形態を示す。示される例示的な実施形態では、積載面は、θＸおよびθＹを中心に回転可能に搭載されてもよい（矢印Ｒ、Ｐに示されるように）。積載平面を傾斜してキャリアの重心を移動するために、空気ベアリングと組み合わせた自由度を使用し、回転角方向への並進を付与することができる。この方法は、キャリアと積載ポートの磁石を位置合わせするために適切なキャリア方向に積載平面を理知的に動かすために、位置フィードバックを使用する。一度キャリアが位置につくと、空気ベアリングの動作が停止され、キャリアがポートドアにクランプされてもよい。最終的に、ドアの取り外しに適切なポートとの位置合わせを達成するために、積載平面が回転され、元の位置に戻される。
【００７５】
前述されたように、キャリア内の環境は、例えばウェハおよびキャリア内部に施された前プロセスならびに環境により、様々であってもよい。したがって、積載ポートまたは積載ステーションに連結されるキャリアは、現在のプロセスとは異なる環境をその中に有してもよい（例えばガス種、清浄度、または圧力）。例えば、キャリアのウェハの任意のプロセスは、不活性ガスを採用してもよい。したがって、任意のツールのキャリアと積載ポートとの間の接合部分は、キャリア開口中の圧力差または望ましくないガス種の導入を最小化するために、所望により、適したガス種が投入または排出されるようにしてもよい。別の実施例として、ツール環境が真空であり、接合部分を介してツールの積載ポートに結合されるキャリアの空気が抜かれて低圧力となり、ウェハがキャリアから直接真空ロードロックに積載されるようにしてもよい。キャリアと積載ポートとの間の接合部分およびキャリアとツールとの間の環境を適合できるようにする環境制御システムは、図１０〜１０Ａおよび１４に前述され、示されるものと実質的に類似してもよい。キャリア積載ポート接合および環境適合システムの別の適した実施例は、参照することにより本明細書に前述のように組み込まれる、２００５年８月２５日に出願された米国特許出願シリアル番号第１１／２１０，９１８号に記載される。ここで、図３８Ａを参照すると、キャリア内の環境を、異なる制御環境を有してもよい積載ポートに適合するためのプロセスを図示するフローチャートが示されている。図３８Ａの例示的な実施形態では、キャリアおよび積載ポートの両方は、同一ガス種（例えば同一種の不活性ガス）を保持してもよい。本実施形態では、キャリアと積載ポート／ツールとの間の環境の平衡が達成されるまで、キャリアの圧力がプロセス圧力より高い場合は、キャリアから例えば積載ポートチャンバ（または他の適したプレナム）への排気（接合部分を介して）を行い、キャリアの圧力が低い場合は、積載ポートまたはその他の適した供給元からキャリアにガスが挿入（接合部分を介して）されてもよい。図３８Ｂの例示的な実施形態では、積載ポートが大気環境（例えば清浄度の高い空気）を有し、例えば図３８Ａに関連して前述されたものと同様な方法で、キャリアと積載ポートとの間の平衡が確立されてもよい。図３８Ｃは、積載ポートが真空環境を有する例示的な実施形態におけるプロセスを図示する。キャリアおよび積載ポートが初期に異なるガス種を有する場合がある別の実施形態では、キャリアの初期環境は真空にされ、ドアが開口される前に、積載ポート内のガス種等がキャリアに投入（例えば積載ポートから）されてもよい。
【００７６】
再び図３７Ａを参照すると、前述されたように、例示的な実施形態における積載ポートは、ポートドア２３１０（ポートを開口および閉締するために）を上げるおよび下げる、ならびにウェハを処理するためにウェハのカセットをキャリアから積載ポートチャンバ内の所望の高さに上げることができるインデクサ２３０６を有する。インデクサ２３０６は、前述され、図８、９、１０〜１０Ａ、１４および１８に示される、ウェハによって占有される容量／環境から隔離されるインデクシングメカニズムを有する例示的な実施形態のものと類似してもよい。要約すると、インデクシングメカニズムの好適な実施例は、以下の配置を有してもよい：
・  ベローズを有する主ネジ−このメカニズムは、積載ポートのポートプレートに取り付けられた電気モータによって駆動される主ネジを採用する。清浄エリアに入る主ネジの一部分は、ベローズに封入される。ベローズは、動作中に概して清浄であり、疲労なく可撓性を維持することができる限り、金属、プラスチック、または繊維等のいかなる材料であってもよい。ベローズは、汚染物質生成メカニズムとウェハが置かれる清浄エリアとの間に障壁を提供する。ベローズの可撓性性質は、作動装置のストローク全体にわたり、本隔離を提供する。メカニズムのフィードバックは、モータまたは主ネジ上のロータリーエンコーダによるものであってもよく、運動の通路に沿ったリニアエンコーダからのものであってもよい。（図１４参照）
・  ベローズを有する空気圧シリンダ−駆動メカニズムが、空気圧シリンダによるものであることを除き、前述実施形態類（１）と類似する。例えば２つの位置間を移動するために使用されてもよい；例えば閉締され、下げられたポッド。（図９参照）
・  空気圧シリンダ遠隔駆動部の主ネジ−駆動メカニズムがウェハ容量の外側の離れた位置に置かれることを除き、前述実施形態と類似する（図１０参照）。積載ポートのポートプレートは、支持構造体で駆動部に取り付けられる。駆動部は、清浄エリアに露出されてもよいが、汚染物質は、空気流通路またはラビリンス封止によって制御される。空気流の使用は、生成され得る汚染物質をウェハの下にし、下方に押しやり、ウェハから離れるように、駆動部をウェハの下流に置く必要がある。ラビリンスまたはその他の「非摩擦」封止は、駆動部と清浄エリアとの間に固体障壁を提供することによって、粒子の導入をさらに制限することができる。第２に、駆動部は、処理ツール環境全体の外側に離れて置くことができる。これは、あまり清浄ではないＦＡＢ環境内の汚れている可能性のあるメカニズム内に置くが、あまり清浄ではないＦＡＢからプロセスツール環境を保護するために、ラビリンス封止を使用する。
・  ポートプレートに磁気で連結される駆動メカニズム−本実施形態は、ポートプレートと駆動メカニズムとの間に磁気連結具を採用する（例えば図８を参照、ただし反転されている）。磁気連結具は、駆動部を清浄エリアの外側に隔離できるようにする、空気ギャップにわたる非鉄鋼壁を介して動作してもよい。駆動方法は、主ネジ、空気圧シリンダ、またはリニアモータ等の前述されたいずれの種類であってもよい。後者は、運動の方向を抑制するために、空気ベアリングガイドと併用して清浄に動作できるため、清浄エリアの内側に存在してもよい。
【００７７】
ここで、図３９を参照すると、別の例示的な実施形態による、積載ポート２３００Ａおよびそこに接合されるキャリア２０００Ａ、ならびにウェハ空気流管理システムの断面図が示されている。キャリア２０００Ａおよび積載ポート２３００Ａはそれぞれ、前述された例示的な実施形態のキャリアおよび積載ポートに類似してもよい。図３９に示される実施形態では、例示目的のために、ポートドアが開口され、処理のためにカセットが積載ポートチャンバにインデックスされ、置かれている。キャリアが開口され、処理のためにウェハが置かれる際、ウェハの周囲の空気流は、ウェハの清浄度を維持することを助長してもよい。例えば、プロセスによっては、長時間にわたりウェハが下方位置に維持され、環境内の粒子がウェハ表面に堆積するリスクを増大する。さらに、適切な空気流がないと、積載ポートメカニズムによって生成されるいかなる汚染物質がウェハ表面上に堆積し得る。示される例示的な実施形態では、プロセス環境内の空気流の少なくとも一部分が「捕獲」され、ウェハにわたり流れるように方向を変更されてもよい。次いで空気は、ウェハ配送平面（ＷＴＰ）の処理環境下流の背面に排気される。例示的な実施形態では、空気流パターンは、ウェハ上面と平行な方向に水平に通過し、ウェハカセットの背面を出る。排気ルーティングは、空気がカセットから出た後、垂直に引き寄せ、フロアに向けられた排気ポートから出るように向ける。このアプローチは、解放ループまたは封止環境内で動作中、ウェハ表面にわたり、清浄で一定の流れまたは空気を維持することができる。例えば、積載ポートが窒素またはアルゴンのようなプロセス依存ガス種を有する環境内で動作する場合、示されるように既存の空気流の方向を変えて主流に戻すことは、制御ガス種に使用される閉締されたループ環境を支持する。
【００７８】
図３９に見られるように、例示的な実施形態では、例えばウェハがアクセスされる領域の上方に、プロセスミニ環境の垂直表面に対して供給エアフォイルが搭載される。この場所は、ＳＥＭＩ  Ｅ６３標準にあるＦＯＵＰドアオープナーのための予約空間である。エアフォイルは、ミニ環境からの既存の層流の容量を捕獲し、空気ストリームを垂直方向から水平方向に曲げる。例示的な実施形態では、ウェハカセットが積載ポートの外側表面の内部に下げられる際、拡散要素は、ウェハカセットの背面に置かれる。ディフュ−ザは、流れ特性により、例えば部分的に開く固体パネルから構成されてもよい。ディフュ−ザは、空気がダクトの排気側に入る前に、圧力の差を提供しながらウェハ上を通過する水平空気流の均一性を管理するように構成される。例示的な実施形態では、巡回の排気側は、ウェハにわたる空気の流れが確実に安定かつ均一なものとなるように、力誘起型であってもよい。例えば、プロセスツールのミニ環境ポートに向けられた出力口を有する排気側ダクトの内側に搭載される軸方向ファン等。あるいは、ユニットは、ファンおよび供給エアフォイルの構成なく使用されてもよく、ディフュ−ザおよび排気ダクトは、ウェハにわたる空気流が確実に安定した均一なものになるように配置されてもよい。
【００７９】
ここで、図４０Ａ〜４０Ｄを参照すると、個々の例示的な実施形態による、例示的キャリアのウェハ抑制の概略断面図が示されている。図４０Ａに示される例示的な実施形態は、ラジアルクランプウェハ抑制を図示する。クランピングは、カセットの並進側の壁によって提供されてもよい。メカニズムは、カセット内に存在し、積載ポートまたはポッドシェルとカセットの接合部分（Ｚ軸）のいずれかによって作動され動かされる（Ｚ軸）。別の実施形態では、ポッドシェルの内部に並進側壁があってもよい。メカニズムは、ポッドシェルを有して備えられ、積載ポート、ポートドア（ＯＨＴのＺ軸）へのポッドシェル、またはカセット（積載ポートのＺ軸）へのポッドのいずれかによって作動される。作動に先端材料（すなわち形状記憶材料または磁気拘束材料等）を使用する。図４０Ｂに示される例示的な実施形態は、ウェハ上面に対して実質的に垂直に向いたクランプ力を採用する、ウェハ制御体を図示する。例示的な実施形態では、カセットと一体の垂直に並進するフィンガーである。メカニズムは、カセット内に備えられる。メカニズムは、積載ポート、ポートドア（ＯＨＴのＺ軸）へのポッド、またはカセット（積載ポートのＺ軸）へのポッドのいずれかによって作動される。別の実施形態では、ポッドシェルまたはカセットと一体の軸外並進フィンガーである。メカニズムは、カセットまたはポッドシェルのいずれかに備えることができる。フィンガーは、ウェハに対して水平外角度で並進する（図４０Ｃ参照）。メカニズムは、積載ポート、ポートドア（ＯＨＴのＺ軸）へのポッドシェル、またはカセット（積載ポートのＺ軸）へのポッドシェルのいずれかによって作動される。別の例示的な実施形態では、ポッドシェルまたはカセットと一体である２ＤＯＦフィンガーである。フィンガーは回転し、次いでウェハと嵌合するために、垂直に並進する（図４０Ｄ参照）。メカニズムは、ポートドア（ＯＨＴのＺ軸）へのポッドシェル、またはカセット（積載ポートのＺ軸）へのポッドシェルのいずれかによって作動される。別の実施形態では、キャリア内のウェハ抑制は、いかなる他の適した構成を有してもよい。例えば、ウェハは、ウェハエッジ接触が支持される、例えばウェハと線形エッジ接触を形成するカセット上の支持体フィンガー間でＶ字型であってもよい。
【００８０】
ここで、図４１〜４１Ｂを参照すると、別の例示的な実施形態による、処理ツールＰＴおよび処理配置搬送システムを有する代表的な処理配置の概略斜視図、端部正面図、および上平面図がそれぞれ示されている。処理ツールＰＴは、ＦＡＢの処理ベイに配列されたツール等の例示的アレイで図示される。例示的な実施形態では、例えば搬送システム３０００は、処理ベイのツールを提供してもよく、搬送システム３０００は、ＦＡＢ全体搬送システムのイントラベイ部分であってもよい。例示的な実施形態では、搬送システム３０００は、前述され、図２９Ａ〜２９Ｄに示される例示的な実施形態のＡＭＨＳシステムのセクションと概して類似してもよい。搬送システム３０００は、図４１に見られる適した搬送接合部分を介して、ＦＡＢ  ＡＭＨＳシステムの別の（例えばインターベイ）部分３１０２と連通してもよい。前述されたように、示されるツールアレイ内の処理ツールＰＴの配置は、複数のツールの列を有する例示に過ぎない（実施例では、２つの列Ｒ１、Ｒ２が示されるが、別の実施形態では、より多いまたはより少ないツールの列を有してもよい）。示される実施例では、ツールの列は、実質的に平行に配置されてもよく（幾何学的ではあるが、互いに対して角度を付けられてもよい）、実質的に平行なプロセス方向を定めてもよい。異なるツールの列に沿ったプロセス方向は、互いと同一であっても対向してもよい。また、任意の列に沿ったプロセス方向は、ツールの列の一部分または領域に沿ったプロセス方向が１方通行となり、同一のツールの列の別の部分または領域のプロセス方向が対向通行となるように反転されてもよい。列Ｒ１、Ｒ２のプロセスツールは、異なるプロセス領域ＺＡ−ＺＣを画定するために、分散されてもよい（例えば図４１参照）。それぞれのプロセス領域ＺＡ−ＺＣは、列Ｒ１、Ｒ２内に１つ以上のプロセスツールを含んでもよい。別の実施形態では、プロセス領域にツールが置かれてもよいが、単一列である。理解され得るように、任意の領域内のプロセスツールは、補完プロセスを有する、および／または同様のツール処理率を有する等、プロセスに関連してもよい。例えばツール領域ＺＡは、高処理量（例えば１時間当たり約５００ウェハ（ＷＰＨ））のツールを有してもよいが、中処理量（例えばおよそ７５ＷＰＨ〜５００ＷＰＨ未満）のツールが領域ＺＢに置かれてもよく、低処理量（例えばおよそ１５ＷＰＨ〜１００ＷＰＨ）のツールが領域ＺＣに置かれてもよい。理解され得るように、いずれかの任意の領域を確定するツールは、同一でなくてもよく、任意の領域内の１つ以上のツールは、任意の領域内の他のツールとは異なる処理量またはプロセスを有してもよいが、それでもなお、領域内のツールが、少なくとも搬送の観点から組織的に適切であり、ある領域内でツールが組織化されるように、ツール間に関係が存在してもよい。図４１に図示されるツール領域は、例示に過ぎず、別の実施形態では、ツール領域は、いかなる他の所望の配置を有してもよい。
【００８１】
図４１に見られるように、搬送システム３０００は、キャリアをツールへ／ツールから搬送することができる。搬送システム３０００は、前述された例示的な実施形態および図２９〜３５に示される搬送システムと概して類似してもよい。図４１〜４１Ｂに示される例示的な実施形態では、搬送システム３０００は、オーバーヘッド構成（例えば搬送システムがツールの上方／上に置かれる）を有してもよい。別の実施形態では、搬送システムは、下部構成（例えば図３０〜３３に図示される搬送システムと類似する、例えば搬送システムがツールの下部に置かれる）等、いかなる他の適した構成を有してもよい。図４１〜４１Ｂに見られるように、搬送システムは、一般的に多数の搬送サブシステムまたはセクションを有してもよい。例示的な実施形態では、搬送システム３０００は、コンベヤセクション（例えば前述され、図２０〜２５Ｂに示されるソリッドステートのコンベヤと類似するもの、またはいずれかの他の適したコンベヤ）等、一般的にバルク材料／高速搬送セクション３１００を有してもよい。コンベヤセクションは、すべてのツール領域にわたり延在してもよく、例えばコンベヤセクションにキャリアが置かれる／から移動される際に停止／減速することなく、実質的に等速な搬送速度でキャリアを搬送してもよい。また、例示的な実施形態では、搬送システム３０００は、ストレージステーション／位置３０００Ｓ（図４１Ｂも参照）、１つ以上のストレージステーション／位置（図４２も参照）にアクセスできるシャトル３２０２を有するシャトルシステムセクション３２００、および接合する搬送システムセクション３３００を含んでもよい。例示的な実施形態では、接合する搬送システムセクションは、バルク搬送コンベヤセクション３１００によって搬送されたキャリア、またはストレージステーションのキャリアにアクセス可能であり、キャリアを処理ツールの積載セクションに移送可能であってもよい。例示的な実施形態では、ストレージステーション、シャトルシステムセクション３２００、および接合する搬送システムセクションは、搬送システムに沿って選択的に設置することが可能な選択設置可能部分に形成されてもよい。例示的な実施形態では、搬送システムセクション３１００、３３００、３２００は、搬送システムに設置するよう選択されたシステムセクションの一部分を容易に設置できるようにするためのモジュラーであってもよい。搬送システムに沿って設置するよう選択された搬送システムシャトルシステム、接合システム、およびストレージシステムセクションの一部分は、処理ツールの領域ＺＡ〜ＺＣに対応してもよい。理解され得るように、搬送システム３０００は、処理ツールまたは処理ツール領域に対応するように構成可能であってもよい。さらに、例示的な実施形態では、搬送システムは、領域ＴＡ〜ＴＣ内に構成可能であってもよく、一般的に処理ツール領域ＺＡ〜ＺＣと連通し、それらに対応する。したがって、搬送システムは、異なるシステムセクション構成を有する異なる領域を有してもよい。例示的な実施形態では、ストレージシステムおよびシャトルシステムセクションは、搬送システムの領域ＴＡ〜ＴＣのそれぞれに構成可能であってもよい。また、例示的な実施形態では、接合部分搬送システムセクションは、それぞれの領域に構成可能であってもよい。例示的な実施形態では、接合部分搬送システムは、選択設置可能な接合トランスポータ（図４１に示される実施例の構台）部分３３１０、３３２０を有してもよく、これらは、追加され、取り外されてもよく、搬送システムの領域ＴＡ〜ＴＣのそれぞれに多数の異なる配向で設置されてもよい。所望の接合部分搬送システム部分は、所望のツール接合部分および例えばツール領域ＺＡ〜ＺＣに対応するプロセスツールの処理速度に相応するアクセス速度を提供するために、搬送システムの領域内に設置されてもよい。図４１Ａに最もよくみられるように、接合部分搬送システムセクションは、選択可変数のトランスポータ進行平面を有してもよい（例えば領域ＴＣのいくつかは、単一接合トランスポータ進行平面（図４８参照）を有してもよく、その他の領域ＴＡ、ＴＢは、１つ以上のトランスポータ進行平面ＩＴＣ１、ＩＴＣ２（図４１Ａ、４６参照）を有してもよい）。複数の平面を有する領域では、トランスポータは、互いを通過して縦走できてもよい。２つの平面が示されるが、より多くまたはより少ないトランスポータ平面が提供されてもよい。例示的な実施形態では、搬送システムは、実質的に水平な進行平面を有して配置されるが、別の実施形態では、搬送システムは、接合トランスポータバイパスのための垂直な進行平面を有するものを含む、いかなる他の所望の配置を有してもよい。
【００８２】
低、中、高処理量のためにオーバーヘッドガントリーシステム（ＯＧＳ）を構成することができる。因子または処理を変更する能力は、フィールドの再構成が可能なモジュラーアセンブリによって行うことができる。これらのモジュラーアセンブリは、例えば３つのカテゴリ、低処理量、中処理量、高処理量に分類することができる。様々なモジュールの配置は、所望の移動側、ストレージ容量、および所望の処理量のベイへの分散等、多くの因子に依存してもよい。
【００８３】
低処理量：一例として、低処理量のツールまたはツール領域は、単一ガントリー３３１０に十分に収容することができる。この構成は、「フィーダ」ロボット３３２０またはシャトルシステム３２００を使用することなく、すべての所望の移動を提供してもよい。ガントリーは、キャリアをストレージからツールに移送することに加え、キャリアをイントラベイのコンベヤから掴み、ストレージ位置に移送する。キャリアを隣接するガントリー領域に移動するために、キャリアは、隣接するガントリーによる取り出しのために、イントラベイのコンベヤ上に置かれてもよく、またはストレージネスト内に置かれてもよい。本構成を用いて、間にあるガントリーが移動するまで、あるガントリーが別のガントリーを横断する。２つ以上のガントリーが並んで作業しており、１つに障害が発生した場合、隣接するガントリーが障害の発生したユニットの作業を引き受ける。作業量は減少するが、完全に中断されない。
【００８４】
中処理量：例えば、中処理量ツールまたはツール領域は、「フィーダ」ロボット３３２０（例えば追加ガントリー／トランスポータレベル）を追加することによって満たされる。本構成は、フィーダロボット３３２０および分類機／シャトル３３２００が追加された低処理量の配置と概して類似する。例示的な実施形態では、フィーダロボットおよび分類機／シャトルは、イントラベイのコンベヤからストレージへの移動のみを実行するための専用のデバイスであってもよい。すべてのフィーダロボットが、フィーダの片側（図４４参照）に２つのガントリーローダロボット３３１０、３３１２を採用することが望ましい場合がある。しかしながら、別の実施形態では、フィーダは、１つのローダロボットと対にされてもよい。分類機／シャトルの目的は、フィーダからキャリアを受け入れ、ストレージのための列を作ることである。本構成を用いることによって、「ローダ」ロボットは、イントラベイのコンベヤからキャリアを掴むという付加が追加されることなく、ストレージからツールへの移動およびその逆の移動にのみ集中することができる。システムは、隣接する低、中、または高処理量モジュールとともに動作することができる。ローダロボットに障害が発生した場合、隣接するローダロボットが、障害が発生したロボットの領域に移動し、作業する。（図４６および４７参照）。フィーダメカニズムに障害が発生した場合、個々のローダロボットが低処理量構成と同一の方法で動作する。両方の障害例において、システムは、容量は低減するが、動作中であり続ける。
【００８５】
高処理量：一例として、高処理量用途では、特定のツールまたはツール領域の需要を満たすようにガントリーモジュールを構成することができる。高処理量の配置は、ローダロボットをベイのそれぞれの側に、中処理量領域のものと類似するフィーダロボット配置、およびストレージにキャリアの列を作るための類似分類機／シャトルを有してもよい。（図４５参照）。ローダロボットは、より短い距離の移動を可能にするベイの側に置かれるツールに関与する。キャリアは、イントラベイのコンベヤシステムを介して高処理領域に出入りする。高処理量の構成は、ローダロボットの障害および／またはフィーダロボットの障害の両方に対する耐障害性を有する。ローダロボットに障害が発生した場合、障害の発生したロボットが領域から移動された後に、その他のローダロボットがベイの両側で作業してもよい。フィーダに障害が発生した場合、ローダロボットがイントラベイのコンベヤシステムからキャリアを掴む責任を負うようになる。ローダロボットおよびフィーダロボットの両方に障害が発生した場合、１つのローダロボットがすべての所望の移動に対する責任を負うようになる。
【００８６】
低、中、および高のそれぞれの構成は、所望の移動速度により、単一体として、または３つの配置のいずれかに隣接して動作することができる。システムは、システムにわたるキャリアの流れを完全に不能にするいかなる単一障害点も有さない。個々または複数の構成要素の障害に対する耐障害性に加え、システムは、複数の使用可能なキャリアの移動通路を活用することができる。ホストコントローラは、通常の動作条件下で、特定のキャリアの重要な移動に続くレベルを含む移動の標準セットを採用する。一時的なキャリア交通量の急増、ツール障害、または上流制限を克服するために、ホストの制御論理は、問題のあるエリアから離れてキャリアの流れのルートを再設定し、反転するためのスキームを開始することができる。図５０は、例示的な実施形態による、キャリアを点ＡからＢに移動する多くの方法を示す。
【００８７】
例示的な実施形態では、「フィーダ」ロボットは、イントラベイのコンベヤシステムからキャリアを取り出し、それらを適切なストレージ位置に置いてもよい。所望により、フィーダロボットは、ツールローダロボットがストレージからツールへの移動にだけ集中できるようにし、システムの全移動量を向上する。フィーダは、イントラベイのコンベヤが限られた障害または障害なく（例えば図２０のものと類似するアクセスレーンからキャリアにアクセスする際のコンベヤの障害が存在しない場合がある）移動できるようにする迅速な短距離移動を利用する。フィーダメカニズムは、ガントリーシステムの作業負荷を軽減する。様々な運動を支援するための予想される駆動メカニズムには、リニアモータ、ボールネジ、空圧駆動、ベルト駆動、摩擦駆動、および磁気推進が含まれる。以下の実施形態は、前述された前提に基づき、実施することができる：
１．フィーダロボットは、ｘ方向（ベイの長手）に固定され、ｙ（ベイの横軸）およびｚ（垂直）方向における自由度を有することを除き、ガントリーローダロボットと類似する。フィーダメカニズムは、ローダロボットがペイロードなく通過できるように、ツールローダロボットの下方の平面上に置かれる。積載ポート領域の上方のエリアは、ローダロボットがペイロードを有するフィーダにわたり移動できるように解放されている。フィーダシステムは、運搬車が上昇位置にある場合に、イントラベイのコンベヤを通過し、キャリア上を移動し、掴むために十分な空間を有するように、垂直に置かれる。フィーダは、上方からキャリアにアクセスし、短距離垂直ストロークを使用してイントラベイのコンベヤシステムからキャリアを掴み、所望のストレージフランジに置く。本構成では、ストレージレーンは、イントラベイのコンベヤと同一平面上に存在する。ストレージレーンは、ストレージ列に沿う次の位置にキャリアを往復させるために使用される２方向分類機／シャトルメカニズムを所有する。シャトル駆動メカニズムは、例えば、ベイの長手に沿うピッチ間隔の少なくとも１つにキャリアを移動できるように設計される。ピッチ間隔は、ガントリーツールローダロボットがフィーダロボットに隣接して進行し、障害なくキャリアを掴むことができる距離として定義することができる。また、所望により、分類機／シャトルも、隣接するローダロボット領域とストレージレーンとの間でキャリアを搬送するために使用される。例えば、キャリアの一連の動きは、以下である：
・  イントラベイのコンベヤは、ベイの長手に沿うフィーダロボットの固定Ｘ位置で一瞬停止する。
・  フィーダロボットは、以前のＹ位置からイントラベイのコンベヤ上のキャリアの直上まで進行する。
・  フィーダロボットがキャリアを掴む。
・  フィーダロボットは、特定のシャトルレーンまでＹ方向（ベイの横軸）に進行する。
・  フィーダロボットは、キャリアをシャトル上に置き、次の移動に進む。
・  シャトル／分類機メカニズムがキャリアをＸ方向に推進する。
・  ガントリーツールローダロボットは、ストレージ位置に移動し、次いでキャリアを掴み、適切なツールに置く。
【００８８】
例示的な実施形態によるシステムのいくつかの利点の例には、従来のシステムを上回る向上したウェハ処理量、キャリアの移動を完了するための複数の移動通路、および向上した耐障害性が含まれる。
図４８に示される別の例示的な実施形態によると、フィーダロボットは、シャトルおよびイントラベイのコンベヤシステムの直下にある平面上にある線形ステージとして実装される。ステージは、実施形態１と同一の自由度を有し、上方というよりは、下方からキャリアを掴む。一度キャリアがイントラベイのコンベヤから捕獲されると、ベイと逆に推進され、適切なシャトル上に開放する。本構造は、コンベヤレーンを装置境界間のどこにでも置くことができるという利益を有する。例えば、イントラベイのコンベヤは、実施形態１のように、外側というよりは中心にあってもよい。本配置のその他の利点は、実施形態１では、ローダがこの移動を実行できるのは、積載ポート領域内に位置する場合のみに制限されているのに対して、ローダロボットは今、ベイ内のいかなるＹ位置においてペイロードを有するフィーダメカニズムを通過することができるということである。さらに、ローダロボットは、衝突を回避するためにフィーダジオメトリと通信する必要がない。フィーダおよびローダロボットの両方は、ペイロードを有し、互いに接合せずに同一の垂直空間を占有することができる。本構成の一連の動きは、上方というよりは下方からキャリアを掴むことを除き、実施形態１と同一である。
【００８９】
別の実施形態では、下方からのオーバーヘッドまたはメカニズムは、Ｘ（ベイの長手）、Ｙ（ベイの横軸）、およびＺ（垂直）方向に移動することができる。本構成では、３軸フィーダが必要に応じて特定のストレージレーンおよびスロットに移動できるため、シャトル／分類機が使用されなくてもよい。例えば、キャリアは、イントラベイのコンベヤから移動され、適切なストレージレーンに置かれ、次いでストレージ内のキャリアの初期待ち行列に向かって垂直に並進される。図４９に最もよく見られるように、その他の例示的な実施形態によると、ＦＡＢフロアからＯＨＴシステムが到達可能な最高点に延在するキャリアジオメトリと一致する容量のキャリアストレージを可能にし、ベイの長手方向全体にわたり配置することができる、垂直ストレージコラムを提供することによって向上したストレージ容量が生成されてもよい。
【００９０】
理解され得るように、図４１に図示されるような例示的な実施形態では、搬送システム３０００によって提供されるプロセスツールＰＴの接合部分または積載および積卸ステーション（例えば、図３７Ａ〜３７Ｃおよび３９をさらに参照のこと）は、互いに対して異なる向きを有してもよい。以後に記載されるように、積載ステーションおよび／またはプロセスツールの向きは、積載ステーションまたはプロセスツールのいかなる側部あるいは表面部の位置または配向も特に示さなくてもよいが、むしろ、キャリアからプロセスツールへ積載する積載ステーションおよび／またはウェハに結合されるキャリアに対し、積載ステーションおよび／またはプロセスツールの所定の配向を特定する積載ステーションまたはプロセスツールの特性（どのようなものであってもよい）を示す。搬送システム３０００によってプロセスツールＰＴへ、およびそこから搬送されるキャリアは、異なる向きで、異なるツールの積載ステーションに結合される際、それぞれの積載ステーションの向きに対応する異なる配向で結合することができる。したがって、搬送システム３０００によって提供される、異なるプロセスツールの積載ステーションに結合されるキャリアは、互いに対して異なる配向を有してもよい。プロセスツールの積載ステーションに結合するキャリアが置かれる接合部分は、所望の配向で、例えば、積載ステーションの向きに対応して、キャリアと結合することができるように分裂されてもよい。キャリア（図１〜５、および３６Ａ〜３６Ｄのキャリア２００に概して類似してもよい）は、プロセスツールＰＴの積載ステーションへの結合に関して、同型の構成を有さなくてもよい。一例として、キャリアは、ケーシングまたは筐体を有してもよく、それは、外見または形状が概して同型であってもよいが（例えば、図１および３６Ａを参照のこと）、プロセスツールの基準座標系に対して所望の配向で、基板を伴い積載されてもよい。したがって、プロセスツールＰＴの積載ステーションに結合される際、キャリアは、内部の基板が処理ツールのために指定される所望の配向であるように、積載されてもよい。代替の実施形態では、キャリアケーシングは、キャリアをプロセスツール積載ステーションに結合するための所望の配向を画定する非同型の形状を有してもよい（例えば、キャリアは、ＦＯＵＰに類似であってもよく、ケーシングの一所望の側部または表面部で基板移送開口部を伴うようなケーシングを有する）。例示的な実施形態では、キャリアＣＡＲ２００は、キャリアの配向を示すための適した識別子または記号（例えば構造的または電子的な）を有してもよい。理解され得るように、搬送システム３０００の制御システム（図示せず）は、ツールＰＴ間で搬送されるキャリアとして、搬送システム３０００によってＦＡＢを通り、キャリアＣＡＲ２００の配向をキャリアの識別子または記号から識別および／またはトラックするように、適して構成またはプログラムされてもよい。制御システムは、キャリアが搬送システム３０００によって、積載ステーションの所与の向きに対応する配向で積載ステーションに積載され結合されるように、キャリアＣＡＲ２００の配向を積載ステーションの向きに関連付けるために構成されるか、またはプログラムされてもよい。図４１および５０に図示される例示的な実施形態では、搬送システム３０００は、独立するθ運動（例えば、図４１Ａに示されるような、キャリア配向を変更するためのキャリアの回転）を搬送されるキャリアに提供するように配置されるθ駆動システム３６００のような、描写目的のために示されてもよいものを含んでもよい。搬送システム３０００の駆動システム３６００は、以下にさらに記載されるように、任意の他の方向（図４１を参照してｘ、ｙ、ｚ方向など）へのキャリア移動に無関係である、キャリアのθ運動または回転を生じてもよい。したがって、例示的な実施形態の搬送システム３０００は、キャリアをプロセスツールへ、およびそこから搬送するための４自由度移動（ｘ、ｙ、ｚ、θ）を可能にしてもよい。代替の実施形態では、搬送システムは、より多い、またはより少ない自由度で、キャリア搬送移動を有してもよい。例示的な実施形態では、θ駆動システム３６００は、また、以下にさらに記載されるように、「オンザフライ」のキャリアで、キャリアの独立するθ運動を生じるように配置されてもよい。
【００９１】
前述されてきたように、プロセスツールＰＴは、互いに対して異なる向きで、積載ステーションＬＳＲ１、ＬＳＲ２を有してもよく、搬送システム３０００によって、異なる積載配向で（積載ステーションの向きに対応する）、キャリアを積載ステーション上に置いてもよい。図４１および５０を再び参照すると、図示される例示的な実施形態では、搬送システム３０００によって提供されるプロセスツールＰＴは、列Ｒ１、Ｒ２で配置されてもよい（前述されたが、代替の実施形態では、プロセスツール、およびそれらに対応する積載ステーションは、列または行を使用しても使用しなくてもよく、および任意の所望のアレイまたは連続的な配置を有してもよい任意の所望の配置で位置されてもよい）。図４１Ａに最も良く見られるように、例示的な実施形態では、それぞれの列Ｒ１、Ｒ２でプロセスツールＰＴは、プロセスツールの対応する積載ステーションＬＳＲ１、ＬＳＲ２が概して互いに向き合うことができるように置かれてもよい。したがって、図４１Ａから理解され得るように、積載ステーションＬＳＲ１または列Ｒ１のプロセスツールは、列Ｒ２の積載ステーションＬＳＲ２の向く方向（矢印ＬＳＡ２によって示される）よりも、実質的に反対（例えば、約１８０°離れる）になる方向（図４１Ａで矢印ＬＳＡ１によって示される）に向いてもよい。積載ステーションの向く方向は、各列で類似してもよいが（例えば、積載ステーションＬＳＲ１、ＬＳＲ２は、ツールの列Ｒ１、Ｒ２に対応して、それぞれ、方向ＬＳＲ１、ＬＳＲ２に概して向いてもよい）、代替の実施形態では、１つ以上の列の１つ以上のツールは、同様のツールの列でのツールの他の積載ステーションと異なる向きで、積載ステーションを有してもよい。他の代替の実施形態では、積載ステーションは、１８０°よりも多く、またはそれより少なく離れた異なる方向に向いていてもよい。さらに他の代替の実施形態では、搬送システムによって提供されるツールの積載ステーションは、類似の向き方向を有してもよい。図４１Ａは、例示目的で、積載ステーションＬＳＲ１に結合されたＣＡＲ２００を示す。積載ステーションＬＳＲ１上のキャリアＣＡＲ２００は、示される実施形態では、積載ステーションＬＳＲ１の向き（矢印ＬＳＡ１によって示される）に対応するように配向されてもよい（例示目的で概略的に描写される、配向機構ＣＡＲ  Ａによって示されるように）。図４１Ａは、さらに、積載ステーションＬＳＲ２の向き（ＬＳＡ２によって示される）に対応するように配向される（機構ＣＡＲ  Ａ’によって示されるように）積載ステーションＬＳＲ２に結合される際のキャリアＣＡＲ２００’（ファントムによって示される）を示す。図４１Ａから理解され得るように、例示的な実施形態では、積載ステーションＬＳＲ２に結合されるキャリアＣＡＲ２００の配向は、積載ステーションＬＳＲ１に結合される際、キャリアの配向から、約１８０°であってもよい。代替の実施形態では、異なる向きを有する積載ステーションに結合されるキャリアの配向の差異は、１８０°よりも多くてもよく、または少なくてもよい。例示的な実施形態では、例えばθ駆動システム３６００を使用する搬送システム３０００は、キャリアを所望の積���ステーションと結合するために、キャリアを所望の配向ＣＡＲ  Ａ、ＣＡＲ  Ａ’に配向するためにキャリアＣＡＲ２００（θ回転など）を回転することが可能である。図４１Ａから理解され得るように、搬送システム３０００のθ駆動システム３６００は、約１８０ｏのキャリアのθ回転を生じることが可能であってもよく、例示的な実施形態では、θ駆動システム３６００によるキャリアＣＡＲ２００のθ回転は、以下にさらに記載されるように、約２７０°であってもよい。代替の実施形態では、θ駆動システムは、任意の所望の量で、キャリアのθ回転を生じることが可能であってもよい。
【００９２】
さらに図４１を参照すると、例示的な実施形態では、搬送システム３０００は、以前に記載されるように、概して、高速搬送セクション３１００（搬送運搬車の有無を問わない、コンベヤまたは他の適した質量あるいはバルク材料搬送部など）と、接合部分搬送システムセクション３３００（搬送セクション３１００が、動作中、実質的に連続的に、コンテナの積載ステーションへの積載および積卸に無関係である実質的に一定の搬送速度を維持することができるように、高速搬送セクションとツール積載ステーションとの間でキャリアを接合する）と、を備えてもよい。図４２では、接合搬送セクション３３００は、例示目的で、オーバーヘッドガントリー３３１０構成を有するように図示され、代替の実施形態では、接合部分搬送セクションは、任意の他の適した構成を有してもよい。図４２に示される例示的な実施形態では、ガントリー３３１０（接合部分搬送システムは、所望の数のガントリーを伴い、モジュール構成されてもよい）は、概して、２つの軸の進行（例えば、ｘ、ｙ軸、図４１をさらに参照のこと）を提供するように配置されたトラバーサー３３１４を伴う並進基盤３３１２を備えてもよい。トラバーサー３３１４は、ガントリーのキャリアグリップが、キャリアＣＡＲ２００を捕獲し保持するために、例えば、上げられ、および下げられて、つまりＺ軸の進行を生じることができるように、任意の適した構成を有してもよく、ホイストデバイスを含んでもよい。トラバーサー運搬車の適した例は、Ｂｒｏｏｋｓ  Ａｕｔｏｍａｔｉｏｎ，  Ｉｎｃから入手可能であるＡｅｒｏｌｏａｄｅｒＴＭ搬送運搬車であってもよい。前述されたように、ガントリー３３１０は、キャリアをコンベヤセクション３１００から拾い上げるか、またはそこに置くように、およびキャリアを拾いプロセスツールの積載ステーションに置くように配置されてもよい（図４３〜４５をさらに参照のこと）。例示的な実施形態では、ストレージステーション３０００Ｓをさらに提供してもよく（例えば、図４１Ｂを参照のこと）、接合部分搬送セクション（例えば、ガントリー３３１０）は、あらゆる搬送コンベヤセクション３１００上で、またはプロセスツールのストレージステーション３０００Ｓ、あるいは積載ステーションで、コンテナにアクセスしてもよく、前述されたように、その間のキャリアＣＡＲ２００を、任意の所望の順で移動してもよい。前述されるように、図５０は、いずれのコンベヤセクション３１００Ｒ１、３１００Ｒ２とツールの列Ｒ１、Ｒ２のいずれかにおける任意の積載ステーションＬＳＲ１、ＬＳＲ２との間で、または同様または異なるツールの列における任意の２つの積載ステーションＬＳＲ１、ＬＳＲ２の間で、または任意の積載ステーションＬＳＲ１、ＬＳＲ２とストレージステーション３０００Ｓとの間でなど、接合部分搬送セクション３３００のガントリー３３１０によって生じさせてもよい、いくつかのキャリアの移動のそれぞれの例を図示する。
【００９３】
例示的な実施形態では、ガントリー３３１０は、以下にさらに記載されるように、θ駆動システム３６００を含んでもよい。図５０で見られるように、例示的な実施形態では、キャリアＣＡＲ２００は、接合部分搬送セクション３３００による搬送の間など、所望通りにキャリア配向を変更するために回転されてもよい（矢印θによって示されるように）。例として、コンベヤセクション３１００Ｒ１、３１００Ｒ２、によって運ばれる際、キャリアＣＡＲ２００は、任意の配向を有してもよい。言い換えれば、コンベヤ搬送部のキャリアＣＡＲ２００の配向は、積載ステーションＬＳＲ１、ＬＳＲ２で、キャリアが置かれる配向と異なってもよい。例えば、キャリアＣＡＲ２００は、その目的地である積載ステーションに結合される際、コンベヤ搬送部３１００Ｒ２上で、キャリアの所望の配向（機構ＣＡＲ  Ａ’によって示される）から約２７０°（時計回りに）であってもよい配向（図５０で示される機構ＣＡＲ  Ａによって示されるように）で、置かれてもよい。キャリアＣＡＲ２００は、接合部分搬送セクション３３００のガントリー３３１０によって、概して、図５０で矢印Ｃ２Ｌ１によって示されるように、コンベヤ３１００Ｒ２から所望の積載ステーションＬＳＲ１へ移動してもよい。例示的な実施形態では、キャリアの配向は、キャリアＣＡＲ２００を積載ステーションＬＳＲ１に結合するために、搬送セクションによって、移動の間（例えば、時計回りに約２７０°のθ回転）、初期配向（機構ＣＡＲ  Ａによって示される）から、コンベヤ上で、所望の積載配向（機構ＣＡＲ  Ａ’によって示される）に変更されてもよい。図４２Ａは、代表的な積載ステーションＬＳＲ２に近接であるトラバーサー３３１４によって保持されるキャリアＣＡＲ２００を伴う、例示的な位置の、接合部分搬送セクション３３００のガントリー３３１０の部分概略斜視図である。積載ステーションＬＳＲ２に近接するガントリーによってホイストされ、積載ステーションの向きに対応するように配向される、キャリアＣＡＲ２００が示される。示される位置は、キャリアを積載ステーションに結合する前またはそれから離した後の代表的な位置であることができる。理解され得るように、搬送システム３０００によって搬送されるキャリアは、図５０に示される移動通路に沿ってなど、（例えば、移動通路Ｃ２Ｌ１）、積載ステーションＬＳＲ１、ＬＳＲ２の積載および積卸のために、図４２Ａに示されるように、ガントリー３３１０によって置かれてもよい。例示的な実施形態では、配向を変更するためのキャリアＣＡＲ２００のθ回転は、積載ステーションに結合することを可能にするためなど、ガントリーがキャリアを積載ステーションに移動する際に「オンザフライ」で生じてもよい。キャリアのθ回転は、ガントリーによってキャリアが移動する間、任意の所望の時間で生じてもよい。代替の実施形態では、キャリアのθ回転は、「オンザフライ」では行われなくてもよい。例示的な実施形態では、ガントリーは、キャリアを積載ステーションＬＳＲ１、ＬＳＲ２から積卸し、キャリアを所望のコンベヤ３１００Ｒ１、３１００Ｒ２に移動してもよく、移動の間のθ回転によって、キャリアの配向を変更してもよい。例えば、キ���リアは、その次の期待される目的地または積載ステーションに対応する配向などの所望の配向でキャリアを事前に置くように回転してもよい（次の期待される目的地およびその対応するキャリア配向の両方は、搬送システムコントローラによって識別されてもよい）。前述されるように、キャリアＣＡＲ２００は、コンベヤ搬送部３１００Ｒ１、３１００Ｒ２と積載ステーションＬＳＲ１、ＬＳＲ２との間、または同様または異なるツールの列Ｒ１とＲ２との積載ステーション間で、移動する際、少なくとも一時的に、１つ以上のキャリアストレージステーション３０００Ｓで、設置されてもよい。キャリアの配向は、ストレージステーション内に置かれる際、さらに、積載ステーションに結合される際の所望のキャリア配向と異なってもよい。例えば、キャリアは、接合部分搬送セクション３３００（例えば、ガントリー３３１０またはフィーダロボット３３２０、図４２、４４をさらに参照のこと）によってなど、ストレージステーション３０００Ｓに置かれる際、いくつかの前の基準に対応する配向を有してもよい（例えば、キャリアが最後に積卸された積載ステーションに対応する配向であってもよい）。本配向は、キャリアが結合される次の積載ステーションに対応するものと異なるものであってもよい。したがって、例示的な実施形態では、ガントリーは、キャリアをストレージステーション３０００Ｓから積載ステーションに移動する際（図５０の矢印ＳＬ１によって示される通路に沿ってなど）、所望通りにその配向を変更するために、キャリアのθ回転を生じてもよい。キャリアのθ回転は、以前に記載されたものと類似である「オンザフライ」で行われてもよい。キャリアは、さらに、ガントリーによって、ストレージステーション３０００Ｓへ、後続の接合部分に関して所望の配向で置かれてもよい（例えば、キャリアを積載ステーションから積卸する際の、前述されたものと類似する方法で）。ガントリーは、キャリアの配向を、θ回転によって、キャリアを積載ステーションからストレージステーションに移動する際、変更してもよい。例示的な実施形態では、ガントリーは、さらに、キャリアをコンベヤ搬送部からストレージステーションに移動する際、キャリアを事前に配向するためにキャリアを回転してもよい。例示的な実施形態では、異なる列Ｒ１、Ｒ２の積載ステーションＬＳＲ１、ＬＳＲ２へ、キャリアの搬送を生じるように置かれたガントリー３３１０は、キャリアを、１つの列Ｒ１、Ｒ２の積載ステーションから他の列Ｒ１、Ｒ２の積載ステーションへ移動してもよく（１つの移動または一連の移動で）、移動の間のθ回転によって、キャリア配向を変更してもよい（キャリアが除去される積載ステーションに対応する初期配向から目的地である積載ステーションに対応する最終配向へ）。
【００９４】
図４２Ｂ〜Ｄをさらに参照すると、例示的な実施形態では、ガントリー３３１０のθ駆動システム３６００は、トラバーサー運搬車３３１４に含まれてもよい。図に示され、以下に記載されるθ駆動システムの構成は、例示目的のみであり、代替の実施形態では、θ駆動システムは、任意の他の適した構成をも有してもよい。例示的な実施形態では、トラバーサー運搬車３３１４は、概して、ベース運搬車セクション３３４０、ホイストメカニズム３３４２およびキャリアグリッパーセクション３３４４を有してもよい。ベース運搬車セクション３３４０は、例示的な実施形態では、移動可能に、ガントリーの並進基盤で支持される（図４２を参照のこと）。ホイストメカニズム３３４２は、キャリアグリッパーセクション３３４４をベース運搬車セクション３３４０に取り付ける。ホイストメカニズム３３４２は、ベース運搬車セクション対してキャリアグリッパーセクションを上げ下げするために、上げ下げされてもよい。キャリアグリッパーセクションは、キャリアに接合しそれをグリップし解放するように構成されてもよい。ここで、図４２Ｃ〜４２Ｄを参照すると、それぞれ、キャリアグリッパーセクション３３４４の概略斜視図および上面図が示される。例示的な実施形態では、θ駆動システム３６００は、キャリアグリッパーセクション３３４４に含まれてもよい。代替の実施形態では、θ駆動システムは、任意の他の所望の方法で、ガントリートラバーサーに組み込まれてもよい。例示的な実施形態では、キャリアグリッパーセクション３３４４は、互いに枢動可能に接合される上側および下側パーツ３３４４Ｆ、３３４４Ｒを含んでもよく（回転シャフトなど）、パーツ間の相対的回転（図４２Ｃの矢印θによって示される方向で）を可能にする。例示的な実施形態では、上側パーツ３３４４Ｆは、ホイストバンドまたは部材３３４２Ｈ（図４２Ｂを参照のこと）に接合されてもよい。下側パーツ３３４４Ｒは、キャリアを嵌合するためのキャリアグリッパーメカニズムを有してもよい。理解され得るように、グリップメカニズムによってグリップされる際、キャリアは、トラバーサーキャリアグリッパーセクショの下側パーツ３３４４Ｒに対してロックされてもよい。図４２Ｂ〜Ｄで示される例示的な実施形態では、θ駆動システム３６００は、概して、モータ３６０２（適したサーボまたはステッパーモータなど）、シャフト３６０４およびエンコーダ３６０６を備える。モータ３６０２は、キャリアグリッパーセクションの上側パーツ３３４４Ｆに固定される、およびシャフト３６０４に搭載されるロータを有してもよい。シャフト３６０２は、キャリアグリッパーセクションの下側パーツ３３４４Ｒに固定されてもよい。したがってモータは、下側パーツ３３４４Ｒを回転させることが可能であってもよく、つまりキャリアは、キャリアグリッパーによってグリップされる。エンコーダ３６０（任意の適した種類であってもよい）は、制御システム（図示せず）に対してシャフトの絶対的なおよび進行的な位置の両方を識別してもよい。前述のように、例示的な実施形態では、θ駆動システムは、約２７０°または、θ回転を提供するように配置されてもよい。したがって、このことは、搬送システムが、キャリ���を、あらゆる初期配向から少なくとも約＋９０°回転させることを可能にする。代替の実施形態では、θ駆動システムは、任意の所望の構成を有し得、任意の所望の範囲の回転を通じてキャリアを回転することが可能であり得る。
【００９５】
別の実施形態では、所望により、ＦＡＢ内のストレージ密度を向上するための円筒型キャリアネストを置くことができる。円筒型ストレージネストは、キャリアを重ねて保持し、キャリアを指定の高さまで上げるまたは下げるメカニズムを提供することができる。垂直運動のメカニズムは、空気圧式、機械式、または磁気式であってもよい。
【００９６】
ここで、図５１を参照すると、さらに別の例示的な実施形態による、搬送システム４０００の概略平面図が示されている。図５１に図示される例示的な実施形態では、搬送システムは、例えばＦＡＢ全体搬送システムのインターベイ部分等の代表的なセクションであり、別の実施形態では、搬送システムは、いかなる所望の寸法および構成を有してもよい。図５１に示される例示的な実施形態では、搬送システム４０００は、前述され、図４１〜５０に図示される搬送システム３０００と概して類似してもよい。類似機構には、類似番号が付けられている。搬送システム３０００と同様に、図５１に示される例示的な実施形態では、搬送システム４０００は、バルクまたは高速大量搬送セクション４１００（例えばコンベヤ）および接合セクション４２００を有してもよい。示される本実施形態の接合セクション４２００は、例示に過ぎず、別の実施形態では、いかなる所望の数のサブセクション（例えば前述されたものと類似するストレージセクション、シャトルセクション）を有するいかなる所望の構成を有してもよい。一般的に、接合セクション４２００は、バルク搬送システムセクション４１００とプロセスツールとの間のキャリアを接合できる多数のフィーダロボットを有してもよい。バルク搬送システムセクション４１００は、前述され、一部分が図２０に示される搬送システム５００と概して類似してもよい。図５１に示される例示的な実施形態では、バルク搬送システムセクション４１００は、ソリッドステートのコンベヤシステムを有するトラックを備えてもよい。トラックは、参照することによりその全体が本明細書に前述のように組み込まれる、米国特許出願シリアル番号第１０／６９７，５２８号に記載されるものと類似する、ソリッドステートのコンベヤシステムを有してもよい。図５１に示される例示的な実施形態では、搬送システム４１００は、搬送システムによるキャリアの搬送が、搬送されているその他のキャリアの動きから実質的に分断される、非同期搬送システム（搬送システム５００と類似する）であってもよい。したがって、１つ以上のキャリアは、搬送中に搬送システムのキャリア搬送ストリーム内のその他の隣または近接キャリアの搬送速度に影響を与えることなく、独立して動作する（例えば加速／減速、停止、積載／積卸）ことが可能であってもよい。
【００９７】
図５１に示される例示的な実施形態では、以後バルク搬送機４１００と称するバルク搬送システムセクションは、一般的に主搬送トラック４１００Ｍを備える。また、バルク搬送機４１００は、多数のサイディングトラック４１００Ｓを有してもよい。例示目的のためにループとして図５１に示され、別の実施形態では、いかなる他の所望の形状を有してもよい主搬送トラック４１００Ｍは、バルク搬送機によって搬送されているキャリアの主搬送通路（またはストリーム）を画定する。例示的な実施形態の説明は、特にキャリアを参照するが、本明細書に記載される機構は、バルク搬送機によって搬送されるペイロードのプラテンまたはその他の起動デバイス上に（基板）キャリアが置かれる場合がある別の実施形態にも同様に適用することができる。例示的な実施形態では、主搬送通路は、連続的かつ実質的に等速であってもよい。したがって、主搬送トラック４１００Ｍ上で搬送されるキャリアは、搬送システム上で停止したキャリアからの障害なく、主通路上の搬送機全体にわたり、持続的かつ高速に進行することが可能である。採用されたサイディングまたは分岐トラック４１００Ｓは、搬送速度を決定するバルク搬送上のキャリアの動作を主搬送通路から分断できるようにする。前述されたように、速度を決定する動作は、主搬送通路に障害を与えることなく、サイディングトラックから実行されてもよい。したがって、サイディングトラック４１００Ｓは、例えばキャリア緩衝装置、積載／積卸位置または通路切り替えデバイスを画定してもよい。例示的な実施形態では、１つのサイディングトラックが示されるが、例えば、および別の実施形態では、いかなる所望の数のサイディングトラックがあってもよい。また、二股に分かれ、実質的に直線状のセグメントで再度合流する、示される例示的な実施形態におけるサイディングの構成も、例示に過ぎず、別の実施形態では、サイディングトラックは、いかなる他の所望の構成を有してもよい。例えば、サイディングトラックは、主トラックループの対向側間（任意のベイ内）で分岐してもよく、または例えば図２９Ａ、２９Ｂに示されるような異なるインターベイ（例えばインター−インター）搬送セクション、もしくはインター−イントラ（あるいはその逆）搬送セクションの主トラック間で分岐してもよい。別の実施形態では、サイディングは、主トラックと異なる配向を有してもよく、主トラックの上または下を横断してもよい。その他の別の実施形態では、所望により、実質的に直角の交差点または切り替え等が主トラックとサイディングトラックとの間の交差点に配置されてもよい。
【００９８】
例示的な実施形態では、主およびサイディングトラック４１００Ｍ、４１００Ｓは、バルク搬送機のトラックを組み合わせるためにモジュールで接続されるモジュラートラックセグメントＡ、Ｂ、Ｃ、Ｄ、Ｌを備えてもよい。キャリアは、例えばリニアモータによってバルク搬送機のトラック４１００Ｓ、４１００Ｍ上で駆動されてもよい。前述されたトラック５００と同様に、リニアモータのフォーサーは、トラック４１００Ｍ、４１００Ｓ内／上に置かれてもよく、リニアモータの反応部分は、キャリア上にあってもよい。キャリアは、キャリアの適したソリッドステートの支持体部材上で作用する非接触型または滑らかなベアリング（例えば空気／ガスベアリング）磁気浮上システム、または接触型ベアリング（例えばローラー、ボール／ローラーベアリング等）のトラック内の適したデバイスによって、トラック上で移動可能に支持されてもよい。別の実施形態では、キャリアは、車輪、ローラー、ガス／空気ベアリング等、そこに一体化された起動支持体を有してもよい。理解され得るように、主およびサイディングトラック上でキャリアを支持する起動支持体は、それぞれのキャリアをトラックにわたり安定して支持するために、トラック上でいかなる所望の配置を有してもよく、キャリアがトラックに沿って自由に移動できるように、主およびサイディングトラックに沿って分布されてもよい。例示的な実施形態では、リニアモータは、例えば線形誘導モータ（ＬＩＭ）、リニアブラシレスＤＣモータ（等）である場合があるが、別の実施形態では、バルク搬送機の主およびサイディングトラックに沿ってキャリアを促すために、いかなる所望のリニアモータまたはいずれかの他の種類のモータ／駆動部が使用されてもよい。前述されたように、例示的な実施形態では、ＬＩＭのフォーサー（または相巻線）４１２０、４１２０Ｍ、４１２０Ｓは、搬送機の主およびサイディングトラックを形成するトラックモジュールＡ、Ｂ、Ｃ、Ｄ、Ｌ内に置かれ、キャリアは、以下にさらに詳細に記載されるＬＩＭの反応速度／部材を有する。別の実施形態では、キャリアまたは運搬車プラテンにモータコイルが搭載されてもよく、トラックに磁気反応要素が搭載されてもよい。
【００９９】
さらに図５１を参照すると、示される例示的な実施形態の主４１００Ｍおよびサイディング４１００ＳトラックのモジュラーセグメントＡ、Ｂ、Ｃ、Ｄ、Ｌは、代表的なものであり、別の実施形態では、いかなる所望の構成を有してもよい。トラックセグメントＡ、Ｂ、Ｃ、Ｄ、Ｌは、指示がない限り、概して類似する。図５１に見られるように、例示的な実施形態では、トラックセグメント（モジュール）は、一般的にシングルトラックセグメント（例えばＡ、Ｃ、Ｄ、Ｌ）および接合部（トラック切り替え）セグメントを含んでもよい。別の実施形態では、いずれかの他の所望のモジュラートラックセクションが使用されてもよい。例えば、別の実施形態では、任意のトラックモジュールは、非接合マルチトラックモジュールと称される場合がある、一般的に互いに平行して延在する、複数のトラック（それぞれが異なるキャリア搬送通路を形成する）を含んでもよい。例示的な実施形態では、シングルトラックセグメントは、実質的に直線状のセグメントＡ、Ｄ、Ｌおよび湾曲状のセグメントＣを含んでもよいが、別の実施形態では、シングルトラックセグメントは、いかなる他の所望の形状を有してもよい。示される例示的な実施形態では、トラックセクションは、描写目的のために、実質的に共通高度に描画される。別の実施形態では、主およびサイディングトラックは、異なる高度のセクションを含んでもよい。例えば、サイディングは、主トラックおよび／またはその他のサイディングとは異なる高度（例えばより低いまたはより高い）に位置してもよい。また、主トラックおよび／またはサイディングトラックは、より高いまたはより低いトラック部分等、トラックに沿って異なる高度にトラックセクションを有してもよい。適したランプ（図示せず）が異なる高度のトラックセクションを接合し、トラックを進行するキャリアが間を移行できるようにしてもよい。図５１から理解され得るように、接合セグメントＢ、４１０２、４１０２’は、サイディングまたは分岐トラック４１００Ｓが主トラック４１００Ｍと合流する場所、または接合が望ましい場所に置くことができる。図５１に示される例示的な実施形態では、例示目的のために、２つの接合トラックセグメント４１０２、４１０２’が示される。図５１に示される接合セグメント４１０２、４１０２’の構成は、主トラック４１００Ｍの片側に合流／分化するシングル分岐トラック（例えば図５１の軸Ｘで示される方向に対して左側）を有する例示に過ぎない。別の実施形態では、接合セグメントは、主トラックの右に分岐してもよい。その他の別の実施形態では、接合セグメントは、主トラックの反対側にある分岐であって、実質的に直接互いに対向するまたは交代する分岐を有する１つのセグメント内の複数分岐、または主トラックの片側（例えば左および／または右）上での複数分岐等、いかなる所望の構成を有してもよい。例示的な実施形態では、シングルトラックセグメントＡ、Ｃ、Ｄ、Ｌは、異なる形状（例えば直線状、湾曲状等）を有するが、その他の点では概して類似する。トラックセグメントＡ、Ｃ、Ｄ、Ｌのそれぞれは、モータのフォーサー４１２０内に対応するセクションを含んでもよい。理解され得るように、および図５１に示されるように、モジュラートラックセグメントが組み立てられる場合、モータのフォーサーセクション（様々なトラックセクションの）は、動作可能に統合される（適したコントローラを使用して）場合に、キャリア／プラテン内の反応プレートを操作し、主およびサイディングトラックの長手方向にわたりキャリア／プラテンを駆動するために、主およびサイディングトラックに実質的に連続的なモータのフォーサー４１２０Ｍ、４１２０Ｓを画定してもよい。別の実施形態では、トラックは、一体化フォーサーセクションなく、１つ以上のセグメントを含んでもよい。
【０１００】
理解され得るように、フォーサー４１２０またはリニアモータの一次コイルアセンブリと称される場合があるものは、例えばＬＩＭ配置の場合、一般的にスチール積層体および相巻線を備え、それらは、トラックセグメントと一体化して形成されてもよく、またはトラックセグメントに接合されるフォーサー筐体に収容されてもよい。別の実施形態では、トラックセグメントに一体化されるリニアモータのフォーサーの相巻線は、いかなる他の適した配置を有してもよい。それぞれのセグメントＡ、Ｃ、Ｄ、Ｌ内のフォーサーセクション（例えば図５２のセグメントＣ参照）は、それ自体がセグメント化されてもよく、または連続していてもよい。湾曲状のトラックセグメントＣは、フォーサーセクション４１２０Ｃを有してもよく、その中で相巻線は、コイルアセンブリがトラックの湾曲に相応する曲線を画定するように配置されてもよく、概して湾曲状のフォーサーセクションを画定するために配置されたセグメントを有するフォーサーセクションを有してもよい。別の実施形態では、トラックセグメントのフォーサーセクションは、いかなる他の所望の形状を有してもよい。トラックセグメントＡ、Ｃ、Ｄ、Ｌのフォーサーセクションは、トラックおよび該トラックに乗るキャリアに対して対称に配置されてもよい。別の実施形態では、フォーサーは、トラックおよびその上のキャリアに対して非対称に置かれてもよい。
【０１０１】
図５４は、代表的なトラックセグメントＡおよびその上に移動可能に支持される代表的なキャリア５０００の概略端面図を示す。前述したように、一般的にトラック（主およびサイディング４１００Ｍ、４１００Ｓ）は、トラックに沿ったキャリアの制御移動をもたらすために、起動力／推進力、起動支持体、およびキャリア５０００の誘導を提供する。また、前述されたように、例示的な実施形態では、例えばＬＩＭ等のキャリアを駆動するリニアモータは、キャリア上の反応プレート／要素５１００を操作する、トラック内のフォーサー４１２０Ｍ、４１２０Ｓにバイアスをかける。また、図５３を参照すると、代表的なキャリア５０００およびキャリアの反応プレート５１００の概略底面図が示されている。図５３に示されるキャリア上の反応プレート５１００の配置は、例示に過ぎず、別の実施形態では、キャリア上の反応プレートは、いかなる他の適した配置を有してもよい。別の実施形態では、反応プレートは、より多くてもより少なくてもよい。例示的な実施形態では、反応プレート５１００は、キャリアの底面上に示されるが、別の実施形態では、反応プレートは、キャリアのいずれかの他の所望の側面または部分に置かれてもよい。例示的な実施形態では、ＬＩＭを画定するもの等、反応プレート５１００は、スチールまたはアルミニウム等の金属から作製されてもよいが、いずれかの他の適した材料が使用されてもよい。反応プレートの１つ以上は、以下に記載されるように、鉄鋼（磁気）材料から作製されてもよい。別の実施形態では、反応要素は、リニアブラシレスＤＣモータの相巻線等のモータ相巻線で動作するように配列された永久磁石を含んでもよい。キャリア上の反応プレートは、トラック４１００Ｍ、４１００Ｓ内のフォーサー４１２０Ｍ、４１２０Ｓに対応し、主またはサイディングトラックに沿う推進力を提供するプレート５１０２を１つ以上含んでもよい。これは、図５４に概略的に図示される。反応プレート５１０２は、１つのプレートとして図５３に概略的に示されるが、例えば図２０Ｃ、２０Ｄに示されるような配置を有する、いかなる所望の数のプレートを含んでもよい。前述されたように、トラック内のフォーサー４１２０（およびしたがってフォーサーセクション４１２０Ａ、４１２０Ｃ、個々のセグメントの図５２、５４参照）および対応する反応プレート５１０２は、キャリアならびにトラックに対して実質的に対称に配置されてもよい。別の実施形態では、モータのフォーサーは、非対称であってもよい。
【０１０２】
図５４に示される例示的な実施形態では、キャリア５０００は、適した空気ベアリング４２００によって、トラック上に移動可能に支持される。図５４に示されるガス／空気／液体ベアリングの分布は、例示に過ぎず、別の実施形態では、トラックからキャリアを安定して支持する、いずれかの他の所望のガス圧力分布を提供するために、排気ポートが配置されてもよい。別の実施形態では、トラックからキャリアを上げるために排気を行うガスポートがキャリア内に存在してもよい。前述されたように、その他の別の実施形態では、キャリアとトラックとの間の起動支持体は、いかなる他の所望の種類であってもよく、トラックセグメントまたはキャリアのいずれかの従属物であってもよい。空気ベアリング４２００のガスポートおよび／またはキャリア上のガス衝撃エリアは、キャリアのトラックに対する水平誘導を生じる合成方向力を生成するように構成されてもよい。理解され得るように、ガスポートは、適したガスの供給源（図示せず）に連通可能に接続されてもよい。例示的な実施形態では、トラックセクションは、ガス供給元から流体ベアリングのガスポートにガスを送り込むためのガス導管を有してもよい。例えばトラック上のキャリアが存在する場所に近接するガスポートを操作するために、適した弁調整および制御が含まれてもよい。制御は、能動的であってもよい（例えばセンサがキャリアの存在を特定し、キャリアの動作が既知であるトラックセクションで操作されるガスポートのオン／オフを切り替える）。
【０１０３】
図５１〜５２、および５４に示される例示的な実施形態では、トラック４１００Ｍ、４１００Ｓは、キャリアがトラックを下方に進む際の移動を誘導するために、制御および誘導システム４１３０を含んでもよい。誘導システム４１３０は、主およびサイディングトラック４１００Ｍ、４１００Ｓに沿って延在する非接触型システムであってもよい。例示的な実施形態では、トラックセグメントＡ、Ｃ、Ｄ、Ｌのそれぞれは、誘導システム４１３０Ａ、４１３０Ｃの対応するセクション（図５２、５４参照）を含んでもよく、これらは、セグメントが接合される場合、結合して実質的に連続するトラックの誘導システムを形成してもよい。別の実施形態では、誘導システムは、トラックに独立して搭載可能であってもよい。その他の別の実施形態では、誘導システムは、いかなる適した種類であってもよく、例えばトラックの支持システムと一体化されてもよく（例えばトラックに沿って移動するキャリアの配向および水平位置合わせを維持することを助長する、トラックまたはその間のキャリア上のローラーもしくは車輪）、および／またはリニアモータと一体化されてもよく（以下にさらに記載されるように）、および／またはキャリア支持体およびリニアモータから独立していてもよい。例示的な実施形態では、トラック４１００Ｍ、４１００Ｓ内の誘導システム４１３０は、一般的に、トラック内のリニアモータのフォーサー４１２０と実質的に平行に延在する誘導磁石トラック４１３０Ｍ、４１３０Ｓを備えてもよい。誘導磁石トラックは、例えば、直列配置され、磁石トラックを形成する永久磁石を備えてもよい。また、ＯＴ切り替え／接合部等のトラックの一部分も電磁石を含んでもよく、切り替えるためにオン／オフが繰り返されてもよい。別の実施形態では、誘導には、キャリア上に誘導力を生成することができる巻線をトラックセクション内のモータに提供することが含まれてもよい。該誘導巻線は、リニアフォーサーに一体化されてもよく、またはトラックに沿った推進力を提供するリニアフォーサーから分離され、独立していてもよい。理解され得るように、トラック内の誘導フォーサーは、適した誘導プレート／要素５１０４（キャリアをトラック４１００Ｍ、４１００Ｓに対する所望の水平位置に維持するためのキャリア内の磁性体（例えば鉄鋼）または永久磁石等）と相互作用してもよい。その他の別の実施形態では、キャリア上に誘導力を生成するための固定具がキャリア上に搭載され、トラック内の固定子要素と動作し、キャリア誘導を行ってもよい。前述されたように、例示的な実施形態では、トラックセグメントモジュールＡ、Ｃ、Ｄ、Ｌは、図５２および５４に示されるように、誘導トラックの対応するセクション１４３０Ａ、１４３０Ｌをそれぞれ有してもよい。例示的な実施形態では、トラックセクションＡ、Ｃ、Ｄ、Ｌの誘導トラックセクション１４３０Ａ、１４３０Ｌは、フォーサー４１２０Ａに沿って反対側に配置される、２つの誘導トラック４１３２、４１３４（例えば図５４参照）を備えてもよい。示される誘導トラックの位置は、例示である。別の実施形態では、より多いまたはより少ない誘導トラックがいかなる所望の位置に提供されてもよい。誘導トラックと相互作用するキャリアの誘導プレート／要素は、以下に記載されるように、リニアモータのその他のセクションの軸外（軸Ｘに対して）リニアモータ反応プレート５１０４Ｒ、５１０６Ｒ、５１０４Ｌ、５１０６Ｌ（図５３参照）であってもよく、またはリニアモータ反応プレートから独立した他の適した鉄鋼プレート／要素であってもよい。その他の別の実施形態では、キャリアは、磁石要素を誘導してもよく、トラックは、トラック誘導システムを画定するために、キャリア上の磁石と相互作用するように配置される鉄鋼／磁性体トラックを有してもよい。また、誘導システムは、トラックに沿ったキャリアの移動を制御するコントローラと通信可能に接続されたホール効果センサ、ＬＶＤＴ等の位置付け／位置検知システム／デバイスも含んでもよい。位置付けシステム／デバイスは、参照することによって前述のように組み込まれる米国特許出願第１１／２１１，２３６号に記載されるものと類似してもよい。一例として、主およびサイディングトラックに沿った位置付けフィードバックもまた、ＬＩＭの適したホール効果センサによって提供されてもよい。
【０１０４】
ここで再び図５２を参照すると、上記に記載されるトラックセグメントＣおよび代表的な接合セグメントＢの概略平面図が示されている。バルク搬送機４１００のその他の接合セグメントは、接合セグメントＢと概して類似する。例示的な実施形態では、接合セグメントは、主およびサイディングトラック４１２０Ｍ、４１２０Ｓの両方にフォーサーセクションを有してもよい。また、例示的な実施形態では、セグメントＢは、切り替えリニアモータのフォーサーセクション４１２５を有してもよい。理解され得るように、例示的な実施形態では、主トラックおよびサイディングトラックのリニアモータから独立した独立型リニアモータは、以下に記載されるように、キャリアの主およびサイディングトラックの切り替えを行うための接合部に置かれてもよい。例示的な実施形態では、切り替えリニアモータは、ＬＩＭであってもよく、ブラシレスＤＣモータ等のいかなる他の適したリニアモータが使用されてもよい。別の実施形態では、いずれかの他の適した電気的または機械的切り替えシステムが使用されてもよい。図５２に見られるように、本実施形態では、フォーサー４１２５（切り替えモータの）は、主およびサイディングトラックのフォーサー４１２０Ｍ、４１２０Ｓからのオフセット位置に置かれてもよい。主トラックのフォーサーセクションは、示されるように、サブセクション４１２２、４１２４、４１２６にさらに区分されてもよい。主トラックのフォーサーのサブセクション４１２２、４１２４、４１２６は、示されるように、互いから物理的に分離されてもよく、またはコントローラによって互いから事実上分離され、切り替えＬＩＭフォーサー４１２５の向かいのセクション４１２４が、その他の隣接する主トラックのＬＩＭフォーサーセクション４１２２、４１２６から独立して電源を切ることができるようにしてもよい。図５２に示される、接合セグメント上のフォーサーセクション４１２２、４１２５、４１２４、４１２６、および誘導システムの構成は、例示に過ぎず、別の実施形態では、接合セグメントは、いかなる他の所望の構成を有してもよい。図５２に見られるように、例示的な実施形態では、切り替えフォーサー４１２５は、主およびサイディングトラックのフォーサーからサイディングトラックが合流／分化する方向（例えば軸Ｘから左）にオフセットされてもよい。例示的な実施形態では、切り替えフォーサー４１２５は、主トラックの方向（軸Ｘによって示される）と概して平行に配置することができる１つの端部４１２５Ｍ、およびサイディングトラックの局所方向（図５２に軸ｂによって示される）と概して平行に配置されてもよい別の端部４１２５Ｓを有してもよい。例示的な実施形態では、サイディング（軸ｂ）の主トラックからの出口／入口の局所方向は、主トラックの移動方向（軸Ｘ）に対して鋭角で配向される。したがって、理解され得るように、キャリアは、サイディングに移動する場合、軸Ｘに沿った運動量を利用して切り替えを行ってもよく、全体として軸Ｘに沿った運動量を相殺しない場合がある（例えば主トラック上で停止しない場合がある）。別の例示的な実施形態によると（図５２Ｃも参照）、接合セグメントは、切り替えガイド４１３０Ｓ’（トラック４１３２Ｓ’、４１３４Ｓ”）を有して切り替えフォーサー（４１２５）の位置に提供され、以下に記載されるモータＡ’を用いずに切り替えるために、進行軸（例えば軸Ｘ）に沿ったキャリアの運動量を吸収することによって切り替えを行ってもよい。前述されたように、別の実施形態では、所望により、サイディングへの入口／出口と主トラックの方向との間に角度が提供されてもよい。（例えば直交だが、その場合でも、切り替えリニアモータの構成は、Ｘ方向の運動量を利用する）。図５２〜５３に見られるように、例示的な実施形態では、切り替えＬＩＭフォーサー４１２５の端部４１２５Ｍは、キャリアの反応プレート５１０４、５１０６の１つ以上で動作するように置かれてもよい（図５３も参照）。反応プレート５１０４、５１０６は、横方向（軸Ｙに沿って）にオフセットされてもよい。さらに、反応プレート５１０６Ｌ、５１０６Ｒも、キャリアの所望の参照点（例えば中心）から長手方向（軸Ｘに沿って）にオフセットされてもよい。例示的な実施形態では、反応プレートは、横軸Ｙに対して異なる角度α、βにある対角軸上に置かれてもよい。別の実施形態では、キャリアは、より多いまたはより少ない反応プレートを有する、いかなる他の所望の反応プレート配置を有してもよい。前述されたように、反応プレート５１０４Ｌ、５１０６Ｌの１つ以上は、キャリアを主トラック４１００Ｍからサイディング４１００Ｓに切り替える（およびサイディング４１００Ｓ、セグメント４１０２’のその他の端部で合流する接合部においてその逆も同様、図５１参照）ために、切り替えフォーサー４１２５によって使用されてもよい。
【０１０５】
図５２Ｂに最もよく見られるように、例示的な実施形態では、誘導磁石セクション４１３０は、主トラックとサイディングトラックとの間で切り替えを行うように配置される。図５２Ｂに見られるように、例示的な実施形態では、誘導磁石トラック４１３４（サイディングの入口に近接する側）は、切り替え誘導トラック４１３４Ｓ’（該側に対応する）の少なくとも一部分がトラック４１３４Ｍと合流するように割り込まれる。図５２Ｂに示される誘導トラックの接合部分は、例示に過ぎず、別の実施形態では、トラックの接合部分／インターチェンジは、いずれかの他の適した方法で配置されてもよい。対向する誘導磁石トラック４１３２Ｍ（サイディングの入口の反対側）は、示されるように、対応する切り替え誘導４１３２Ｓ’と合流する。例示的な実施形態では、誘導トラック４１３０Ｍ、４１３０Ｓ’のそれぞれは、オン／オフに切り替えられる作動可能な磁場を備えるセクション４１３２Ｊ（図５２も参照）を含んでもよい。例えば、誘導トラックのセクション４１３２Ｊは、例えば永久磁石を有する磁気チャックと類似する電磁石コイル、およびコイルを通過する電流が誘導磁石セクションの磁場を事実上オン／オフに切り替えることができ、したがってキャリアと誘導トラックとの間の誘導力を解放するように巻線の周囲に配置されるコイルで構成されてもよい。別の実施形態では、作動可能な磁気セクションは、いかなる他の所望の配置を有してもよい。理解され得るように、所望の誘導トラック４１３２Ｍ、４１３２Ｓ’、４１３４Ｓ、４１３４Ｓ’の誘導磁石セクション４１３２Ｊは、切り替えを行うために、「オン」および「オフ」に切り替えられ、例えばキャリアが主トラック上を進み続ける場合、主誘導トラック４１３２Ｍ、４１３４Ｍは「オン」に切り替えられ、切り替え誘導は「オフ」に切り替えられ、キャリアがサイディングに切り替えられる場合、切り替え誘導４１３２Ｓ’、４１３４Ｓ’は「オン」であり、主誘導は「オフ」である。誘導磁石セクション４１３２Ｍ、４１３４Ｍを「オフ」に切り替えることによって、もはや主トラックに保持されなくてもよいことから、キャリアが横方向（主トラック外）に自由に動けるようになる。誘導磁石がキャリア内にある別の実施形態では、接合セグメントの誘導システムは、キャリアの磁石に相殺磁場を生成するのに適した巻線を含んでもよい。接合セグメントは、「オン」に切り替えられる際、キャリア（フォーサー４１２５によって移動される）をサイディングトラック４１００Ｓに誘導する、一般的にサイディングの入口（軸ｂ）と直線状に配置される作動可能／動作可能な１つ以上の誘導磁石（図示せず）をさらに含んでもよい。これらの誘導磁石セクションは、キャリアが接合部上を移動し、主トラック上を進みつづける場合、「オフ」に切り替えられてもよい。したがって、一例として、キャリアを主トラックからサイディングに切り替えるために、例示的な実施形態では、フォーサーセクション４１２４の動作が停止されてもよく、誘導磁石セクション４１３２Ｍ、４１３４Ｍが「オフ」に切り替えられ、誘導４１３２Ｓ’、４１３４Ｓ’内のスイッチが「オン」であってもよい。キャリアの運動量は、矢印ｂ（図５２参照）の方向のキャリアの軌道を事実上サイディング上に偏向する、切り替え誘導を有するトラックに沿って移動してもよい。フォーサー４１２５（提供される場合）は、キャリアを主トラックからサイディングの入口に向かってさらに促してもよいが、例示的な実施形態では、キャリアの運動量は、所望のサイディングトラック４１００Ｓに沿って運動を継続するために、サイディングのフォーサー４１２０Ｓが対応する反応プレート５１０２上で動作するまでキャリアをサイディングに移動するのに十分であってもよい。誘導磁石トラック４１３０Ｓは、サイディングトラック４１００Ｓに沿ってキャリアを誘導するために、キャリアの磁気要素を取得する。例示的な実施形態では、キャリアの切り替えは、概して受動的な方法で達成されており、切り替えに位置フィードバックが採用されなくてもよい。能動的切り替えのある別の実施形態では、キャリアを主からサイディングに切り替え中の位置フィードバックは、誘導／位置付けシステムによって実行されてもよく、該システムは、例えばキャリアが主トラック上にある場合に、切り替えＬＩＭフォーサーにハンドオフする前にキャリアの位置を取得するために配置されてもよく、キャリアが切り替えＬＩＭを介して切り替わる間、位置フィードバックを継続し、サイディングトラックＬＩＭへのハンドオフを可能にする。このように、位置付けデバイスは、切り替え中の位置フィードバックを可能にするために配置される、いかなる適した種類の連続または分散デバイス（例えば光学、磁気、バーコード、基準ストリップ、レーザー／ビーム測距または高周波測距）であってもよい。
【０１０６】
ここで、図５２Ａを参照すると、別の例示的な実施形態による、バルクトランスポータの接合セグメントＢ’の別の平面図が示されている。本例示的な実施形態では、接合セグメントＢ’は、指示がない限り、図５２に示されるセグメントＢと類似する。図５２Ａでは、明確化のために、誘導磁石トラックは図示されない。また、セグメントＢ’上の主トラックのＬＩＭフォーサーセクション４１２０Ｍ’は、隣接するフォーサー４１２２’、４１２６’から独立して電源を切ることができるサブセクション４１２４’を有してもよい。本例示的な実施形態では、サイディングのＬＩＭフォーサー４１２０Ｂ’は、キャリアが主トラック上にある場合に、キャリアの反応プレート５１０６Ｌ’上で動作できる（所望により）ようにするために、主トラックに向かって十分に延在してもよい。これは、切り替えを行うために置かれたキャリアの反応プレート５１０２’、５１０６Ｌ’（ファントムで）を示す図５２Ａに図示される。トラックＬＩＭの反応プレート５１０２’は、例えば主トラックのフォーサーセグメント４１２４’の上（および例えば隣接する「上流」主トラックのフォーサー４１２２’、および反応プレートから離れて）に置かれてもよく、５１０６Ｌ’は、サイディングのＬＩＭフォーサー４１２０Ｂ’と動作するように置かれてもよい。したがって、切り替えるために、主トラックセグメント４１２４’は電源が切られ、サイディングのフォーサー４１２０Ｂ’は、エネルギーが供給され、キャリアをサイディングトラックに向けてもよい。サイディングから主トラックへの切り替えは、同様な方法で達成されてもよい。別の実施形態では、主およびサイディングトラックのリニアモータは、ＤＣブラシレスモータまたは他のブラシレス鉄芯モータ等のいかなる適したリニアモータであってもよい。別の実施形態では、永久磁石反応要素は、キャリア内にあってもよく、その他の別の実施形態では、永久磁石は、トラックセグメント（キャリア内のコアモータ）内にあってもよい。別の実施形態では、相巻線は、磁石とモータ芯との間の磁場を相殺し、モータの磁石／鉄芯要素の相互作用によって提供される誘導を削除し、あるトラックから別のトラックにキャリアを切り替えられるようにするために、所望により、トラック（図２０Ａ、２０Ｂに示されるものと同様な方法で）またはキャリアのいずれかの中に置かれてもよい。
【０１０７】
ここで、再び図５１を参照すると、例示的な実施形態では、１つ以上のトラックセグメントＬは、エリアＩを有してもよく、そこで接合セクション４２００のロボット等によってキャリアがトラックから持ち上げられてもよい。理解され得るように、リフトエリアＩ内の誘導磁石トラック４１３０Ｓは、図５２に示されるセクション４１３２Ｊと類似する作動可能な磁場を有するセクションとともに提供されてもよい。別の実施形態では、相巻線は、キャリアをトラックによる捕獲から「解放」し、トラックからのキャリアの持ち上げの容易化を促進するために、トラックまたはキャリアのいずれかの中の磁石と、トラックまたはキャリアのいずれかの中のリニアモータの鉄芯もしくは鉄鋼反応プレートである磁性体との間の磁場を相殺するために、提供されてもよい。
【０１０８】
再び図５３を参照すると、例示的な実施形態では、１つ以上のキャリア５０００は、キャリア列内の１つ以上のキャリアを互いに連結するための連結具５２００を有してもよい。連結具は、連結または解放するためにコントローラに動作可能に接続されてもよい磁気連結具等、いかなる適した種類のものであってもよい。別の実施形態では、キャリア間連結は、例えば機械的連結であってもよい。連結具５２００は、図５３に概略的に示されるが、別の実施形態では、キャリアの所望の位置に置かれてもよい。キャリア間連結は、バルク搬送機４１００による搬送中に、２つ以上のキャリアを互いに繋ぐために使用されてもよい。理解され得るように、これは、繋がれたキャリアの１つ以上が列の機関となることを可能にし、一方、列中の他のキャリアは、受動的であってもよい。図５１は、例示的な実施形態による、キャリアの列を示す。理解され得るように、繋がれる間、繋がれたキャリアはまとめられ、列中の「機関」キャリアの移動を制御することによって、すべてのキャリアが移動できるようにする。これは、コントローラの負荷を大幅に低減する可能性がある。列中の任意のキャリアの位置情報は、キャリアの列中（例えば「機関」キャリア基準）の、制御された相対的に望ましいレフェレンスに登録されてもよい。したがって、所望のコントローラは、列として移動する場合、それぞれのキャリアの個々のキャリアの移動を追跡することなく、所望のキャリアを特定し、所在を確認してもよく、列中の任意のキャリアの個別制御の開始を所望する場合、コントローラは、トラック上の列の位置および列上の所望の参照に対する任意のキャリアの位置を検索し、トラック上のキャリアの概略位置を特定してもよい。トラック位置付けシステムを用いて、高精度な位置付けを行ってもよい。別の実施形態では、キャリアの列から分断する際の位置付けは、いかなる他の所望の方法で行われてもよい。理解され得るように、列中のいずれかのキャリアが機関キャリアであってもよい。所望の運転パラメータを支持するために、キャリアの列の機関の位置付けが確立されてもよい。さらに、機関の位置は、機関キャリアの動作を停止し、列中の別のキャリアを機関となるように起動することによって、切り替えられてもよい。
【０１０９】
ここで、図５５を参照すると、さらに別の例示的な実施形態による、搬送システムＡ４０００の概略端部正面図が示されている。図５５に示される例示的な実施形態では、搬送システムの配置は、例示に過ぎず、別の実施形態では、搬送システムは、いかなる他の適した配置を有してもよい。図５５に示される例示的な実施形態では、搬送システムＡ４０００は、前述され、図５１に図示される搬送システム４０００と概して類似する（類似機構には、類似番号が付けられている）。搬送システムＡ４０００は、一般的に、高速バルクまたは大量搬送セクションＡ４１００および接合セクション４２００を含んでもよい。高速大量搬送セクションＡ４１００は、高速大量搬送通路Ａ４１０２を１つ以上（例示目的のために、図５５に図示される実施形態では、２つの通路が示される）有してもよい。例示的な実施形態では、大量搬送通路Ａ４１０２は、ＦＡＢ内のキャリアＡ５０００を大量搬送できるように、前述されたものと同様の方法等で構成されてもよい。また、例示的な実施形態では、大量搬送セクションＡ４１００の大量搬送通路Ａ４１０２は、通路を進行するキャリアを、実質的に等速（少なくとも通路のいくつかの部分で）で通路の進行方向に搬送するように配置されてもよい。大量搬送セクショの通路は、前述されたものと同様な方法で互いに接続されてもよい。図５５に示される例示的な実施形態では、接合セクションＡ４２００は、例えば、前述され、図５１に示される接合セクション４２００と概して類似してもよい。例示的な実施形態では、接合セクションＡ４２００は、大量搬送機と処理ツールとの間のキャリアを接合することができる。接合セクションＡ４２００は、一般的に、シャトリングセクションＡ４２０２およびストレージセクションＡ４２０４を有してもよい。前述されたように、ストレージセクションＡ４２０４は、多数の処理ツールのためのキャリアを保管または緩衝するためのストレージ位置Ａ４２０４Ａを有して配置されてもよい。ストレージ位置Ａ４２０４Ａは、処理ツールのキャリアを効率的に緩衝するために、いかなる所望の方法で配置されてもよい。シャトリングセクションＡ４２０２は、ストレージセクションＡ４２０４のストレージ位置と処理ツールの積載接合部分（例えば積載ポート）との間のキャリアを接合できる、多数のフィーダロボットＡ４２０２を有してもよい。例示的な実施形態では、搬送システムＡ４０００は、例えば実質的に等速でバルク搬送セクション通路Ａ４１００および接合セクションＡ４２００を搬送されているキャリアＡ５０００を接合することができる、搬送機ハンドオフセクションＡ４３００を有してもよい。したがって、例示的な実施形態では、搬送システムＡ４０００は、通路を進行するキャリアが実質的に等速で搬送される搬送システムの通路の一部分でさえ、非同期搬送システムであってもよい。例示的な実施形態では、搬送機ハンドオフセクションＡ４３００は、キャリアが実質的に等速で進行する搬送通路Ａ４１０２からキャリアが搬送システムＡ４０００によって搬送されている間、キャリアの搬送速度決定動作を事実上分断できるようにする。
【０１１０】
さらに図５５を参照すると、大量またはバルク搬送セクションの通路Ａ４１０２は、いかなる所望のバルクコンベヤシステムを備えてもよい。ここで、図５５Ａを参照すると、図示される例示的な実施形態では、大量搬送セクションＡ４１００の通路Ａ４１０２は、例示目的のみのために、ベルトまたはリボンコンベヤＡ４１０３として示されている。理解され得るように、ベルトコンベヤＡ４１０３は、キャリア支持体または運搬面Ａ４６０４を有し、搬送するために、キャリアＡ５０００がベルトＡ４１０３から（またはその上に）支持される。また、理解され得るように、ベルトＡ４１０３、およびしたがってそのキャリア運搬面（ベルトによって画定される、またはベルトに従属する）は、実質的に一定の搬送速度で通路の搬送方向（図５５Ａに矢印Ｘで示される）に沿って移動してもよい。別の実施形態では、大量搬送システムセクションの通路に沿ってキャリアを輸送するための輸送システムは、いかなる所望の構成であってもよい。例えば、通路は、前述されたようなソリッドステートのコンベヤシステムを有してもよく、または機械的に定められる輸送手段（ローラー、流体ベアリング等）を有してもよい。その他の別の実施形態では、通路は、自動または半自動運搬車のためのトラックであってもよい。通路の輸送システムは、システムによって運搬されるキャリアが実質的に等速で運搬されるように、または所望により運搬速度が可変となるように、操作可能となるよう構成されてもよい。結果的に、搬送機ハンドオフセクションは、輸送システムによって搬送されるキャリアの搬送速度決定動作から独立して、実質的に一定な搬送速度を維持するために、所望の通路の輸送システム（またはその一部分）を操作することを可能にする。
【０１１１】
図５５Ａに示される例示的な実施形態では、大量搬送セクション通路Ａ４１０２は、処理ツールのオーバーヘッドに置かれるオーバーヘッドシステムとして示されている。別の実施形態では、大量搬送セクション通路は、ツールおよびツールの積載接合部分ＬＰに対して、いかなる所望の高度に置かれてもよい。図５５、５５Ａ〜５５Ｃに示される例示的な実施形態におけるキャリアＡ５０００は、代表的なものである。キャリアＡ５０００は、前述され、図３６Ａ〜３６Ｂに示されるキャリア２０００と類似してもよい。例示的な実施形態では、キャリアＡ５０００は、一般的に、上部接合セクションＡ５００２（例えば、一般的にキャリアの上方または上からキャリアが接合および嵌合できるように配置される）および下部接合セクションＡ５００４（例えば、一般的にキャリアの下方または下からのキャリアの接合および嵌合を提供するように配置される）を有してもよい。キャリアは、前述されたような側面開口型、上面開口型、または底面開口型であってもよい。別の実施形態では、キャリアは、キャリアを搬送システムおよび処理ツールの積載接合部分に接合するための接合／嵌合面（例えば側面嵌合）のいかなる所望の配置を有してもよい。図５５に示される例示的な実施形態における処理ツールの積載接合部分ＬＰは、代表的なものである。例示的な実施形態では、積載接合部分ＬＰは、キャリアの下側接合セクションＡ５００４と接合するように配置されてもよいが、別の実施形態では、ツール積載接合部分は、キャリアのいかなる所望の側面上の補完キャリア嵌合機能と嵌合するように構成されてもよい。図５５に図示される搬送システムＡ４０００に対するツール積載接合部分ＬＰの位置は、例示に過ぎず、別の実施形態では、ツール積載接合部分は、搬送システムと所望の関係で置かれてもよい。図５５、５５Ａに図示される例示的な実施形態では、大量搬送セクションの通路Ａ４１０２のコンベヤシステムは、キャリアＡ５０００の上部接合セクションＡ５００２と嵌合するように配置されたキャリア支持体Ａ４１０４を有してもよい。図５５、５５Ａに示されるキャリア支持体の構成は、代表的なものであり、キャリア支持体は、搬送中にコンベヤからキャリアを解放可能に捕獲し、保持するために、キャリア上部接合部分Ａ５００２の嵌合機能を補完し、それと動作可能である、いかなる適した構成を有してもよい。例示的な実施形態では、キャリアＡ５０００は、実質的に通路の下に吊り下げられた通路Ａ４１０２のコンベヤによって運ばれてもよい。キャリア下部接合部分Ａ５００４は、通路Ａ４１０２上で搬送中、アクセス可能（キャリアの下または横等から）であってもよい。別の実施形態では、通路のコンベヤ上のキャリア支持体は、輸送中に、キャリアのいずれかの所望の側面または表面上でキャリアと嵌合し、支持する（例えばコンベヤは、キャリア底面と嵌合または接合してもよい）ためのいかなる所望の構成を有してもよい。
【０１１２】
さらに図５５を参照すると、前述されたように、搬送システムの接合セクションＡ４２００は、前述され、図４１〜４６および５１に示される接合システム３２００、３３００、４２００と概して類似するオーバーヘッドガントリーシステムであってもよい。接合システムＡ４２００は、シャトルおよびフィーダロボットＡ４２０２によって縦走される、選択可能に可変の数のトランスポータ進行平面（ガントリーＡ４２０１によって画定されるもの等）を有してもよい。また、前述されたように、別の実施形態では、接合システムは、いかなる他の所望の構成を有してもよい。例示的な実施形態では、ガントリーＡ４２０１およびストレージ位置Ａ４２０４は、大量搬送セクションの通路Ａ４１０２間にネスト化されてもよい。フィーダロボットＡ４２０４は、キャリアＡ５０００にキャリア上部接合部分Ａ５００２から嵌合し、キャリアを上方から支持するように構成されてもよい。シャトル（図示せず）は、キャリアを上方または下方から支持してもよい。別の実施形態では、接合セクションのロボットおよびシャトルは、いかなる適した配置を有してもよい。前述されたように、大量搬送セクションＡ４１００と接合セクション４２００との間のキャリアのハンドオフは、以下にさらに記載されるように、ハンドオフセクションＡ４３００で実行されてもよい。
【０１１３】
図５５、５５Ａに最もよく見られるように、ハンドオフセクションＡ４３００は、一般的に、大量搬送通路に沿って搬送されるキャリア（実質的に一定の通路の搬送速度等で）にアクセスし、それを捕獲し、キャリアを通路から分断し、接合セクションＡ４２００のロボット／シャトルがキャリアにアクセスできるドロップステーションにキャリアを置くことができる、キャリッジ表面を有する。ここで、図５５Ｂ〜５５Ｄも参照すると、例示的な実施形態では、ハンドオフセクションＡ４３００は、多数のキャリアＡ４３０２（例示目的のために、１つが示されている）を有してもよい。図に見られるように、キャリッジＡ４３０２は、搬送速度で通路上を搬送される際に、キャリアと位置合わせ配置が可能な運搬車またはいずれかの他の適した輸送メカニズムもしくはシステムであってもよい。したがって、キャリッジＡ４３０２は、キャリアとのキャリッジ連結およびキャリアの大量搬送輸送支持体Ａ４１０４からの分断を可能にするのに十分な距離だけ、通路の搬送方向（矢印Ｘによって示される）に進行可能であってもよい。例示的な実施形態では、キャリッジＡ４３０２は、トラックまたは通路Ａ４３０４に乗っている運搬車として概略的に図示される。トラックＡ４３０４は、大量搬送セクションの通路Ａ４１０２の下に置かれてもよい（図５５も参照）。例えば、トラックＡ４３０４は、ハンガーでオーバーヘッドから吊り下げられてもよい。また、示される例示的な実施形態では、トラック、およびその上のキャリッジＡ４３０２も、接合部分セクションの下に位置される。前述されたように、別の実施形態では、ハンドオフセクションのキャリッジは、いかなる他の適した構成を有してもよい。理解され得るように、例示的な実施形態では、ハンドオフセクションの配置は、例えば、通路の分離部分にある通路上のキャリアにキャリッジがアクセスできるようにする。ハンドオフセクションは、通路の適切なセクションに分布されてもよい。図５５Ｄに最もよく見られるように、キャリッジＡ４３０２は、キャリア接合部分Ａ４３０６を有してもよく、これによって通路上のキャリアと嵌合し、捕獲してもよい。キャリッジＡ４３０２のキャリア接合部分Ａ４３０６は、いかなる適した配置を有してもよい。例示的な実施形態では、キャリア接合部分Ａ４３０６は、例えばキャリアの下部接合部分Ａ５００４（図５５Ａ参照）と嵌合するための嵌合機能を有してもよい。例えば、キャリッジ接合部分Ａ４３０６は、キャリアの運動学的連結機構を補完し、嵌合された場合に結果として嵌合時の受動的な位置合わせおよびキャリアとキャリッジとの間の安定した受動的な固定を生じる運動学的連結機構を有してもよい。別の実施形態では、キャリッジ接合部分は、キャリアを捕獲するためのいずれかの他の所望の受動的または能動的な連結もしくは嵌合システム（例えばクランプ磁気チャック等）を有してもよい。図５５Ｂに見られるように、キャリッジＡ４３０２はキャリッジＡ４３０２のキャリア接合部分Ａ４３０６が連結されるようキャリアＡ５０００と十分に位置合わせされるように、トラックＡ４３０４上に支持されてもよい。理解され得るように、キャリッジトラックＡ４３０４は、キャリッジＡ４３０２が通路Ａ４１０２の進行速度と一致するように加速し、通路によって搬送される所望のキャリアＡ５０００と並び、捕獲し、キャリアを通路支持体Ａ４２０４から解放するのに十分であってもよい。例示的な実施形態では、キャリッジトラックＡ４３０４は、キャリッジが例えばドロップオフステーションＤＳで接合システムＡ４２００にハンドオフするために、所望の速度に減速するのに十分であってもよい。例示的な実施形態では、ドロップオフステーションＤＳの位置は、選択的に可変（ハンドオフセクショントラックＡ４３０４に沿って等）であってもよいが、静止していてもよい。別の実施形態では、キャリッジは、永久ループトラック上等、通路の進行速度と実質的に一致する速度で移動するトラック上に配置されてもよい。
【０１１４】
図５５Ａ、５５Ｄに最もよく見られるように、例示的な実施形態では、ハンドオフセクションＡ４３００のキャリッジ表面は、通路上のキャリアに近接し、キャリアを通路支持体から積載／積卸するために、Ｚ方向における移動を有してもよい。図示される例示的な実施形態では、キャリッジは、キャリッジ接合部分Ａ４３０６をＺ方向に駆動することができる、適したＺ駆動部（主ネジ、空圧、電磁石等）を有して提供されてもよい。
【０１１５】
したがって、および一例として、通路からキャリアを積卸するために、キャリッジ接合部分Ａ４３０６は、キャリアの接合部分Ａ５００４（キャリッジとキャリアが１直線に並ぶ）と接触するために上げられてもよい。キャリアの接合部分は、例えばキャリアを連結した後、キャリアＡ５０００を通路（一例として通路支持体からのキャリアの解放を促進するために、通路に対するキャリッジの進行速度は、速める／遅らせる等、可変であってもよい）から解放するために、さらに上げられてもよい。通路から解放されるキャリアは、通路によって運搬されるキャリアがキャリアの搬送エンベロープを取り除くために、キャリッジＡ４３０２によって下げられてもよい。ハンドオフセクションＡ４３００によるキャリアの通路上への積載は、実質的に類似するが、反対の方法で達成されてもよい。別の実施形態では、キャリッジ接合部分のＺ方向移動は、支持トラックがＺ駆動部またはリフトを有する、または通路上のキャリアと接触させるためにキャリッジを上げるおよび下げる、上下するランプ等の可変の高さのキャリッジに対する支持表面を有する等、いずれかの他の所望の方法で行われてもよい。その他の別の実施形態では、キャリアとキャリッジを閉締するための軸に沿った移動は、通路またはキャリアの適した駆動部もしくは他の変位手段によって行われてもよい（例えば通路支持体は、Ｚ軸駆動部を有してもよい）。さらに他の別の実施形態では、ハンドオフセクションによってキャリアと通路の連結および分断のためにキャリアとキャリッジを閉締する移動軸または閉締軸は、いかなる所望の方向（地面基準座標系に対して）であってもよい。
【０１１６】
図５５、５５Ｂ〜Ｃに最もよく見られ、前述されたように、ハンドオフセクションＡ４３００は、例えば接合セクションＡ４２００のロボットＡ４２０２によってアクセス可能に配置されるドロップステーションＤＳを有する。例示的な実施形態では、ドロップステーションＤＳは、大量搬送セクションの通路およびその上を搬送されるキャリアの搬送エンベロープＴＥは、Ｙ軸等（別の実施形態では、オフセットは、いずれかの所望の軸に沿ってもよい）にオフセットされてもよい。一般的に、通路によって定義される長手方向からの横方向オフセットと称される場合がある、ドロップステーションＤＳ（図５５Ｂ〜５５Ｃに最もよく見られる）のオフセットは、接合セクションＡ４２００から上部キャリア接合部分Ａ５００２へのアクセスを容易にする。また、例示的な実施形態では、キャリアの上部接合部分Ａ５００Ｎは、キャリアがキャリッジＡ４３０２によってドロップステーションＤＳに置かれる場合、キャリッジが別のキャリアの接合部分Ａ５００２でキャリアと接合するために、接合セクションＡ４２００によって自由に嵌合されてもよい。したがって、例示的な実施形態では、キャリアは、掴み／配置行動の干渉なく、キャリッジＡ４３０２と接合セクションのロボットＡ４２０２との間を直接移送されてもよい。別の実施形態では、キャリアをストレージ位置に置くために、ハンドオフシステムのキャリッジが配置されてもよく、接合セクションがストレージ位置からキャリアにアクセスしてもよい。その他の別の実施形態では、ハンドオフセクションのキャリッジおよび接合セクションのロボットは、共通接合部分でキャリアを接合してもよい。例示的な実施形態では、キャリアへの上面アクセスは、接合セクションがドロップステーションＤＳからキャリアを接合するために、フィーダロボットＡ４２０２を採用できるようにする。別の実施形態では、ハンドオフセクションのドロップステーションは、接合セクションがドロップステーションでキャリアにアクセスし、接合できるようにするために、搬送エンベロープからいずれかの適した方向にオフセットされてもよい。
【０１１７】
図５５Ｂ〜５５Ｃに最もよく見られるように、例示的な実施形態では、キャリアＡ５０００は、キャリッジＡ４３０２によってドロップステーションから、またはそこへ移動されてもよい。一例として、キャリッジは、キャリッジがキャリアをドロップステーションに移動できるようにする、適したＹ駆動部（駆動部は、キャリッジまたは少なくともキャリアを接合／支持する部分にオフセット方向における移動自由度を提供するために所望されるものであってもよい）を有してもよい。一例として、キャリッジ接合部分Ａ４３０６は、Ｙ方向に移動可能な可動式支持体上にあってもよい。別の実施形態では、キャリアを有するユニット等のキャリッジは、キャリアをドロップステーションに移動するために、Ｙ方向に移動可能であってもよい。さらに他の実施形態では、トラックは、トラックに沿って進行するキャリッジがドロップステーションに誘導されるように、搬送エンベロープから離れている曲がり（例えば永久ループ）等を有する形であってもよい。
【０１１８】
ここで、また図５６〜５６Ａを参照すると、別の例示的な実施形態による、代表的な搬送システムＡ４０００’の概略平面図および正面図がそれぞれ示されている。図５６〜５６Ａに図示される例示的な実施形態では、搬送システムＡ４０００’は、前述された搬送システムＡ４０００と実質的に類似する（類似機構には、類似番号が付けられている）。搬送システムＡ４０００’は、一般的に、多数の通路Ａ４１０２’を有する大量搬送セクションＡ４１００’、接合セクションＡ４２００’（例示目的のために、ガントリーとして図示される）、および大量搬送機と接合部分セクションとの間でキャリアＡ５０００’をハンドオフし、所望の大量搬送セクションの通路によって搬送されるキャリアが実質的に一定の進行速度を維持できるようにするためのハンドオフセクションＡ４３００’を有する。例示的な実施形態では、ハンドオフセクションＡ４３００’のドロップステーションＤＳ’と通路Ａ４１０２’の搬送エンベロープＴＥ’との間の分離またはオフセット（搬送エンベロープの外側で搬送速度を決定するキャリアの動作／行動を実行できるようにする）は、通路Ａ４１０２’の方向変更によって行われてもよい。図５６に最もよく見られるように、例示的な実施形態では、通路は、互いに対して異なる方向を有するセクションＡ４１０２Ａ’、Ａ４１０２Ｂ’、Ａ４１０２Ｃ’を有してもよい。例えば、これは、シャント／バイパスセクションの交差点、通路の端部セクション（図２９Ａ〜２９Ｂ、および図５１も参照）で行われてもよい。また、図５６に示される実施例のもののように、異なる方向を有する通路セクションＡ４１０２Ａ’、Ａ４１０２Ｂ’、Ａ４１０２Ｃ’は、大量搬送システムの通路からキャリアを積載／積卸することが望ましいＦＡＢ領域内に提供されてもよい。図５６に示される例示的な実施形態では、通路セクションＡ４１０２Ａ’、Ａ４１０２Ｂ’、Ａ４１０２Ｃ’の配置は、一般的に２つの曲がりを画定し、それらのそれぞれは、ドロップステーションＤＳを設置するために搬送エンベロープＴＥ’とハンドオフセクションとの間の所望の分離を提供するのに十分な寸法である。前述されたように、示される通路セクションの方向および配置は、例示に過ぎない。例示的な実施形態では、それぞれのセクションは、ハンドオフセクション部分Ａ４３００’を有し、これは、互いおよび前述され、図５５Ａ〜５５Ｄに示されるハンドオフセクションＡ４３００と実質的に類似してもよい。それぞれのハンドオフセクション部分Ａ４３００’は、通路Ａ４１０２’からキャリアＡ５０００’を積載／積卸する（前述されたものと同様な方法で）ために配置されるキャリッジおよび縦走トラックＡ４３０４’（図５６Ａも参照）を有してもよい。それぞれのハンドオフセクション部分Ａ４３００Ｄ’は、キャリアのためのドロップステーションＤＳ’を有してもよい。例示的な実施形態では、ドロップステーションＤＳ’は、トラックＡ４３０４’と実質的に一列であってもよい（図５６のいくつかの下流または上流の通路の搬送エンベロープＴＥ’とともに）。例示的な実施形態では、ハンドオフセクションのある部分Ａ４３００、Ａ４３００Ｂは、キャリアを通路から積卸するために使用されてもよく、その他の部分は、キャリアを通路に積載するために使用されてもよい。一例として、部分Ａ４３００’は、接合し、通路セクションＡ４１０２Ａ’からキャリアを掴んでもよい。積卸されたキャリアＡ５０００’は、接合セクションＡ４２００’にハンドオフするために、例えばトラックＡ４３０４’の端部に位置するドロップステーションＤＳ’に持ち込まれてもよい。通路上に積載するキャリアは、ハンドオフするために、接合セクションＡ４２００’によって部分Ａ４３００Ｂ’のドロップステーションＤＳＢ’に持ち込まれてもよい。ハンドオフセクション部分Ａ４３００Ｂ’は、次いでキャリアを移動し、通路セクションＡ４１０２Ｃ’と搬送速度および方向を合わせ、キャリアを通路に積載する。別の実施形態では、ハンドオフセクションのそれぞれの部分は、キャリアを通路に／通路から積載および積卸可能であってもよく（例えばトラックは、通路に対してキャリアを積載または積卸するのを支持するために置かれる複数のドロップステーションを有してもよく、および／またはキャリッジは、積載および積卸の両方を行うために、トラックに沿って循環してもよい。したがって、搬送システムＡ４０００’は、非同期であってもよい。
【０１１９】
工場自動化は、例えばそれぞれのウェハのプロセス全体にわたり、計画を立て、スケジュールを組み、追跡するために、ウェハ識別表示を使用する。ＩＤは、機械読み取り可能であり、ホストサーバ上のデータベースで管理される。データベース内のウェハ識別表示は、ウェハの破損、装置の停止状況またはソフトウェアのエラーから影響を受ける。したがって、これを克服するために、それぞれの処理ツールで繰り返される読み取りステップが使用されてもよい。ウェハの機械読み取りは、典型的に、例えばキャリアが積載され、ウェハが取り出され、次いで配向された後に行われてもよい。ＩＤは、検証のためにホストに報告され、次いで認証後に処理が開始される。従来的に、不正なウェハが積載される場合、特定するためにかなりの時間を浪費しなければそれが分からない。さらに、ツールがエラーのために停止する場合、ウェハを取り出し、キャリア／データベースに再入力する必要があり、人的エラーの可能性を生み出す。キャリアは、ウェハＩＤ’を格納することができ、積載ポート内に含まれ、それによって読まれる、搭載された書き込み可能なデータタグを所有してもよい。前述された例示的な実施形態によるキャリアは、積載ポートでキャリアの書き込み可能なＩＤタグとウェハＩＤ’をインターロックする、インターロックを有してもよい。キャリア上の書き込み可能なＩＤタグは、外部デジタルＩ／Ｏ信号を盛り込む。信号は、ポッドドアの取り外しを検出することができるセンサに直結される。センサは、光学的、機械的、音響的、容量的なもの等のいかなる適した種類のものであってもよい。一例として、ポッドシェルおよびポッドドアの両方の上の導電性パッドを低電圧信号ラインが通り抜けてもよい。ドアが閉締され、電圧の流れが終了する場合、パッドは、局部接触する。ドアが取り外される際、電圧の流れが遮断され、キャリアＩＤタグに信号が作製される。
【０１２０】
一例示的な実施形態に従い、ソフトウェアインテグリティタグおよびドアが開口されたかどうかを検出するための方法に加えて、ウェハ読み取り方法を導入する。例えば、インテグリティタグは、ウェハが積載され、ドアがポッドに固定された後に、書き込み可能なキャリアＩＤに書き込まれる。ポッドが次のツール積載ポートに到着した際、タグは、インテグリティタグとともに読まれる。インテグリティタグが有効な場合、ウェハＩＤ’は、改ざんされておらず、有効であると考えられる。インテグリティタグが無効な場合、ある時点でドアが取り外されており、ウェハＩＤの正確性に疑いがある。この情報に基づき、ホストは、完全性を検証するために、ツールでのウェハの読み取りを強制する。
【０１２１】
別の例示的な実施形態によると、一体型ウェハＩＤリーダは、積載ポートに提供されてもよい。リーダは、サイクル時間を最小化するために、連続ドア開口中に、ＩＤ’を読み取ることができるように配置される。本実施形態は、処理ツール内の方法と比較し、サイクル時間が低減されるという利点を有し、また、処理ツールホスト通信から分離して検証スキーム全体を実行することができる。
【０１２２】
別の例示的な実施形態によると、キャリア内のそれぞれのウェハスロットに対する専用アルファベット数字ディスプレイがキャリアに付け加えられてもよい。一体化されたディスプレイは、キャリア内の実際のウェハＩＤと相互に関係する。文字高さは、操作者と天井に取り付けられたストレージネストとの間の距離と同様の離れた距離から読むために十分大きくてもよい。本実施形態では、ディスプレイは、ＩＤインテグリティを図式的に示す。インテグリティタグが無効な場合、異なる文字または色でディスプレイ上に図式的に示される。
【０１２３】
さらに別の例示的な実施形態に従って、外部ウェハＩＤリーダを統合する。外部ウェハＩＤリーダは、例えば、ＡＭＨＳシステム内の積載ポートおよび処理ツールの外部に置かれてもよい。疑わしいウェハＩＤ’を有するキャリアは、外部リーダに積載され、検証される。一度動作が完了すると、ドアが固定され、書き込み可能なキャリアＩＤにインテグリティタグが書き込まれる。ここで、キャリアは、最終目的地であるストレージ／積載ポート位置に移動される。これは、ツール処理時間と連続というよりは、ウェハキャリアの待ち時間と平行して実行されるという利点を有する。さらに、外部リーダは、ウェハ配向方法を組み込むことができる。
【０１２４】
ここで図５７を参照すると、またさらに別の例示的な実施形態によるキャリアドアの概略正面図が示される。図５７に図示される例示的な実施形態のキャリアドアは、別段の記載がない限り、前述された図で示される例示的な実施形態のキャリアに類似していてもよい。キャリアドアは、例えば、従来の円形あるいは円筒形状または周辺（例えば、図３６Ｃのキャリア２０００に類似）を有しても良いが、代替の実施形態では、キャリアは、１つ以上のフラット周辺側部を伴うものなどの、任意の他の所望の形状を有してもよい。以下にさらに記載されるように、シェルにおけるウェハ（または他のワークフィールド）開口部を閉じ、キャリア内部を絶縁させるためにキャリアシェル６０６０に取り外し可能に連結される、キャリアドア６０７０は、キャリア６０００の底部にあるように、例示目的でのみ示される。代替の実施形態では、キャリアドアは、キャリアの任意の他の側部または表面に位置してもよい。前述のように、キャリアは、金属（鉄を含まない）材料、または熱可塑性プラスチック材料などの非金属材料から作られてもよい。
【０１２５】
前述のように、キャリアドア６０７０が閉じられる際、ドア６０７０およびシェル６０６０は、以下にさらに記載されるように、キャリアドアとシェルとの間の接合部分で、封止６０８０を形成し、キャリアの内部を外側雰囲気から絶縁させる。キャリアドア６０７０は、本シェル６０６０にラッチされてもよく、ラッチシステム６０７２によって、十分に安定してシェルに対してドアを保持し、キャリアの所望の搬送を可能にする。ラッチシステム６０７２は、例示的な実施形態では、実質的に、ソリッドステート（すなわち、実質的に移動するパーツを伴わない）であるが、代替の実施形態では、ラッチシステムは、ソリッドステート作動と、さらに機械的に作動するパーツを有してもよい。図５７に示される例示的な実施形態では、ラッチシステム６０７２は、磁気ラッチシステム６０７４を含んでもよい。磁気ラッチシステム６０７４は、概して、磁石セクションまたはフィールドセクション６０７４Ｍおよびフィールドセクションと反応する反応型セクションまたはプラタンセクション６０７４Ｒを有してもよく、ラッチ力を形成し、シェルにラッチされるようにドアをラッチする。例示的な実施形態では、磁石セクション６０７４Ｍは、キャリアシェルのウェハ開口部で、実質的に一様に分散される磁気フィールドを生成するために、実質的にコンテナシェルの周辺の周り、または、例えば、シェル接合部分へのドアの周辺で、分散されてもよい。例示的な実施形態では、磁気セクション６０７４Ｍは、柔軟な（すなわち、多極の）磁石ストリップまたはリボンによって形成されてもよい。柔軟な磁石ストリップは、概略的に図５７Ａに図示される。代替の実施形態では、磁石セクションまたはソリッドステートラッチシステムは、任意の他の適した方法で形成されてもよい。磁石セクションは、連続的またはセグメント化されていてもよく、任意の所望の形状を形成するためにキャリア上に取り付けされてもよい。図５７Ａに示される例示的な実施形態では、多極磁石は、弾性または柔軟性であってもよい柔軟な非磁気材料（例えば、電磁気材料）へ付けられてもよい。例示的な実施形態では、磁石セクション６０７４Ｍは、実質的にフラットなシェル表面に搭載されるように示される。反応型セクション６０７４Ｒは、鉄材料の適したリングまたはセグメントであってもよいが、キャリアドアの反対の表面に搭載されるように示される。代替の実施形態、磁石セクションは、シェルに対するドアおよび反応型セクションに搭載されてもよく、ドアおよびシェルの任意の他の所望の表面に置かれてもよい。ドアが閉じられる際、反応型セクションは、開口部の周辺にドア封止を形成する、磁石セクションの柔軟な磁石に対してバイアスされてもよい。
【０１２６】
ここで図５８を参照すると、別の例示的な実施形態によるキャリア６０００’および積載ポート６３００の概略正面図が示される。キャリアは、概して、図５７のキャリア６０００に類似する。キャリアは、連結されて、または積載ポート６３００との連結部に近接する位置で、示される。積載ポート６３００は、概して、以下に別段の記載がない限り、前述され図に示される積載ポートに類似する。例示的な実施形態の積載ポートは、キャリアを積載ポートへ固定するための、およびキャリアドアをポートドアに固定するためのソリッドステートラッチシステムを有してもよい。例えば、積載ポートは、キャリアの一部分で動作する磁石（例えば、電磁石）を有してもよい。類似して、ポートドアは、さらに、キャリアドアの磁気部分（例えば、図６０〜６２を参照のこと）で動作する磁石（例えば、電磁石）を有してもよい。例示的な実施形態では、積載ポートドアとキャリアドアとの間の嵌合は、キャリアドアのキャリアシェルからの解放を引き起こす可能性がある。例えば、積載ポートドアとキャリアドアとの間の磁気ラッチ（図６０〜６２を参照のこと）は、キャリアドアが、開かれる積載ポートドアによって、アンラッチされ開かれるように、キャリアドアとキャリアとの間の磁気ラッチを抑えるのに十分な強さであることができる。逆に、キャリアドアは、ポートドアが閉じた位置に戻される際、自動的にキャリアへラッチされる。図５９Ａ〜Ｄは、多くの異なる例示的な実施形態による、キャリアシェルとキャリアドアと積載ポートシェルと積載ポートドアとの間の４つの方角（または「Ｘ」）の接合部分を図示する。
【０１２７】
ここで図６０〜６２を参照すると、キャリア６０００’と積載ポート６３００との間の磁気相互作用が示される。上述のように、積載ポートは、キャリア６０００’を積載ポート縁６３１０するため、およびキャリアドア６０７０’を積載ポートドア６３２０に固定するためのソリッドステートラッチシステムを含んでもよい。ソリッドステートラッチシステムは、磁石、例えば、キャリアシェル６０６０’で鉄材料６３０１と相互作用することのできる積載ポート縁６３１０に位置することのできる電磁石６３０２を含んでもよい。代替の実施形態では、磁石６３０２は、任意の適した磁石であってもよい。鉄材料は、実質的にキャリアシェル６０６０’の周辺の周りに及んでもよい、上記のセクション６０７４Ｍに実質的に類似する磁石セクションであってもよい。代替の実施形態では、磁石セクションは、任意の適した形状を有する任意の適した鉄材料であってもよい。さらに他の代替の実施形態では、磁石セクションは、連続的またはセグメント化されていてもよく、任意の所望の形状を形成するためにキャリアに取り付けられてもよい。積載ポートドア６３２０は、さらに、磁石６３０２に実質的に類似する磁石６３０４を含んでもよいが、キャリアドアは、磁石６３０１に実質的に類似する磁石６３０３を含んでもよい。代替の実施形態では、磁石６３０２、６３０４は、キャリアシェルおよびキャリアドアに位置してもよいが、磁石６３０１、６３０３は、積載ポート縁および積載ポートドアに位置してもよい。
【０１２８】
積載ポート６３００は、キャリアのＺ軸運動を積載ポート上へ誘導する位置合わせ機構を含んでもよい。キャリア位置合わせ機構は、例えば、キャリアドア６０７０’と相互作用する摩擦プレート６３３０または運動学的ピン６３３０’であってもよい。代替の実施形態では、任意の適した位置合わせ機構が活用されてもよい。他の代替の実施形態では、位置合わせ機構は、キャリア６０００’の任意の部分と相互作用してもよい。位置合わせ機構は、図示されるように、積載されるバネであってもよく、またはそれらは、静止していてもよい。これらの位置合わせ機構は、磁石６３０１〜６３０４と連動して、キャリア６０００’を積載ポート６３００で位置合わせをするために作用してもよい。代替の実施形態では、磁石または位置合わせ機構のいずれかは、キャリアを積載ポートで位置合わせをするために使用されてもよい。他の代替の実施形態では、キャリアおよび積載ポートの位置合わせは、任意の適した方法で獲得されてもよい。キャリア６０００’と積載ポート６３００との間の相互作用は、ソリッドステート（例えば、キャリアを積載ポートで固定するためにパーツは移動しない）であるため、最小の誘導がキャリアを積載ポートで位置合わせするために必要とされ得るというこが留意される。加えて、最小力は、ソリッドステートラッチシステムによって、キャリアを積載ポートでラッチするために活用されてもよい。そのように、位置合わせ機構は、大きさが最小であってもよく、キャリアが積載ポートの表面に接触するのと実質的に同じ時間で、キャリア６０００’に接触してもよい。さらに、最小の誘導および最小化された位置合わせ機構は、結合の間に、キャリアと積載ポートとの間の摩擦を減少することができ、それにより粒子の生成を減少するということに留意されたい。
【０１２９】
動作中、積載ポート縁６３１０および積載ポートドア６３２０の磁石６３０２、６３０４は、動作不能または「オフ」されている状態であってもよい。磁石６３０２、６３０４の動作不能性は、ラッチシステム６０７４によって形成される、キャリアシェル６０６０’とキャリアドア６０７０’との間のラッチ／封止を開くことなく、キャリアを積載ポート６３００に置くことを可能にする。磁石６３０２、６３０４は、キャリア６０００’が積載ポート６３００に接触するのと実質的に同じ時間で、起動、または「オン」にされてもよく、それにより粒子物質がキャリアに入ることができないようにする。図６３に見られるように、封止は、例えば、外側雰囲気からキャリアの内部を絶縁するために提供されてもよい。キャリアを積載ポートにラッチするためのラッチシステムが起動されるか、またはオンにされる前に、封止は、接触してもよい。封止は、例えば、キャリアシェル６０６０’と積載ポート縁６３１０との間、およびキャリアドア６０７０’と積載ポートドア６３２０との間に位置されてもよいフラット封止であってもよい。封止は、さらに、キャリアシェル６０６０’とキャリアドア６０７０’との間、および積載ポート縁６３１０と積載ポートドア６３２０との間で位置して見られるようなＯリングの形であってもよい。代替の実施形態では、任意の組み合わせでフラット封止およびまたはＯリングが活用されてもよい。封止は、発泡体、ゴムなどの変形可能な材料で作られてもよい。代替の実施形態では、封止は、任意の適した材料で作られてもよい。別の例示的な実施形態では、図６４Ｃ〜６４Ｅで見られ得るように、封止は、磁石７０４０によって形成されてもよい。
【０１３０】
例示的な一実施形態では、および図６４Ａ〜６４Ｅで見られ得るように、封止は、いくつかの表面に同時に接触することが可能である形状を有する成形封止７０５０の形であってもよい。例えば、図６４Ａで見られ得るように、封止は、湾曲した上部部分および角度の付いた底部部分を有してもよい。封止７０５０は、キャリア６０００’が下げられる時、湾曲した上部部分が変形して、それぞれ、点７０６０Ｂおよび７０６０Ａで、キャリアドア６０７０’および積載ポート縁６３１０の両方に接触することができるように、変形可能であってもよい。キャリアシェル６０６０’と積載ポート縁６３１０との間、およびキャリアシェル６０６０’とキャリアドア６０７０’との間の封止は、磁石、Ｏリング、フラット封止などによって提供されてもよい。代替の実施形態では、封止は、任意の適した方法で提供されてもよい。接触点７０６０Ａに加えて、封止の角度の付いた下部部分は、積載ポートドア６３２０が閉じた位置である際、処理ツール／積載ポートの内部を、例えば外側雰囲気からさらに絶縁するために、積載ポート縁６３１０に接触してもよい。図では、封止７０５０は、積載ポートドア６３２０に取り付けられているように示されるが、代替の実施形態では、封止は、キャリアシェル６０６０’、キャリアドア６０７０’、積載ポート縁６３１０、積載ポートドア６３２０のいずれか１つに、または任意の他の適した位置で取り付けられてもよい。代替の実施形態では、封止７０５０は、キャリアシェル６０６０’／キャリアドア６０７０と積載ポートとの間に延在するアーム様機構を有してもよい。他の代替の実施形態では、封止は任意の適した形状を有してもよい。動作において、封止７０５０は、点７０６０Ａで形成される封止を介して処理ツールを絶縁してもよい。積載ポートドア６３２０が開かれる時、封止７０４０は、開かれ、キャリアドア６０７０’がキャリア６０００’から分離することを可能にしてもよい。点７０６０Ｂで封止７０５０によって形成される封止は、キャリアドア６０７０’と積載ポートドア６３２０との間に位置するすべての汚染物質／雰囲気がキャリア６０００’または処理ツール／積載ポートに入ることを防ぐことができる。
【０１３１】
キャリアを開く動作がここで記載される。キャリア６０００’は、上記のような積載ポート６３００に到着してもよい。キャリア６０００’は、例えばＺ軸位置合わせ機構６３３０、６３３０’を介して、積載ポート６３００に機械的に連結されてもよい。キャリアシェル６０６０’は、機械的な連結の間、浮くことが可能であってもよい。位置合わせ機構は、キャリア／積載ポートラッチシステムの起動の間、キャリア６０００’を最小誘導することができる。キャリアドア６０７０’は、磁石６３０３、６３０４を介して積載ポートドア６３２０にラッチされてもよい。キャリアシェル６０６０’は、磁石６３０１、６３０２を介して積載ポート縁６３１０へラッチされてもよい。磁石６３０３、６３０４は、キャリアドア６０７０’が、キャリアシェル６０６０’からアンラッチされ、シェル６０６０’から除去されるように、キャリアシェル６０６０’へのキャリアドア６０７０’を保持する磁石に過度の力を加えてもよい。ウェハは、キャリア６０００’からロボット移送の高さへ下げられてもよい。本例示的な実施形態では、底部積載キャリアが活用されるが、代替の実施形態では、任意の適したキャリア（例えば、前側積載など）を活用してもよい。
【０１３２】
キャリアを閉じるために、ウェハは、ロボット移送の高さからキャリア６０００’の内側へ上げられてもよい。キャリアドア６０７０’は、キャリアシェル６０６０’に挿入されてもよい。キャリアドアは、上述のキャリアドア／キャリアシェルラッチシステムを介してラッチされてもよい。キャリアシェル６０６０’およびキャリアドア６０７０’は、例えば、磁石６３０２、６３０４を外すことによって、同時にアンラッチされてもよい。代替の実施形態では、キャリアシェルおよびキャリアドアは、異なる回数で、任意の順序で解放されてもよい。キャリアは、積載ポートから出る準備をしてもよい。
【０１３３】
前述された説明は、本発明の実例でしかないことが理解されるべきである。本発明から逸脱することなく、当業者によって様々な代替および修正が考案されてもよい。したがって、本発明は、添付の特許請求の範囲に含まれる、すべての代替、修正、および変形を包括することが意図される。
【図１】
0005543205.tif 000002
【図１Ａ】
0005543205.tif 000003
【図１Ｂ】
0005543205.tif 000004
【図２Ａ】
0005543205.tif 000005
【図２Ｂ】
0005543205.tif 000006
【図３Ａ】
0005543205.tif 000007
【図３Ｂ】
0005543205.tif 000008
【図３Ｃ】
0005543205.tif 000009
【図４】
0005543205.tif 000010
【図４Ａ】
0005543205.tif 000011
【図４Ｂ】
0005543205.tif 000012
【図４Ｃ】
0005543205.tif 000013
【図５Ａ】
0005543205.tif 000014
【図５Ｂ】
0005543205.tif 000015
【図５Ｃ】
0005543205.tif 000016
【図６Ａ】
0005543205.tif 000017
【図６Ｂ】
0005543205.tif 000018
【図７Ａ】
0005543205.tif 000019
【図７Ｂ】
0005543205.tif 000020
【図７Ｃ】
0005543205.tif 000021
【図８】
0005543205.tif 000022
【図９】
0005543205.tif 000023
【図１０】
0005543205.tif 000024
【図１０Ａ】
0005543205.tif 000025
【図１１】
0005543205.tif 000026
【図１２Ａ】
0005543205.tif 000027
【図１２Ｂ】
0005543205.tif 000028
【図１３Ａ】
0005543205.tif 000029
【図１３Ｂ】
0005543205.tif 000030
【図１４】
0005543205.tif 000031
【図１５】
0005543205.tif 000032
【図１６Ａ】
0005543205.tif 000033
【図１６Ｂ】
0005543205.tif 000034
【図１７】
0005543205.tif 000035
【図１７Ａ】
0005543205.tif 000036
【図１７Ｂ】
0005543205.tif 000037
【図１７Ｃ】
0005543205.tif 000038
【図１８】
0005543205.tif 000039
【図１９】
0005543205.tif 000040
【図２０】
0005543205.tif 000041
【図２０Ａ】
0005543205.tif 000042
【図２０Ｂ】
0005543205.tif 000043
【図２０Ｃ】
0005543205.tif 000044
【図２０Ｄ】
0005543205.tif 000045
【図２１】
0005543205.tif 000046
【図２２】
0005543205.tif 000047
【図２３】
0005543205.tif 000048
【図２３Ａ】
0005543205.tif 000049
【図２４】
0005543205.tif 000050
【図２５Ａ】
0005543205.tif 000051
【図２５Ｂ】
0005543205.tif 000052
【図２６Ａ】
0005543205.tif 000053
【図２６Ｂ】
0005543205.tif 000054
【図２７】
0005543205.tif 000055
【図２７Ａ】
0005543205.tif 000056
【図２７Ｂ】
0005543205.tif 000057
【図２８】
0005543205.tif 000058
【図２９Ａ】
0005543205.tif 000059
【図２９Ｂ】
0005543205.tif 000060
【図２９Ｃ】
0005543205.tif 000061
【図３０】
0005543205.tif 000062
【図３１】
0005543205.tif 000063
【図３２】
0005543205.tif 000064
【図３３】
0005543205.tif 000065
【図３４】
0005543205.tif 000066
【図３５】
0005543205.tif 000067
【図３６Ａ】
0005543205.tif 000068
【図３６Ｂ】
0005543205.tif 000069
【図３６Ｃ】
0005543205.tif 000070
【図３６Ｄ】
0005543205.tif 000071
【図３６Ｅ】
0005543205.tif 000072
【図３７Ａ】
0005543205.tif 000073
【図３７Ｂ】
0005543205.tif 000074
【図３７Ｃ】
0005543205.tif 000075
【図３７Ｄ】
0005543205.tif 000076
【図３７Ｅ】
0005543205.tif 000077
【図３７Ｆ】
0005543205.tif 000078
【図３７Ｇ】
0005543205.tif 000079
【図３８Ａ】
0005543205.tif 000080
【図３８Ｂ】
0005543205.tif 000081
【図３８Ｃ】
0005543205.tif 000082
【図３９】
0005543205.tif 000083
【図４０Ａ】
0005543205.tif 000084
【図４０Ｂ】
0005543205.tif 000085
【図４０Ｃ】
0005543205.tif 000086
【図４０Ｄ】
0005543205.tif 000087
【図４１】
0005543205.tif 000088
【図４１Ａ】
0005543205.tif 000089
【図４１Ｂ】
0005543205.tif 000090
【図４２】
0005543205.tif 000091
【図４２Ａ】
0005543205.tif 000092
【図４２Ｂ】
0005543205.tif 000093
【図４２Ｃ】
0005543205.tif 000094
【図４２Ｄ】
0005543205.tif 000095
【図４３】
0005543205.tif 000096
【図４４】
0005543205.tif 000097
【図４５】
0005543205.tif 000098
【図４６】
0005543205.tif 000099
【図４７】
0005543205.tif 000100
【図４８】
0005543205.tif 000101
【図４９】
0005543205.tif 000102
【図５０】
0005543205.tif 000103
【図５１】
0005543205.tif 000104
【図５１Ａ】
0005543205.tif 000105
【図５２】
0005543205.tif 000106
【図５２Ａ】
0005543205.tif 000107
【図５２Ｂ】
0005543205.tif 000108
【図５３】
0005543205.tif 000109
【図５４】
0005543205.tif 000110
【図５５】
0005543205.tif 000111
【図５５Ａ】
0005543205.tif 000112
【図５５Ｂ】
0005543205.tif 000113
【図５５Ｃ】
0005543205.tif 000114
【図５５Ｄ】
0005543205.tif 000115
【図５６】
0005543205.tif 000116
【図５６Ａ】
0005543205.tif 000117
【図５７】
0005543205.tif 000118
【図５７Ａ】
0005543205.tif 000119
【図５８】
0005543205.tif 000120
【図５９Ａ】
0005543205.tif 000121
【図５９Ｂ】
0005543205.tif 000122
【図５９Ｃ】
0005543205.tif 000123
【図５９Ｄ】
0005543205.tif 000124
【図６０】
0005543205.tif 000125
【図６１】
0005543205.tif 000126
【図６２】
0005543205.tif 000127
【図６３】
0005543205.tif 000128
【図６４Ａ】
0005543205.tif 000129
【図６４Ｂ】
0005543205.tif 000130
【図６４Ｃ】
0005543205.tif 000131
【図６４Ｄ】
0005543205.tif 000132
【図６４Ｅ】
0005543205.tif 000133